(57)【要約】      （修正有）【課題】閉じていた袋体の口を開く場合に、手間が少なく、また、組立加工作業にて、手間を低減し、加工コストが比較的少ない留め具を提供する。【解決手段】雄部材２が設けられ、筒状３の雌部材４が設けられ、雌部材の筒軸方向に沿って移動可能に雌部材４内に雄部材２を入れ込ませて、雌部材４内から雄部材２を突き出させる向きに付勢する付勢部材５が設けられ、筒軸方向に交叉する向きに雄部材２と雌部材４とに通し孔７Ａが設けられた留め具において、基部が設けられ、基部の一端部から折返し状に延びた第１フック部が設けられ、基部の他端部から第１フック部に向けて折返し状に延びた第２フック部が設けられ、第１フック部と第２フック部とで形成されるフック部材１９が雌部材４に一体的に設けられている留め具。【選択図】図５
2014018541.tif 000002
【特許請求の範囲】
【請求項１】
雄部材が設けられ、
筒状の雌部材が設けられ、
該雌部材の筒軸方向に沿って移動可能に雌部材内に雄部材を入れ込ませて、該雌部材内から雄部材を突き出させる向きに付勢する付勢部材が設けられ、
該筒軸方向に交叉する向きに雄部材と雌部材とに通し孔が設けられ、
該付勢部材の付勢に抗した雄部材の押し込み位置にて、連通し合う雄部材の通し孔と雌部材の通し孔とに、紐状体が挿通され、
該付勢部材の付勢により、雄部材の押し込みを解くことで、紐状体に留め付けられる留め具において、
基部が設けられ、
該基部の一端部から折返し状に延びた第１フック部が設けられ、
該基部の他端部から第１フック部に向けて折返し状に延びた第２フック部が設けられ、
該第１フック部と第２フック部とで形成されるフック部材が雌部材に一体的に設けられ、該第１フック部の先端側と、第２フック部の先端側とが、常時は当接し、
該第１フック部の弾性変形、または、第２フック部の弾性変形により、
該第１フック部の先端側と、第２フック部の先端側とが、離れるフック部材を有することを特徴とする留め具。
【請求項２】
請求項１に記載の留め具のフック部材において、
前記第１フック部の先端側と、前記第２フック部の先端側とが、重なるように配置されたことを特徴とする留め具。
【請求項３】
請求項２に記載の留め具のフック部材において、
前記第１フック部の内面に臨むように前記第２フック部の先端が配置され、
該第１フック部の先端側と、該第２フック部の先端側とが、該第２フック部の傾動により離れることを特徴とする留め具。
【請求項４】
請求項２〜３に記載の留め具において、
前記第１フック部に係止爪が設けられ、
該係止爪を係止させる係止部が前記第２フック部に設けられ、
または、
前記第２フック部に係止爪が設けられ、
該係止爪を係止させる係止部が前記第１フック部に設けられたことを特徴とする留め具。
【請求項５】
雄部材が設けられ、
筒状の雌部材が設けられ、
該雌部材の筒軸方向に沿って移動可能に雌部材内に雄部材を入れ込ませて、該雌部材内から雄部材を突き出させる向きに付勢する付勢部材が設けられ、
該筒軸方向に交叉する向きに雄部材と雌部材とに通し孔が設けられ、
該付勢部材の付勢に抗した雄部材の押し込み位置にて、連通し合う雄部材の通し孔と雌部材の通し孔とに、紐状体が挿通され、
該付勢部材の付勢により、雄部材の押し込みを解くことで、紐状体に留め付けられる留め具において、
基部が設けられ、
該基部の一端部から折返し状に延びた第１フック部が設けられ、
該基部の他端部から第１フック部に向けて折返し状に延びた第２フック部が設けられ、
該第１フック部と第２フック部とで形成されるフック部材が雌部材に一体的に設けられ、該第１フック部の先端側と、第２フック部の先端側とが、すれ違うように配置され、
かつ、
該第１フック部の先端側と、第２フック部の先端側とが、離されて配置されたフック部材を有することを特徴とする留め具。
【請求項６】
前記フック部材の基部側が前記雌部材に埋設され、
または、
前記フック部材の第１フック部の先端側が前記雌部材に埋設され、
または、
前記フック部材の第２フック部の先端側が前記雌部材に埋設されたことを特徴とする請求項１〜５に記載の留め具。
【請求項７】
請求項１〜６に記載の留め具と、
該留め具の使用対象物に備えて該留め具の留め付けられる紐状体と、
該留め具のフック部材に挿通して使用対象物に設けられた挿通片と、
が備えられていることを特徴とする紐状体の留め付け構造。
【請求項８】
開口縁部に紐状体挿通部が形成されている袋体と、
該紐状体挿通部に挿通されている紐状体と、
該紐状体挿通部から出ている紐状体に装着されて袋体の開口縁部を絞った状態に維持するための請求項１〜６に記載の留め具と、
該留め具のフック部材に挿通して袋体に設けられた挿通片と、
が備えられていることを特徴とする留め具付き巾着袋。
【発明の詳細な説明】
【技術分野】
【０００１】
本発明は、主に、ボタン、ピン、バックル、スライドファスナーの類似のものにて、特には、雄部材、雌部材、付勢部材等によって構成される紐状体に留め付けられる留め具に関し、あるいは、紐状体の留め付け構造、あるいは、留め具付き巾着袋に関する。
【背景技術】
【０００２】
雄部材、雌部材、付勢部材等によって構成される紐状体に留め付けられる留め具として、次のようなものがある。１件目について記す。長手方向に延びる筒状内孔と、該筒状内孔に直角な方向に整列していて止めるべき紐を通す２つの孔とを有する筒状の本体と、前記２つの孔に通された紐を前記２つの孔に固定するため前記本体の前記内孔に嵌合して摺動自在であり且つ押圧されたときに前記２つの孔と整列し得る貫通孔を有する柱状の係止部材と、前記本体を衣類に固定するため、前記本体の側面に前記長手方向に沿って一体成形されている取り付け板と、前記取り付け板に形成された取り付け孔とよりなる紐止め具と、前記２つの孔及び前記貫通孔に挿通された紐と、前記紐止め具及び前記紐を衣類の片面側に位置するようにして鋲又は糸により前記取り付け孔を介して前記取り付け板を前記衣類に固定してなる紐止め具（特許文献１参照。特許３０３２４３３を含む）がある。次に、２件目について記す。筒側部対向位置に紐の通し穴を備え、かつ、一方の筒端を開放させると共に他方の筒端を閉塞させた筒状本体と、この筒状本体の開放側から当該筒状本体内に移動可能に納められていると共に、移動方向に略直交する向きに紐の通し穴を備えたロック体とを有しており、このロック体が、少なくとも当該ロック体の紐の通し穴と前記筒状本体の紐の通し穴とを紐の通し抜け可能に連通させた当該ロック体の押し込み位置において、当該筒状本体の閉塞底部に下端部を突き当てて当該ロック体を当該筒状本体から突き出させる向きに付勢する一対の屈曲状弾性片を備えており、この一対の屈曲状弾性片の一方が、前記ロック体の突き出し中心線を挟んだ一方側に前記下端部を配し、かつ、この一方側においてその上端部を当該ロック体に一体に連接させていると共に、前記一対の屈曲状弾性片の他方が、前記ロック体の突き出し中心線を挟んだ他方側の前記下端部を配し、かつ、この他方側においてその上端部を当該ロック体に一体に連接させていることを特徴とする紐留め具（特許文献２参照）がある。
【特許文献１】特開平８−８９３１６
【特許文献２】特開２００１−７００１２
【発明の開示】
【発明が解決しようとする課題】
【０００３】
第１の課題を記す。特許文献１の紐止め具（紐留め具）は、走ったり、その他激しい運動を行うと紐止めが顔に当たったり、周囲に藪、電柱、木立その他の物がある場合には引っかかったりする問題を解消するため、鋲又は糸により取り付け孔を介して取り付け板を衣類に固定してなる構成にしてある。よって、紐止め具を衣類に固定するためには、鋲による場合は、鋲を打ち込んだり、かしめたりする道具または装置が、糸による場合は、縫着する道具または装置が必要になる。つまり、紐止め具を使用する物品の製造者などのユーザーが、衣類、または、紐止め具を使用する物品を紐止め具に固定する組立加工作業にて、手間を要し、加工コストが高くなってしまうという問題がある（課題１−１）。前記問題を解消し、組立加工作業にて、手間を要し、加工コストが高くなってしまう恐れの少ない留め具を提供することを目的とする。次に、第２の課題を記す。一般に、紐付きの巾着袋にて、特許文献２のような紐留め具を具備したものが市販されている。閉じていた袋の口を開く場合には、紐への留め付けをしていた紐留め具のロック体の頭部を押圧して押し込むことにより、ロック体の紐の通し穴と筒状本体の紐の通し穴とに紐を差し通し抜けさせ、紐留め具を移動させる。しかし、移動するのは紐留め具のみであるため、閉じていた袋の口を開くには、次に、袋の縁を手等で掴んで袋の口を開く方向へ拡げる必要がある。つまり、閉じていた袋の口を開くには、紐留め具の移動および袋の縁の移動という２段階の動作を行う必要があり、手間を要するという問題がある。（課題１−２）。あるいは、この際、別の方法として、閉じていた袋の口を開くには、紐留め具のロック体の頭部を押圧して押し込んだまま紐留め具を掴みながら開き方向に紐留め具を移動させている手で、同時に、紐留め具を設けてある側の袋の縁を掴んで袋の口を開く方向へ拡げる必要がある。この場合も、同様に手間を要するという問題がある。（課題１−２）。前記問題を解消し、閉じていた袋の口を開くには、紐留め具の移動および袋の縁の移動という２段階の動作を行う必要があり、あるいは、２段階の動作を同時に行うために掴み方を工夫しなければならず、手間を要するが、手間の少ない留め具を提供することを目的とする。
【課題を解決するための手段】
【０００４】
本発明によると上記課題は、次のようにして解決される。
（１）雄部材が設けられ、筒状の雌部材が設けられ、該雌部材の筒軸方向に沿って移動可能に雌部材内に雄部材を入れ込ませて、該雌部材内から雄部材を突き出させる向きに付勢する付勢部材が設けられ、該筒軸方向に交叉する向きに雄部材と雌部材とに通し孔が設けられ、該付勢部材の付勢に抗した雄部材の押し込み位置にて、連通し合う雄部材の通し孔と雌部材の通し孔とに、紐状体が挿通され、該付勢部材の付勢により、雄部材の押し込みを解くことで、紐状体に留め付けられる留め具において、基部が設けられ、該基部の一端部から折返し状に延びた第１フック部が設けられ、該基部の他端部から第１フック部に向けて折返し状に延びた第２フック部が設けられ、該第１フック部と第２フック部とで形成されるフック部材が雌部材に一体的に設けられ、該第１フック部の先端側と、第２フック部の先端側とが、常時は当接し、該第１フック部の弾性変形、または、第２フック部の弾性変形により、該第１フック部の先端側と、第２フック部の先端側とが、離れるフック部材を有することを特徴とする留め具とする。
【０００５】
（２）上記（１）項に記載の留め具のフック部材において、前記第１フック部の先端側と、前記第２フック部の先端側とが、重なるように配置されたことを特徴とする留め具とする。
【０００６】
（３）上記（２）項に記載の留め具のフック部材において、前記第１フック部の内面に臨むように前記第２フック部の先端が配置され、該第１フック部の先端側と、該第２フック部の先端側とが、該第２フック部の傾動により離れることを特徴とする留め具とする。
【０００７】
（４）上記（２）〜（３）項に記載の留め具において、前記第１フック部に係止爪が設けられ、該係止爪を係止させる係止部が前記第２フック部に設けられ、または、前記第２フック部に係止爪が設けられ、該係止爪を係止させる係止部が前記第１フック部に設けられたことを特徴とする留め具とする。
【０００８】
（５）雄部材が設けられ、筒状の雌部材が設けられ、該雌部材の筒軸方向に沿って移動可能に雌部材内に雄部材を入れ込ませて、該雌部材内から雄部材を突き出させる向きに付勢する付勢部材が設けられ、該筒軸方向に交叉する向きに雄部材と雌部材とに通し孔が設けられ、該付勢部材の付勢に抗した雄部材の押し込み位置にて、連通し合う雄部材の通し孔と雌部材の通し孔とに、紐状体が挿通され、該付勢部材の付勢により、雄部材の押し込みを解くことで、紐状体に留め付けられる留め具において、基部が設けられ、該基部の一端部から折返し状に延びた第１フック部が設けられ、該基部の他端部から第１フック部に向けて折返し状に延びた第２フック部が設けられ、該第１フック部と第２フック部とで形成されるフック部材が雌部材に一体的に設けられ、該第１フック部の先端側と、第２フック部の先端側とが、すれ違うように配置され、かつ、該第１フック部の先端側と、第２フック部の先端側とが、離されて配置されたフック部材を有することを特徴とする留め具とする。
【０００９】
（６）上記（１）〜（５）項に記載の留め具において、前記フック部材の基部側が前記雌部材に埋設され、または、前記フック部材の第１フック部の先端側が前記雌部材に埋設され、または、前記フック部材の第２フック部の先端側が前記雌部材に埋設されたことを特徴とする留め具とする。
【００１０】
（７）上記（１）〜（６）項に記載の留め具と、該留め具の使用対象物に備えて該留め具の留め付けられる紐状体と、該留め具のフック部材に挿通して使用対象物に設けられた挿通片と、が備えられていることを特徴とする紐状体の留め付け構造とする。
【００１１】
（８）開口縁部に紐状体挿通部が形成されている袋体と、該紐状体挿通部に挿通されている紐状体と、該紐状体挿通部から出ている紐状体に装着されて袋体の開口縁部を絞った状態に維持するための上記（１）〜（６）項に記載の留め具と、該留め具のフック部材に挿通して袋体に設けられた挿通片と、が備えられていることを特徴とする留め具付き巾着袋とする。
【発明の効果】
【００１２】
本発明によれば、次のような効果を奏する。
（１）本発明の請求項１記載の発明によれば、組立加工作業にて、作業の手間を軽減でき、加工コストの少ない留め具を提供することができる、という効果が生じる。（効果１−１）また、袋体の開口縁部を開口する際に、留め具を掴みながら雄部材の頭部を指で押圧したままで開き方向に留め具を移動させている残りの片方の手で、さらに、留め具を設けてある側の袋体の端部を掴む、あるいは、紐留め具の移動および袋の縁の移動という２段階の動作を行う必要がなく、作業の手間を低減することができる、という効果が生じる。（効果１−２）また、フック部材が雌部材に一体的に設けてあるので、重複する部分の容積の減少に伴って、材料費、加工費等の低減が可能であり、また、同時に容積の減少に伴って小型化できる、という効果が生じる。（効果１−３）また、第１フック部の先端側と、第２フック部の先端側とが、常時は当接しているので、フック部材から挿通片が脱落してしまう恐れが少なくなる、という効果が生じる。（効果２−１）また、第１フック部もしくは第２フック部の弾性変形により、第１フック部の先端側と第２フック部の先端側とが離れるフック部材を有しているので、挿通片を挿入しやすく、また、復元力により戻るので、フック部材から挿通片が脱落してしまう恐れが少なくなる、という効果が生じる。（効果１−５）（効果７−２）
（２）本発明の請求項２記載の発明によれば、組立加工作業にて、作業の手間を軽減でき、加工コストの少ない留め具を提供することができる、という効果が生じる。（効果１−１）また、袋体の開口縁部を開口する際に、留め具を掴みながら雄部材の頭部を指で押圧したままで開き方向に留め具を移動させている残りの片方の手で、さらに、留め具を設けてある側の袋体の端部を掴む、あるいは、紐留め具の移動および袋の縁の移動という２段階の動作を行う必要がなく、作業の手間を低減することができる、という効果が生じる。（効果１−２）また、フック部材が雌部材に一体的に設けてあるので、重複する部分の容積の減少に伴って、材料費、加工費等の低減が可能であり、また、同時に容積の減少に伴って小型化できる、という効果が生じる。（効果１−３）また、第１フック部の先端側と、第２フック部の先端側とが、常時は当接しているので、フック部材から挿通片が脱落してしまう恐れが少なくなる、という効果が生じる。（効果２−１）また、第１フック部もしくは第２フック部の弾性変形により、第１フック部の先端側と第２フック部の先端側とが離れるフック部材を有しているので、挿通片を挿入しやすく、また、復元力により戻るので、フック部材から挿通片が脱落してしまう恐れが少なくなる、という効果が生じる。（効果１−５）（効果７−２）第１フック部の先端側と、第２フック部の先端側とが、重なるように配置されているので、フック部材から挿通片が脱落してしまう恐れが少なくなる、という効果が生じる。（効果１−９）
（３）本発明の請求項３記載の発明によれば、組立加工作業にて、作業の手間を軽減でき、加工コストの少ない留め具を提供することができる、という効果が生じる。（効果１−１）また、袋体の開口縁部を開口する際に、留め具を掴みながら雄部材の頭部を指で押圧したままで開き方向に留め具を移動させている残りの片方の手で、さらに、留め具を設けてある側の袋体の端部を掴む、あるいは、紐留め具の移動および袋の縁の移動という２段階の動作を行う必要がなく、作業の手間を低減することができる、という効果が生じる。（効果１−２）また、フック部材が雌部材に一体的に設けてあるので、重複する部分の容積の減少に伴って、材料費、加工費等の低減が可能であり、また、同時に容積の減少に伴って小型化できる、という効果が生じる。（効果１−３）また、第１フック部の先端側と、第２フック部の先端側とが、常時は当接しているので、フック部材から挿通片が脱落してしまう恐れが少なくなる、という効果が生じる。（効果２−１）また、第１フック部もしくは第２フック部の弾性変形により、第１フック部の先端側と第２フック部の先端側とが離れるフック部材を有しているので、挿通片を挿入しやすく、また、復元力により戻るので、フック部材から挿通片が脱落してしまう恐れが少なくなる、という効果が生じる。（効果１−５）（効果７−２）第１フック部の先端側と、第２フック部の先端側とが、重なるように配置されているので、フック部材から挿通片が脱落してしまう恐れが少なくなる、という効果が生じる。（効果１−９）第１フック部の先端側と、第２フック部の先端側とが、第２フック部の傾動により離れるので、挿通片を挿入しやすく、また、復元力により戻るので、フック部材から挿通片が脱落してしまう恐れが少なくなる、という効果が生じる。（効果１−６）
（４）本発明の請求項４記載の発明によれば、組立加工作業にて、作業の手間を軽減でき、加工コストの少ない留め具を提供することができる、という効果が生じる。（効果１−１）また、袋体の開口縁部を開口する際に、留め具を掴みながら雄部材の頭部を指で押圧したままで開き方向に留め具を移動させている残りの片方の手で、さらに、留め具を設けてある側の袋体の端部を掴む、あるいは、紐留め具の移動および袋の縁の移動という２段階の動作を行う必要がなく、作業の手間を低減することができる、という効果が生じる。（効果１−２）また、フック部材が雌部材に一体的に設けてあるので、重複する部分の容積の減少に伴って、材料費、加工費等の低減が可能であり、また、同時に容積の減少に伴って小型化できる、という効果が生じる。（効果１−３）また、第１フック部の先端側と、第２フック部の先端側とが、常時は当接しているので、フック部材から挿通片が脱落してしまう恐れが少なくなる、という効果が生じる。（効果２−１）また、第１フック部もしくは第２フック部の弾性変形により、第１フック部の先端側と第２フック部の先端側とが離れるフック部材を有しているので、挿通片を挿入しやすく、また、復元力により戻るので、フック部材から挿通片が脱落してしまう恐れが少なくなる、という効果が生じる。（効果１−５）（効果７−２）第１フック部の先端側と、第２フック部の先端側とが、重なるように配置されているので、フック部材から挿通片が脱落してしまう恐れが少なくなる、という効果が生じる。（効果１−９）第１フック部の先端側と、第２フック部の先端側とが、第２フック部の傾動により離れるので、挿通片を挿入しやすく、また、復元力により戻るので、フック部材から挿通片が脱落してしまう恐れが少なくなる、という効果が生じる。（効果１−６）係止爪と係止部を係止させることにより、フック部材に挿通した挿通片の脱落防止を向上させる、という効果が生じる。（効果９−１）（効果１−８）
（５）本発明の請求項５記載の発明によれば、第１フック部の先端側と、第２フック部の先端側とが、離されて配置されたフック部材を有しているので、成型時の加工が容易で、また、フック部材に挿通片が挿通される場合に挿通されやすい、という効果が生じる。（効果１２−１）また、同時に、第１フック部の先端側と、第２フック部の先端側とが、すれ違うように配置されたフック部材を有しているので、フック部材から挿通片が脱落してしまう恐れが少なくなる、という効果が生じる。（効果１２−２）
（６）本発明の請求項６記載の発明によれば、組立加工作業にて、作業の手間を軽減でき、加工コストの少ない留め具を提供することができる、という効果が生じる。（効果１−１）また、袋体の開口縁部を開口する際に、留め具を掴みながら雄部材の頭部を指で押圧したままで開き方向に留め具を移動させている残りの片方の手で、さらに、留め具を設けてある側の袋体の端部を掴む、あるいは、紐留め具の移動および袋の縁の移動という２段階の動作を行う必要がなく、作業の手間を低減することができる、という効果が生じる。（効果１−２）また、フック部材が雌部材に一体的に設けてあるので、重複する部分の容積の減少に伴って、材料費、加工費等の低減が可能であり、また、同時に容積の減少に伴って小型化できる、という効果が生じる。（効果１−３）また、第１フック部の先端側と、第２フック部の先端側とが、常時は当接しているので、フック部材から挿通片が脱落してしまう恐れが少なくなる、という効果が生じる。（効果２−１）また、第１フック部もしくは第２フック部の弾性変形により、第１フック部の先端側と第２フック部の先端側とが離れるフック部材を有しているので、挿通片を挿入しやすく、また、復元力により戻るので、フック部材から挿通片が脱落してしまう恐れが少なくなる、という効果が生じる。（効果１−５）（効果７−２）第１フック部の先端側と、第２フック部の先端側とが、重なるように配置されているので、フック部材から挿通片が脱落してしまう恐れが少なくなる、という効果が生じる。（効果１−９）第１フック部の先端側と、第２フック部の先端側とが、第２フック部の傾動により離れるので、挿通片を挿入しやすく、また、復元力により戻るので、フック部材から挿通片が脱落してしまう恐れが少なくなる、という効果が生じる。（効果１−６）係止爪と係止部を係止させることにより、フック部材に挿通した挿通片の脱落防止を向上させる、という効果が生じる。（効果９−１）（効果１−８）第１フック部の先端側と、第２フック部の先端側とが、離されて配置されたフック部材を有しているので、成型時の加工が容易で、また、フック部材に挿通片が挿通される場合に挿通されやすい、という効果が生じる。（効果１２−１）また、同時に、第１フック部の先端側と、第２フック部の先端側とが、すれ違うように配置されたフック部材を有しているので、フック部材から挿通片が脱落してしまう恐れが少なくなる、という効果が生じる。（効果１２−２）フック部材の基部側、あるいは、第１フック部もしくは第２フック部の先端側が雌部材に埋設されているので、材料費が低減し、小型化できる、という効果が生じる。（効果６−１）（効果３−１）（効果１５−１）
（７）本発明の請求項７記載の発明によれば、組立加工作業にて、作業の手間を軽減でき、加工コストの少ない留め具を提供することができる、という効果が生じる。（効果１−１）また、袋体の開口縁部を開口する際に、留め具を掴みながら雄部材の頭部を指で押圧したままで開き方向に留め具を移動させている残りの片方の手で、さらに、留め具を設けてある側の袋体の端部を掴む、あるいは、紐留め具の移動および袋の縁の移動という２段階の動作を行う必要がなく、作業の手間を低減することができる、という効果が生じる。（効果１−２）また、フック部材が雌部材に一体的に設けてあるので、重複する部分の容積の減少に伴って、材料費、加工費等の低減が可能であり、また、同時に容積の減少に伴って小型化できる、という効果が生じる。（効果１−３）また、第１フック部の先端側と、第２フック部の先端側とが、常時は当接しているので、フック部材から挿通片が脱落してしまう恐れが少なくなる、という効果が生じる。（効果２−１）また、第１フック部もしくは第２フック部の弾性変形により、第１フック部の先端側と第２フック部の先端側とが離れるフック部材を有しているので、挿通片を挿入しやすく、また、復元力により戻るので、フック部材から挿通片が脱落してしまう恐れが少なくなる、という効果が生じる。（効果１−５）（効果７−２）第１フック部の先端側と、第２フック部の先端側とが、重なるように配置されているので、フック部材から挿通片が脱落してしまう恐れが少なくなる、という効果が生じる。（効果１−９）第１フック部の先端側と、第２フック部の先端側とが、第２フック部の傾動により離れるので、挿通片を挿入しやすく、また、復元力により戻るので、フック部材から挿通片が脱落してしまう恐れが少なくなる、という効果が生じる。（効果１−６）係止爪と係止部を係止させることにより、フック部材に挿通した挿通片の脱落防止を向上させる、という効果が生じる。（効果９−１）（効果１−８）第１フック部の先端側と、第２フック部の先端側とが、離されて配置されたフック部材を有しているので、成型時の加工が容易で、また、フック部材に挿通片が挿通される場合に挿通されやすい、という効果が生じる。（効果１２−１）また、同時に、第１フック部の先端側と、第２フック部の先端側とが、すれ違うように配置されたフック部材を有しているので、フック部材から挿通片が脱落してしまう恐れが少なくなる、という効果が生じる。（効果１２−２）フック部材の基部側、あるいは、第１フック部もしくは第２フック部の先端側が雌部材に埋設されているので、材料費が低減し、小型化できる、という効果が生じる。（効果６−１）（効果３−１）（効果１５−１）
（８）本発明の請求項８記載の発明によれば、組立加工作業にて、作業の手間を軽減でき、加工コストの少ない留め具を提供することができる、という効果が生じる。（効果１−１）また、袋体の開口縁部を開口する際に、留め具を掴みながら雄部材の頭部を指で押圧したままで開き方向に留め具を移動させている残りの片方の手で、さらに、留め具を設けてある側の袋体の端部を掴む、あるいは、紐留め具の移動および袋の縁の移動という２段階の動作を行う必要がなく、作業の手間を低減することができる、という効果が生じる。（効果１−２）また、フック部材が雌部材に一体的に設けてあるので、重複する部分の容積の減少に伴って、材料費、加工費等の低減が可能であり、また、同時に容積の減少に伴って小型化できる、という効果が生じる。（効果１−３）また、第１フック部の先端側と、第２フック部の先端側とが、常時は当接しているので、フック部材から挿通片が脱落してしまう恐れが少なくなる、という効果が生じる。（効果２−１）また、第１フック部もしくは第２フック部の弾性変形により、第１フック部の先端側と第２フック部の先端側とが離れるフック部材を有しているので、挿通片を挿入しやすく、また、復元力により戻るので、フック部材から挿通片が脱落してしまう恐れが少なくなる、という効果が生じる。（効果１−５）（効果７−２）第１フック部の先端側と、第２フック部の先端側とが、重なるように配置されているので、フック部材から挿通片が脱落してしまう恐れが少なくなる、という効果が生じる。（効果１−９）第１フック部の先端側と、第２フック部の先端側とが、第２フック部の傾動により離れるので、挿通片を挿入しやすく、また、復元力により戻るので、フック部材から挿通片が脱落してしまう恐れが少なくなる、という効果が生じる。（効果１−６）係止爪と係止部を係止させることにより、フック部材に挿通した挿通片の脱落防止を向上させる、という効果が生じる。（効果９−１）（効果１−８）第１フック部の先端側と、第２フック部の先端側とが、離されて配置されたフック部材を有しているので、成型時の加工が容易で、また、フック部材に挿通片が挿通される場合に挿通されやすい、という効果が生じる。（効果１２−１）また、同時に、第１フック部の先端側と、第２フック部の先端側とが、すれ違うように配置されたフック部材を有しているので、フック部材から挿通片が脱落してしまう恐れが少なくなる、という効果が生じる。（効果１２−２）フック部材の基部側、あるいは、第１フック部もしくは第２フック部の先端側が雌部材に埋設されているので、材料費が低減し、小型化できる、という効果が生じる。（効果６−１）（効果３−１）（効果１５−１）
【発明を実施するための最良の形態】
【００１３】
以下に、添付図面に基づいて本発明の実施の形態について詳細に説明するが、本発明の範囲は、以下に説明される実施の形態に限定されるものではない。なお、一部の効果については、前記（発明が解決しようとする課題）の項で記載した各課題に対応するかたちで記載してある。各課題に付した番号に対応した番号を記載してある。例えば、（発明が解決しようとする課題）の項の（課題１−１）に対応する効果は（効果１−１）というようにしてある。また、例えば、（効果１−１）の初めの数字「１」は実施例１を、後の数字は連番を表現している。
【００１４】
本発明の一実施形態である、各実施例について記す。図について、一部、説明する。図は、すべて概略図としてある。なお、図によっては、見えない箇所を必要に応じて点線で表示してあるものもある。図４は、実施例１である、留め具（１）の説明図であり、雌部材（４）の図で、面（Ａ１）（Ａ２）〜（Ｄ１）（Ｄ２）の位置関係等を表した図である。図８は、図４の切断面（Ｂ１）（Ｂ２）にて矢印のある図中左方向から見た断面図としてあり、図１０は、図４の切断面（Ｄ１）（Ｄ２）にて矢印のある上の方向から見た断面図としてあり、図１１は、図４の面（Ｃ１）（Ｃ２）にて矢印のある上の方向から見た図としてあり、図１２は、図４の面（Ａ１）（Ａ２）にて矢印のある図中左方向から見た側面図としてある。また、図９は、図８にて、フック部材の一部を動作させた動作断面図としてある。また、図６の雌部材（４）は、図１１の切断面（Ｅ１）（Ｅ２）にて、矢印の方向から見た断面図としてある。また、図５は、図６の分解図としてある。なお、図５〜６にて、雄部材（２）は、雌部材（４）と同様に、切断面にて、矢印の方向から見た断面図としてあるが、付勢部材（５）のみ正面図として描いてある。また、図６は、雄部材の頭部を押圧して、雄部材の押し込み位置にある状態を描いた図としてある。また、他の実施例にて、同様に、図１４は、実施例２の正面図である図１３にて、同様に、図１６は、実施例３の正面図である図１５にて、また、図１８は、実施例４の正面図である図１７にて、図１２と同様の方向から見た側面図としてある。また、図１９は、実施例４の正面図である図１７にて、図１１と同様の上の方向から見た図としてあり、同様に、図２０は、実施例５の正面図である図２１にて、図１１と同様の上の方向から見た図としてある。また、図２５は、実施例８の断面図である図２４にて、図１２と同様の方向から見た側面図としてある。また、図２７は、実施例１１の側面図としてある。また、図２８は、実施例１１の正面の断面図であり、雌部材の図で、面（Ａ３）（Ａ４）および（Ｃ３）（Ｃ４）の位置関係を表した図である。つまり、図２７は、面（Ａ３）（Ａ４）にて矢印のある図中左側方向から見た側面図としてあり、また、図２８は、図２７の雌部材の切断面（Ｆ１）（Ｆ２）にて、矢印のある図中右方向から見た断面図としてある。また、図２９は、図２８にて、フック部材の一部を動作させた動作断面図としてある。また、図３０は、面（Ｃ３）（Ｃ４）にて矢印のある上の方向から見た図としてある。また、他の実施例にて、同様に、図４２は、実施例１２の正面図である図４１にて、同様に、図４４は、実施例１３の正面図である図４３にて、また、図４６は、実施例１４の正面図である図４５にて、同様に、図６０は、実施例１９の正面図である図５９にて、同様に、図６２は、実施例２０の正面図である図６１にて、図１２と同様の方向から見た側面図としてある。また、図５１は、実施例１６の正面図である図５０にて、雄部材を設けて、反対の方向から見た断面図としてある。また、図５２は、図５１にて、雄部材の頭部を押圧して、雄部材の押し込み位置にある状態を描いた図としてある。また、図５５は、実施例１７の正面図である図５４にて、雄部材を設けて、図１２と同様の方向から見た側面図としてある。また、図５６は、図５５にて、雄部材の頭部を押圧して、雄部材の押し込み位置にある状態を描いた図としてある。また、図５８は、図５７にて、雄部材の頭部を押圧して、雄部材の押し込み位置にある状態を描いた図としてある。
【００１５】
次に、当該明細書にて、記載の用語の意味等について補完する。「係合」「係止」について記す。「係合」「係止」という用語は広辞苑には記載されていない。特許技術用語集第２版（日刊工業新聞社）には記載がある。「係合」は、係わり合うこと。（例）左右の歯車が係合し、回転が伝達される。受け具と可動突起が係合してドアが閉鎖される。「係止」は、係わり合って止まること。（例）移動板をストッパで係止する。歯車と係止爪が係合し回転が係止される。と記載されている。以上から、どちらかといえば、「係合」は過程、手段、「係止」は過程、手段および結果を表現するものであって、大きな差異はない。当該出願の文言にて、係止を係合と代えて記してもよい。
【００１６】
次に、実施例１である、留め具（１）について記す。実施例１である、留め具（１）は、図１〜１２、３２〜３４にて、次のようにしてある。図５、６にて、雄部材（２）が設けられている。筒状（３）の雌部材（４）が設けられている。該雌部材（４）の筒軸方向（矢印Ｚ）に沿って移動可能に雌部材（４）内に雄部材（２）を入れ込ませて、該雌部材（４）内から雄部材（２）を突き出させる向き（矢印Ｔ）に付勢する付勢部材（５）が設けられている。該筒軸方向（矢印Ｚ）に交叉する向き（矢印Ｋ）に雄部材（２）と雌部材（４）とに通し孔（６）（７Ａ）（７Ｂ）が設けられている。図１、３、５、６にて、該付勢部材（５）の付勢に抗した雄部材（２）の押し込み位置（８）にて、連通し合う雄部材（２）の通し孔（６）と雌部材（４）の通し孔（７Ａ）（７Ｂ）とに、紐状体（９）が挿通される。該付勢部材（５）の付勢により、雄部材（２）の押し込みを解くことで、紐状体（９）に留め付けられる留め具（１）としてある。
【００１７】
雄部材（２）は、ピストン状に設けたピストン状部（３７）としてあり、頭部（３６）と、雌部材（４）に移動可能に差し入れられる差し入れ部（３９）とを有してある。プラグとしてある。雄部材（２）の底に、付勢部材（５）を案内して支持する付勢部材支持部（２８Ａ）を設けている。雌部材（４）は、一方の筒端を開放させると共に他方の筒端を閉塞させた有底の筒状（３）本体を有し、シリンダー状に設けたシリンダー状部（３８）としてある。ソケットとしてある。中空になっている。雌部材（４）の底に、付勢部材（５）を案内して支持する付勢部材支持部（２８Ｂ）を設けている。雄部材（２）は、雌部材（４）の筒状（３）本体の開放側から筒状（３）本体に向かって、雌部材（４）内に入れ込ませてある。シリンダー状部（３８）内でピストン状部（３７）がしゅう動可能に上下動する。通し孔（６）（７Ａ）（７Ｂ）は、紐の通し孔であり、紐を差し込み可能な差込孔、貫通穴、透穴としてある。通し孔（７Ａ）（７Ｂ）は一対である。通し孔（６）と通し孔（７Ａ）（７Ｂ）とは、略同形大としてある。通し孔（６）は、雄部材（２）のピストン状部（３７）の中間部に配してある。通し孔（７Ａ）（７Ｂ）は、雌部材（４）のシリンダー状部（３８）の側壁である側部に、つまり、筒軸方向（矢印Ｚ）に直交する向きにある向き合った側部に設けてある。通し孔（７Ａ）（７Ｂ）は、中空（４０）筒状（３）のケースに、外周を中空（４０）を挟んで相対向して貫通して、筒側の対向位置に設けてある。通し孔（６）と通し孔（７Ａ）（７Ｂ）とは、雄部材（２）のピストン状部（３７）と雌部材（４）のシリンダー状部（３８）にて、互いに対向する面に、つまり、対面して、貫通するように水平に配してある。通し孔（６）（７Ａ）（７Ｂ）は、雄部材（２）と雌部材（４）との双方の共通軸心である筒軸に対し、つまり、雄部材（２）への抜き差し方向、移動方向に対し、略直交向きに、透設してある。または、筒軸に対し、偏心等して配してもよい。付勢部材（５）は、筒状（３）本体の閉塞底部に付勢部材（５）の下端を突き当てて雄部材（２）を筒状（３）本体から突き出させる向きに、つまり、雌部材（４）の開放された筒一端から雄部材（２）の頭部（３６）を突出する方向に、雌部材（４）に差し入れられた雄部材（２）を雌部材（４）内から抜き出させる向きに設けてある。付勢部材（５）は、ピストン状部（３７）をシリンダー状部（３８）内で押圧支持するばねで、雄部材（２）を常時付勢している。雄部材（２）を雌部材（４）に対し、付勢部材（５）の付勢に抗して少なくとも所定位置である押し込み位置（８）まで押し込み可能に組み合わせてある。押し込み位置（８）である差し入れ位置で、通し孔（６）（７Ａ）（７Ｂ）は、紐の通し入れ、又は、引き抜き可能に、つまり、紐の通し抜けを可能に連通する。つまり、雄部材（２）を雌部材（４）のケースの中空（４０）に押し込んだ状態では、ケースの両通し孔（６）（７Ａ）（７Ｂ）は一連に連通する。差し通された紐を、通し孔（６）の穴縁部と通し孔（７Ａ）（７Ｂ）の穴縁部とで付勢手段の付勢により挟み付けて、紐状体（９）に留め付く、留め付け力を作用させる留め具（１）としてある。つまり、ばねの付勢力により、雄部材（２）が雌部材（４）のケースの開放他端部から突出した状態では、ケースの両通し孔（６）（７Ａ）（７Ｂ）とずれ、ケースの両通し孔（６）（７Ａ）（７Ｂ）から通した紐を拘束する。また、雄部材（２）の通し孔（６）の下部に、突状の顎部（４６Ａ）（４６Ｂ）を配置してある。筒軸方向（矢印Ｚ）に沿って雌部材（４）内を移動する雄部材（２）は、付勢部材（５）によって突き出させる向き（矢印Ｔ）に移動するが、通し孔（７Ａ）（７Ｂ）の上端に顎部（４６Ａ）（４６Ｂ）が接触して係合すると、移動を停止させる。通し孔（７Ａ）（７Ｂ）の上端と対応する位置に顎部（４６Ａ）（４６Ｂ）を配置してある。ストッパーとして機能している。よって、雄部材（２）は雌部材（４）内から抜け出すことはない。
【００１８】
図７〜１２にて、基部（１０）が設けられている。該基部（１０）の一端部（１１）から折返し状（１２）に延びた第１フック部（１３）が設けられている。該基部（１０）の他端部（１４）から第１フック部（１３）に向けて折返し状（１５）に延びた第２フック部（１６）が設けられている。該第１フック部（１３）と第２フック部（１６）とで形成されるフック部材（１９）が雌部材（４）に一体的に設けられている。
【００１９】
第１フック部（１３）と第２フック部（１６）とで形成されるフック部材（１９）が雌部材（４）の筒状（３）の外面（２０）に設けてある。断面略Ｕ字状（２５）の湾曲部（２６Ａ）（２６Ｂ）を両端（２７Ａ）（２７Ｂ）に有するフック部材（１９）としてある。第１フック部（１３）の先端（１７）側と、第２フック部（１６）の先端（１８）側とを向き合うように略平行に配置してある。通し孔（７Ａ）近傍の雌部材（４）の外面（２０）に、第１フック部（１３）の先端（１７）側が一体的に設けられている。第２フック部（１６）の先端（１８）側が、雌部材（４）の通し孔（７Ａ）近傍に雌部材（４）の筒状（３）の外面（２０）から隙間を設けて離して配置されている。第１フック部（１３）の先端（１７）側と、第２フック部（１６）の先端（１８）側とに比べて、筒状（３）本体に対して、基部（１０）側が外側になるように配してある。また、折返し状（１２）の第１フック部（１３）、折返し状（１５）の第２フック部（１６）、基部（１０）にてリング状に形成してある。フック部材（１９）の真ん中は孔（４３）状に形成してある。折返し状（１２）の第１フック部（１３）、折返し状（１５）の第２フック部（１６）、基部（１０）に囲まれるようにして貫通する孔（４３）を設けてある。その孔（４３）の貫通する方向（矢印Ｎ）と、雄部材（２）の通し孔（６）と雌部材（４）の通し孔（７Ａ）（７Ｂ）との該連通し合う方向（矢印Ｋ）とが、直角に近い角度になるように設けられている。フック部材（１９）の長手方向と雌部材（４）の長手方向とが平行するように設けてある。
【００２０】
フック部材（１９）が雌部材（４）に一体的に設けてあるので、フック部材（１９）と雌部材（４）との重複する部分の容積の減少に伴って、材料費、加工費等の低減が可能であり、また、同時に容積の減少に伴って小型化できる、という効果が生じる。（効果１−３）
【００２１】
前記第１フック部（１３）の先端（１７）側と、前記第２フック部（１６）の先端（１８）側とが、重なるように配置されている。
【００２２】
第１フック部（１３）の先端（１７）側と、第２フック部（１６）の先端（１８）側とを、互い違いに配置してある。
【００２３】
図８、９にて、前記第１フック部（１３）の内面（２１）に臨むように前記第２フック部（１６）の先端（１８）が配置されている。
【００２４】
第１フック部（１３）の内面（２１）に臨むように第２フック部（１６）の自由端先端（１８）を配してある。
【００２５】
図８、９にて、前記第１フック部（１３）に係止爪（２３）が設けられている。該係止爪（２３）を係止させる係止部（２４）が前記第２フック部（１６）に設けられている。
【００２６】
第１フック部（１３）の先端（１７）側に係止爪（２３）を設け、第２フック部（１６）の先端（１８）側に係止部（２４）を設けている。凸部である係止爪（２３）を第１フック部（１３）に設けている。矢じり状の係止爪（２３）の先端は紡錘形状としてある。円形状の穴としてある係止部（２４）を第２フック部（１６）に設けている。係止爪（２３）と係止部（２４）とは嵌合する。係合するようにしてある。
【００２７】
また、図１〜３にて、留め具（１）付き巾着袋（３３）は、次のようにしてある。開口縁部（２９）に紐状体挿通部（３０）が形成されている袋体（３１）と、該紐状体挿通部（３０）に挿通されている紐状体（９）と、該紐状体挿通部（３０）から出ている紐状体（９）に装着されて袋体（３１）の開口縁部（２９）を絞った状態に維持するための留め具（１）と、該留め具（１）のフック部材（１９）に挿通して袋体（３１）に設けられた挿通片（３２）と、が備えられている。
【００２８】
また、次のように記すこともできる。紐状体（９）の留め付け構造（３５）は、該留め具（１）と、該留め具（１）の使用対象物（３４）に備えて該留め具（１）の留め付けられる紐状体（９）と、該留め具（１）のフック部材（１９）に挿通して使用対象物（３４）に設けられた挿通片（３２）と、が備えられている。
【００２９】
袋体（３１）である使用対象物（３４）と、留め具（１）と、の位置づけ手段として、挿通片（３２）が形成されている。位置づけ手段は、使用対象物（３４）の側部に形成された、使用対象物（３４）に備えられる口出し部、あるいは、通し部、あるいは、取付部としてある。使用対象物（３４）は袋体（３１）としてあるが、例えば、衣類、手袋等でもよい。フック部材（１９）に挿通してある挿通片（３２）は袋体（３１）に糸で縫合している。
【００３０】
次に、フック部材（１９）の作用について、一部、説明する。図５〜８、１０〜１２にて、該第１フック部（１３）の先端（１７）側と、第２フック部（１６）の先端（１８）側とが、常時は当接している。図９にて、該第２フック部（１６）の弾性変形により、該第１フック部（１３）の先端（１７）側と、第２フック部（１６）の先端（１８）側とが、離れるフック部材（１９）を有している。
【００３１】
図９にて、該第１フック部（１３）の先端（１７）側と、該第２フック部（１６）の先端（１８）側とが、該第２フック部（１６）の傾動により離れる。
【００３２】
つまり、第１フック部（１３）の先端（１７）側と第２フック部（１６）の先端（１８）側とにより、開口部が形成されている。第１フック部（１３）の先端（１７）側と第２フック部（１６）の先端（１８）側とが、筒状（３）本体に対して、基部（１０）側に比べて、内側になるように配してある。つまり、筒状（３）本体に対して、基部（１０）側に比べて、開口部が内側になるように配してある。雌部材（４）の通し孔（７Ａ）近傍に開口部が配してある。
【００３３】
また、次に、袋体（３１）、挿通片（３２）について説明する。袋体（３１）、挿通片（３２）は、合成樹脂フィルムからなる材質として、ポリエチレン、ポリプロピレン、エチレンープロピレン共重合体、ポリエステル、ポリ塩化ビニリデン、エチレン酢酸ビニル共重合体、ポリ塩化ビニル、ポリスチレン等のフィルム、または、これらの混合物からなるフィルム、積層体などで構成される。あるいは、合成樹脂または天然の繊維、織布、不織布等でもよく、特に限定するものではない。また、紐状体（９）は、合成樹脂の単繊維または天然繊維等の撚り糸など、あるいは、ゴム素材でも可能である。また、袋体（３１）の形状は、使用可能であれば特に限定するものではない。また、開口縁部（２９）に紐状体挿通部（３０）が形成されているが、紐状体挿通部（３０）は開口縁部（２９）に接している必要はなく、開口縁部（２９）から離間した部分に紐状体挿通部（３０）が設けられてもよい。当該明細書に記載の「開口縁部」とは、このように開口縁部から離間した部分をも包含する概念を表している。また、紐状体挿通部（３０）は、開口縁部（２９）の全周にわたって連続的に設けられているが、断続的に設けられてもよい。また、紐状体挿通部（３０）は、袋体（３１）の上端部を折り返し、折り返し部分の先端を袋体（３１）に熱融着等によって接合して形成してあるが、別の帯状部材を開口縁部（２９）に接合したり、開口縁部（２９）自体に穴をあけて形成してもよい。また、紐状体（９）の材質としては、合成樹脂の単繊維または天然繊維等の撚り糸などだけに特に限定するものではない。紐状体（９）は、紐状体挿通部（３０）に挿通されて、端部を結ぶことにより輪状、環状としてある。
【００３４】
また、留め具（１）は、合成樹脂材料等の成型体からなり、合成樹脂などを主とするが、材質としては、例えば、ＰＡ（ポリアミド）、ＰＢＴ（ポリブチレンテレフタレート）、ＰＯＭ（ポリアセタール）（ポリオキシメチレン）、ポリプロピレンなどの熱可塑性樹脂を用いる。硬質系の合成樹脂、軟質系の合成樹脂等、あるいは、この限りではなく、適宜、他の材料を選択してもよい。成形加工した留め具（１）は、第１フック部（１３）の係止爪（２３）と、第２フック部（１６）の係止部（２４）とを、係止していない状態で、当接したままで製品としてユーザーに納品する。次に、袋体（３１）と留め具（１）とを接続する組立工程について説明する。開口縁部（２９）の紐状体挿通部（３０）に紐状体（９）を挿通した袋体（３１）がユーザー側にて用意されている。この袋体（３１）と、納品した留め具（１）にて、雄部材（２）の頭部を移動方向（Ｌ）に指で押圧して、付勢部材（５）の付勢に抗した雄部材（２）の押し込み位置（８）にて、連通し合う雄部材（２）の通し孔（６）と雌部材（４）の通し孔（７Ａ）（７Ｂ）とに、紐状体（９）を挿入して、紐状体（９）の先端同士を結ぶ。次に、係止していない当接したままの、第１フック部（１３）の先端（１７）側と第２フック部（１６）の先端（１８）側にて、第２フック部（１６）の先端（１８）側を開き方向（矢印Ｕ）に弾性変形して傾動させて、先端（１７）側に対して先端（１８）側を開いて隙間を発生せる。先端（１８）側を開き方向（矢印Ｕ）に傾動させる場合、先端（１８）側を指で押圧して傾動させる。なお、この場合、雌部材（４）の筒状（３）の外面（２０）またはフック部材（１９）に指が接触することがない。孔（４３）の貫通する方向（矢印Ｎ）と通し孔（６）（７Ａ）（７Ｂ）との該連通し合う方向（矢印Ｋ）とが、直角に近い角度になるよう、また、フック部材（１９）の長手方向と雌部材（４）の長手方向とが平行するように設けてあり、先端（１８）側を開き方向（矢印Ｕ）に傾動させる場合、障害となるものが何もなく、指が接触することがない。接触することがないので、容易に指で押圧でき、ラジオペンチ等の工具を使用する必要が特になく、作業の手間が軽減できる、という効果が生じる（効果１−４セナ）。先端（１８）側を押圧して傾動させる場合の支点は、雌部材（４）の外面（２０）側の湾曲部（２６Ｂ）の端としてある。ただし、支点の位置は、この限りではなく、特に図示しないが、例えば、湾曲部（２６Ｂ）の中央でもよく、基部（１０）の他端部（１４）近傍でもよい。先端（１８）側を開いて生じた隙間から、第２フック部（１６）の先端（１８）側に挿通片（３２）を挿入し、挿通する。挿通後、弾性変形した第２フック部（１６）の先端（１８）側を指から離すと、先端（１７）側に対して先端（１８）側は復元力により戻って当接し、元の状態になる。つまり、第２フック部（１６）の弾性変形により、第１フック部（１３）の先端（１７）側と、第２フック部（１６）の先端（１８）側とが、離れるフック部材（１９）を有しているので、挿通片（３２）を挿入しやすく、また、復元力により戻るので、フック部材（１９）から挿通片（３２）が脱落してしまう恐れが少なくなる、という効果が生じる（効果１−５）。同様に、次のようにも記載できる。第１フック部（１３）の先端（１７）側と、第２フック部（１６）の先端（１８）側とが、第２フック部（１６）の傾動により離れるので、挿通片（３２）を挿入しやすく、また、復元力により戻るので、フック部材（１９）から挿通片（３２）が脱落してしまう恐れが少なくなる、という効果が生じる（効果１−６）。次に、当接している先端（１７）側と先端（１８）側にて、先端（１７）側の係止爪（２３）と先端（１８）側の係止部（２４）を指で押圧して、係合し、係止させる。また、この場合、同様に、雌部材（４）の筒状（３）の外面（２０）またはフック部材（１９）に指が接触することがない。接触することがないので、容易に指で押圧でき、ラジオペンチ等の工具を使用する必要が特になく、作業の手間が軽減できる、という効果が生じる（効果１−７セナ）。また、係止爪（２３）と係止部（２４）を係止させることにより、フック部材（１９）に挿通した挿通片（３２）の脱落防止を向上させる、という効果が生じる（効果１−８）。また、次のような効果もある。第１フック部（１３）の先端（１７）側と、第２フック部（１６）の先端（１８）側とが、重なるように配置されているので、フック部材（１９）から挿通片（３２）が脱落してしまう恐れが少なくなる、という効果が生じる（効果１−９）。
【００３５】
また、次に、図３２〜３３にて、挿通片（３２）を袋体（３１）に設ける工程について一部記す。加工前の挿通片（３２Ａ）を長手方向にて湾曲（矢印ＧＡ）させて（３２Ｂ）、袋体（３１）に取付けてある。取付けは、縫合としてあるが、接着等でもよい。また、同様に、図３４にて、袋体（３１）に切り込み（４４Ａ）（４４Ｂ）を入れて、そのまま、挿通片（３２Ｃ）として設けてもよい。この場合、縫合、接着、熱融着等の加工作業が省略可能なので手間を軽減できる、という効果が生じる（効果１−１０セナ）。
【００３６】
次に、使用方法等について説明する。図１にて、留め具（１）は、袋体（３１）の開口縁部（２９）を絞った状態に維持してある。この状態から、図２にて、留め具（１）を設けていない側の袋体（３１）の端部（２２）を片方の手で掴み、残りの片方の手で留め具（１）を掴みながら雄部材（２）の頭部（３６）を指で押圧したまま、開き方向（矢印Ｏ）に留め具（１）を移動させると、フック部材（１９）に挿通された挿通片（３２）が引っ張られて、同時に、付勢部材（５）の付勢に抗した雄部材（２）の押し込み位置（８）にて、連通し合う雄部材（２）の通し孔（６）と雌部材（４）の通し孔（７Ａ）（７Ｂ）とから、紐状体（９）が抜き出て、これによって、開口縁部（２９）は開口する。次に、特に図示しないが、従来の留め具の使用方法について説明する。留め具（１）と同様に、袋体の開口縁部を絞った状態に維持してある留め具にて、留め具を設けていない側の袋体の端部を片方の手で掴み、残りの片方の手で留め具を掴みながら雄部材の頭部を指で押圧したまま、開き方向に留め具を移動させる。この際、付勢部材の付勢に抗した雄部材の押し込み位置にて、連通し合う雄部材の通し孔と雌部材の通し孔とから、紐状体が抜き出るだけなので、袋体の開口縁部は、まだ開口していない。袋体の開口縁部を開口するには、さらに、留め具を設けてある側の袋体の端部を手で掴んで引っ張らなければならない、という２段階の動作が必要であり、手間を要する。あるいは、この際、別の方法として、袋体の開口縁部を開口するには、留め具を掴みながら雄部材の頭部を指で押圧したままで開き方向に留め具を移動させている手で、同時に、留め具を設けてある側の袋体の端部を掴んで引っ張らなければならない、という手段をとる必要がある。つまり、従来の留め具に比べると、留め具（１）は、袋体の開口縁部を開口する際に、留め具を掴みながら雄部材の頭部を指で押圧したままで開き方向に留め具を移動させたあと、さらに、留め具を設けてある側の袋体の端部を手で掴んで引っ張らなければならない、あるいは、留め具を掴みながら雄部材の頭部を指で押圧したままで開き方向に留め具を移動させている残りの片方の手で、同時に、留め具を設けてある側の袋体の端部を掴んで引っ張らなければならない、という手段をとる必要がない。よって、作業の手間を低減することができる、という効果が生じる（効果１−２）。また、図３、４にて、基部（１０）の厚さＨに対して、挿通片（３２）の内寸Ｓは僅かに大きくしてあるが、同程度としてある。フック部材（１９）の基部（１０）の厚さＨと挿通片（３２）の内寸Ｓとの差を出来るだけ少なくすることにより、袋体（３１）と留め具（１）との接続の密着度合が高まり、開き方向に留め具を移動する際に、袋体（３１）と留め具（１）との連動性が向上する。連動性が向上するので、移動する際にロスが発生しにくくなる、という効果が生じる（効果１−１１セナ）。
【００３７】
次に、発明が解決しようとする課題、で記した、あるいは、先に記した実施例１（特開平８−８９３１６）の課題と効果と、一部重複するが以下に記載する。第１の課題を記す。特許文献１の紐止め具（紐留め具）は、走ったり、その他激しい運動を行うと紐止めが顔に当たったり、周囲に藪、電柱、木立その他の物がある場合には引っかかったりする問題を解消するため、鋲又は糸により取り付け孔を介して取り付け板を衣類に固定してなる構成にしてある。よって、紐止め具を衣類に固定するためには、鋲による場合は、鋲を打ち込んだり、かしめたりする道具または装置が、糸による場合は、縫着する道具または装置が必要になる。つまり、紐止め具を使用する物品の製造者などのユーザーが、衣類、または、紐止め具を使用する物品を紐止め具に固定する組立加工作業にて、手間を要し、加工コストが高くなってしまうという問題がある（課題１−１）。しかし、先に記したように、実施例１では、次のようにしてある。袋体（３１）と留め具（１）とを接続する組立工程にて、係止していない当接したままの、第１フック部（１３）の先端（１７）側と第２フック部（１６）の先端（１８）側にて、第２フック部（１６）の先端（１８）側を開き方向（矢印Ｕ）に指で押圧して弾性変形して傾動させて、開いて隙間を発生せる。隙間から、挿通片（３２）を挿入し、挿通する。挿通後、弾性変形した第２フック部（１６）の先端（１８）側を指から離して、当接したあと、先端（１７）側の係止爪（２３）と先端（１８）側の係止部（２４）を指で押圧して、係合し、係止させる。よって、前記問題を解消し、組立加工作業にて、作業の手間を軽減でき、加工コストの少ない留め具を提供することができる、という効果が生じる（効果１−１）。次に、第２の課題を記す。一般に、紐付きの巾着袋にて、特許文献２（特開２００１−７００１２）のような紐留め具を具備したものが市販されている。閉じていた袋の口を開く場合には、紐への留め付けをしていた紐留め具のロック体の頭部を押圧して押し込むことにより、ロック体の紐の通し穴と筒状本体の紐の通し穴とに紐を差し通し抜けさせ、紐留め具を移動させる。しかし、移動するのは紐留め具のみであるため、閉じていた袋の口を開くには、次に、袋の縁を手等で掴んで袋の口を開く方向へ拡げる必要がある。つまり、閉じていた袋の口を開くには、紐留め具の移動および袋の縁の移動という２段階の動作を行う必要があり、手間を要するという問題がある。（課題１−２）。あるいは、この際、別の方法として、閉じていた袋の口を開くには、紐留め具のロック体の頭部を押圧して押し込んだまま紐留め具を掴みながら開き方向に紐留め具を移動させている手で、同時に、紐留め具を設けてある側の袋の縁を掴んで袋の口を開く方向へ拡げる必要がある。同様に、手間を要するという問題がある。（課題１−２）。しかし、先に記したように、実施例１では、次のようにしてある。袋体（３１）の開口縁部（２９）を絞った状態に維持してある留め具（１）にて、留め具（１）を設けていない側の袋体（３１）の端部（２２）を片方の手で掴み、残りの片方の手で留め具（１）を掴みながら雄部材（２）の頭部を指で押圧したまま、開き方向（矢印Ｏ）に留め具（１）を移動させると、フック部材（１９）に挿通された挿通片（３２）が引っ張られて、同時に、付勢部材（５）の付勢に抗した雄部材（２）の押し込み位置（８）にて、連通し合う雄部材（２）の通し孔（６Ａ）（６Ｂ）と雌部材（４）の通し孔（７Ａ）（７Ｂ）とから、紐状体（９）が抜き出て、これによって、開口縁部（２９）は開口する。つまり、従来の留め具に比べると、留め具（１）は、袋体の開口縁部を開口する際に、紐留め具の移動および袋の縁の移動という２段階の動作を行う必要がない、あるいは、留め具を掴みながら雄部材の頭部を指で押圧したままで開き方向に留め具を移動させている残りの片方の手で、さらに、留め具を設けてある側の袋体の端部を掴む必要がない。よって、作業の手間を低減することができる、という効果が生じる（効果１−２）。以上のような顕著な効果を本発明は達成する。本発明を当業者が容易になし得るものではないと確信する。
【００３８】
次に、実施例２である、留め具（１ａ）について記す。なお、実施例２〜実施例１５、実施例１９〜実施例２１の雄部材は、実施例１である、留め具（１）の雄部材（２）と同一にしてある。また、特に図示しないが、実施例２〜実施例１５、実施例１９〜実施例２１の付勢部材は、実施例１である、留め具（１）の付勢部材（５）と同一か、または、同様にしてある。各実施例の雌部材の長手方向の長さに合わせてあるので、各実施例の付勢部材の全長毎に少し差異が生じている。少し差異が生じているが、実施例２〜実施例１５、実施例１９〜実施例２１では、付勢部材（５）と記してある。
【００３９】
実施例２である、留め具（１ａ）は、雄部材（２）が設けられている。図１３、１４にて、筒状（３ａ）の雌部材（４ａ）が設けられている。該雌部材（４ａ）の筒軸方向（矢印Ｚ）に沿って移動可能に雌部材（４ａ）内に雄部材（２）を入れ込ませて、該雌部材（４ａ）内から雄部材（２）を突き出させる向き（矢印Ｔ）に付勢する付勢部材（５）が設けられている。該筒軸方向（矢印Ｚ）に交叉する向き（矢印Ｋ）に雄部材（２）と雌部材（４ａ）とに通し孔（６）（７Ａａ）（７Ｂａ）が設けられている。特に図示しないが、実施例１と同様に、該付勢部材（５）の付勢に抗した雄部材（２）の押し込み位置にて、連通し合う雄部材（２）の通し孔（６）と雌部材（４ａ）の通し孔（７Ａａ）（７Ｂａ）とに、紐状体（９）が挿通される。該付勢部材（５）の付勢により、雄部材（２）の押し込みを解くことで、紐状体（９）に留め付けられる留め具（１ａ）としてある。図１３、１４にて、基部（１０ａ）が設けられている。該基部（１０ａ）の一端部（１１ａ）から折返し状（１２ａ）に延びた第１フック部（１３ａ）が設けられている。該基部（１０ａ）の他端部（１４ａ）から第１フック部（１３ａ）に向けて折返し状（１５ａ）に延びた第２フック部（１６ａ）が設けられている。該第１フック部（１３ａ）と第２フック部（１６ａ）とで形成されるフック部材（１９ａ）が雌部材（４ａ）に一体的に設けられている。前記第１フック部（１３ａ）の先端（１７ａ）側と、前記第２フック部（１６ａ）の先端（１８ａ）側とが、重なるように配置されている。
【００４０】
また、特に図示しないが、留め具（１ａ）付き巾着袋（３３）は、実施例１と同様に、次のようにしてある。開口縁部（２９）に紐状体挿通部（３０）が形成されている袋体（３１）と、該紐状体挿通部（３０）に挿通されている紐状体（９）と、該紐状体挿通部（３０）から出ている紐状体（９）に装着されて袋体（３１）の開口縁部（２９）を絞った状態に維持するための留め具（１ａ）と、該留め具（１ａ）のフック部材（１９ａ）に挿通して袋体（３１）に設けられた挿通片（３２）と、が備えられている。また、次のように記すこともできる。紐状体（９）の留め付け構造（３５ａ）は、該留め具（１ａ）と、該留め具（１ａ）の使用対象物（３４）に備えて該留め具（１ａ）の留め付けられる紐状体（９）と、該留め具（１ａ）のフック部材（１９ａ）に挿通して使用対象物（３４）に設けられた挿通片（３２）と、が備えられている。
【００４１】
次に、フック部材（１９ａ）の作用について説明する。該第１フック部（１３ａ）の先端（１７ａ）側と、第２フック部（１６ａ）の先端（１８ａ）側とが、常時は当接している。該第２フック部（１６ａ）の弾性変形により、該第１フック部（１３ａ）の先端（１７ａ）側と、第２フック部（１６ａ）の先端（１８ａ）側とが、離れるフック部材（１９ａ）を有している。
【００４２】
第１フック部（１３ａ）の先端（１７ａ）側と、第２フック部（１６ａ）の先端（１８ａ）側とが、常時は当接しているので、フック部材（１９ａ）から挿通片（３２）が脱落してしまう恐れが少なくなる、という効果が生じる（効果２−１）。
【００４３】
次に、特に図示しないが、袋体（３１）と留め具（１ａ）とを接続する組立工程について説明する。実施例１と同様に、開口縁部（２９）の紐状体挿通部（３０）に紐状体（９）を挿通した袋体（３１）がユーザー側にて用意されている。この袋体（３１）と、既に納品済みの留め具（１ａ）にて、雄部材（２）の頭部を移動方向（Ｌ）に指で押圧して、付勢部材（５）の付勢に抗した雄部材（２）の押し込み位置にて、連通し合う雄部材（２）の通し孔（６）と雌部材（４ａ）の通し孔（７Ａａ）（７Ｂａ）とに、紐状体（９）を挿入して、紐状体（９）の先端同士を結ぶ。ここまでは、実施例１と同じである。次に、当接している第１フック部（１３ａ）の先端（１７ａ）側と第２フック部（１６ａ）の先端（１８ａ）側の間から、挿通片（３２）をすべらせるようにして挿入する。この際、第２フック部（１６ａ）の先端（１８ａ）側の弾性変形により、先端（１７ａ）側に対して先端（１８ａ）側が挿通片（３２）の厚さ分だけ開いて隙間を発生せる。この隙間によって、第２フック部（１６ａ）の先端（１８ａ）側へ挿通片（３２）をすべらせるようにして挿入することができる。挿通して、挿通片（３２）を基部（１０ａ）側へ移動すると、弾性変形していた第２フック部（１６ａ）の先端（１８ａ）側は復元力により戻って、先端（１７ａ）側に対して当接し、元の状態になる。以上により、挿通片（３２）をフック部材（１９ａ）に容易に挿入、挿通でき、工具を使用する必要も特になく、作業の手間が軽減できる、という効果が生じる（効果２−２）。
【００４４】
次に、実施例３である、留め具（１ｂ）について記す。図１５〜１６にて、前記フック部材（１９ｂ）の第１フック部（１３ｂ）の先端（１７ｂ）側が前記雌部材（４ｂ）に埋設されている。第２フック部（１６ｂ）の先端（１８ｂ）側と、雌部材（４ｂ）の筒状（３ｂ）の外面（２０ｂ）に埋設された第１フック部（１３ｂ）の先端（１７ｂ）側とが、重なるように配置され、第１フック部（１３ｂ）の先端（１７ｂ）側と、第２フック部（１６ｂ）の先端（１８ｂ）側とが、常時は当接している。実施例３は、実施例２の第１フック部（１３ａ）の一部を雌部材（４ａ）側へ埋め込むようにして平滑に設けたものである。実施例３は、雌部材（４ｂ）の外面（２０ｂ）に埋め込むようにして第１フック部（１３ｂ）の一部を内蔵して設けてある。
【００４５】
また、逆に言いかえると、実施例２のフック部材（１９ａ）は、実施例３のフック部材（１９ｂ）に比べて、雌部材（４ａ）の外面（２０ａ）から少し外側へ突出するように設けてある。実施例２の第１フック部（１３ａ）は、外側へ出っ張るように配してある。
【００４６】
実施例３は、第１フック部（１３ｂ）の先端（１７ｂ）側が雌部材（４ｂ）に埋設されているので、材料費が低減し、また、小型化できる、という効果が生じる（効果３−１）。
【００４７】
次に、実施例４である、留め具（１ｃ）について記す。図１７〜１９にて、実施例４は、実施例３と同様に、フック部材（１９ｃ）の第１フック部（１３ｃ）の先端（１７ｃ）側が雌部材（４ｃ）に埋設されている。第２フック部（１６ｃ）の先端（１８ｃ）側と、雌部材（４ｃ）の筒状（３ｃ）の外面（２０ｃ）に埋設された第１フック部（１３ｃ）の先端（１７ｃ）側とが、重なるように配置され、第１フック部（１３ｃ）の先端（１７ｃ）側と、第２フック部（１６ｃ）の先端（１８ｃ）側とが、常時は当接している。ただし、次の点で相違する。およそ、筒軸方向（矢印Ｚ）に交叉する向き（矢印Ｋ）に、筒状（３ｃ）本体に対して外側に向くように、先端（１８ｃ）側を配してある。やや、くの字状に先端（１８ｃ）側を曲げて細くしてある。斜めに折曲した山折れ状としてある。雌部材（４ｃ）の筒状（３ｃ）本体に対して外側に向くように、くの字状に先端（１８ｃ）側を曲げて細くしてあるので、実施例２と比較すると、次のような効果がある。袋体（３１）と留め具（１ｃ）とを接続する組立工程にて、当接している第１フック部（１３ｃ）の先端（１７ｃ）側と第２フック部（１６ｃ）の先端（１８ｃ）側の間から、挿通片（３２）をすべらせるようにして挿入する際、先端（１８ｃ）に対する挿通片（３２）の挿入開始が容易になる、という効果が生じる（効果４−１セナ）。
【００４８】
次に、実施例５である、留め具（１ｄ）について記す。図２０〜２１にて、実施例５は、実施例４と同様に、フック部材（１９ｄ）の第１フック部（１３ｄ）の先端（１７ｄ）側が雌部材（４ｄ）に埋設されている。第２フック部（１６ｄ）の先端（１８ｄ）側と、雌部材（４ｄ）の筒状（３ｄ）の外面（２０ｄ）に埋設された第１フック部（１３ｄ）の先端（１７ｄ）側とが、重なるように配置され、第１フック部（１３ｄ）の先端（１７ｄ）側と、第２フック部（１６ｄ）の先端（１８ｄ）側とが、常時は当接している。雌部材（４ｄ）の筒状（３ｄ）本体に対して外側に向くように、くの字状に先端（１８ｄ）側を曲げて細くしてある。ただし、次の点で相違する。くの字状に配した先端（１８ｄ）側に対向する位置に、雌部材（４ｄ）の筒状（３ｄ）の外面に窪み部（４１）を設けてある。言い換えると、雌部材（４ｄ）の筒状（３ｄ）の外面（２０ｄ）に埋設された第１フック部（１３ｄ）の先端（１７ｄ）側にて、窪み部（４１）を設けてある。窪み部（４１）は、くの字状に配した先端（１８ｄ）側の一部が納まるように、くの字状に配した先端（１８ｄ）側より少し大きめの寸法形状とした窪みを形成してある。嵌合するように設けてもよい。くの字状に配した先端（１８ｄ）側が窪み部（４１）と当接する。実施例４と比較すると、次のような効果がある。フック部材（１９ｄ）に挿通した挿通片（３２）の脱落防止を向上させる、という効果が生じる（効果５−１セナ）。
【００４９】
次に、実施例６である、留め具（１ｅ）について記す。実施例６である、留め具（１ｅ）は、雄部材（２）が設けられている。図２２にて、筒状（３ｅ）の雌部材（４ｅ）が設けられている。該雌部材（４ｅ）の筒軸方向（矢印Ｚ）に沿って移動可能に雌部材（４ｅ）内に雄部材（２）を入れ込ませて、該雌部材（４ｅ）内から雄部材（２）を突き出させる向き（矢印Ｔ）に付勢する付勢部材（５）が設けられている。該筒軸方向（矢印Ｚ）に交叉する向き（矢印Ｋ）に雄部材（２）と雌部材（４ｅ）とに通し孔（６）（７Ａｅ）（７Ｂｅ）が設けられている。特に図示しないが、実施例１と同様に、該付勢部材（５）の付勢に抗した雄部材（２）の押し込み位置にて、連通し合う雄部材（２）の通し孔（６）と雌部材（４ｅ）の通し孔（７Ａｅ）（７Ｂｅ）とに、紐状体（９）が挿通される。該付勢部材（５）の付勢により、雄部材（２）の押し込みを解くことで、紐状体（９）に留め付けられる留め具（１ｅ）としてある。図２２にて、基部（１０ｅ）が設けられている。該基部（１０ｅ）の一端部（１１ｅ）から折返し状（１２ｅ）に延びた第１フック部（１３ｅ）が設けられている。該基部（１０ｅ）の他端部（１４ｅ）から第１フック部（１３ｅ）に向けて折返し状（１５ｅ）に延びた第２フック部（１６ｅ）が設けられている。該第１フック部（１３ｅ）と第２フック部（１６ｅ）とで形成されるフック部材（１９ｅ）が雌部材（４ｅ）に一体的に設けられている。前記第１フック部（１３ｅ）の先端（１７ｅ）側と、前記第２フック部（１６ｅ）の先端（１８ｅ）側とが、重なるように配置され、前記第１フック部（１３ｅ）の内面（２１ｅ）に臨むように前記第２フック部（１６ｅ）の先端（１８ｅ）が配置されている。
【００５０】
雌部材（４ｅ）の通し孔（７Ａｅ）近傍にフック部材（１９ｅ）の基部（１０ｅ）側が一体的に設けられている。第１フック部（１３ｅ）の先端（１７ｅ）側と、第２フック部（１６ｅ）の先端（１８ｅ）側とが、フック部材（１９ｅ）の基部（１０ｅ）に比べて、筒状（３ｅ）本体に対して外側になるように配してある。また、第１フック部（１３ｅ）の内面（２１ｅ）に臨むように第２フック部（１６ｅ）の自由端先端（１８ｅ）を配してある。
【００５１】
前記フック部材（１９ｅ）の基部（１０ｅ）側が前記雌部材（４ｅ）に埋設されている。
【００５２】
フック部材（１９ｅ）の基部（１０ｅ）側を雌部材（４ｅ）側へ埋め込むようにして平滑に設けたものである。雌部材（４ｅ）の外面（２０ｅ）に埋め込むようにして基部（１０ｅ）側を内蔵して設けてある。フック部材（１９ｅ）の基部（１０ｅ）側が雌部材（４ｅ）に埋設されているので、材料費が低減し、また、小型化できる、という効果が生じる（効果６−１）。
【００５３】
また、特に図示しないが、留め具（１ｅ）付き巾着袋（３３）は、実施例１と同様に、次のようにしてある。開口縁部（２９）に紐状体挿通部（３０）が形成されている袋体（３１）と、該紐状体挿通部（３０）に挿通されている紐状体（９）と、該紐状体挿通部（３０）から出ている紐状体（９）に装着されて袋体（３１）の開口縁部（２９）を絞った状態に維持するための留め具（１ｅ）と、該留め具（１ｅ）のフック部材（１９ｅ）に挿通して袋体（３１）に設けられた挿通片（３２）と、が備えられている。また、次のように記すこともできる。紐状体（９）の留め付け構造（３５ｅ）は、該留め具（１ｅ）と、該留め具（１ｅ）の使用対象物（３４）に備えて該留め具（１ｅ）の留め付けられる紐状体（９）と、該留め具（１ｅ）のフック部材（１９ｅ）に挿通して使用対象物（３４）に設けられた挿通片（３２）と、が備えられている。
【００５４】
次に、フック部材（１９ｅ）の作用について説明する。該第１フック部（１３ｅ）の先端（１７ｅ）側と、第２フック部（１６ｅ）の先端（１８ｅ）側とが、常時は当接している。該第２フック部（１６ｅ）の弾性変形により、該第１フック部（１３ｅ）の先端（１７ｅ）側と、第２フック部（１６ｅ）の先端（１８ｅ）側とが、離れるフック部材（１９ｅ）を有している。該第１フック部（１３ｅ）の先端（１７ｅ）側と、該第２フック部（１６ｅ）の先端（１８ｅ）側とが、該第２フック部（１６ｅ）の傾動により離れる。
【００５５】
第１フック部（１３ｅ）の先端（１７ｅ）側と、第２フック部（１６ｅ）の先端（１８ｅ）側とが、常時は当接しているので、フック部材（１９ｅ）に挿通した挿通片（３２）の脱落防止を向上させる、という効果が生じる（効果６−２）。
【００５６】
次に、実施例７である、留め具（１ｆ）について記す。図２３にて、実施例７である、留め具（１ｆ）は、実施例６と同様に、第１フック部（１３ｆ）の先端（１７ｆ）側と、第２フック部（１６ｆ）の先端（１８ｆ）側とが、重なるように配置され、第１フック部（１３ｆ）の内面（２１ｆ）に臨むように第２フック部（１６ｆ）の先端（１８ｆ）が配置され、フック部材（１９ｆ）の基部（１０ｆ）側が雌部材（４ｆ）に埋設されている。
【００５７】
次に、フック部材（１９ｆ）の作用について説明する。該第１フック部（１３ｆ）の先端（１７ｆ）側と、第２フック部（１６ｆ）の先端（１８ｆ）側とが、常時は当接している。該第２フック部（１６ｆ）の弾性変形により、該第１フック部（１３ｆ）の先端（１７ｆ）側と、第２フック部（１６ｆ）の先端（１８ｆ）側とが、離れるフック部材（１９ｆ）を有している。また、同様に次のようにしてある。該第１フック部（１３ｆ）の弾性変形により、該第１フック部（１３ｆ）の先端（１７ｆ）側と、第２フック部（１６ｆ）の先端（１８ｆ）側とが、離れるフック部材（１９ｆ）を有している。
【００５８】
第１フック部（１３ｆ）の先端（１７ｆ）側と第２フック部（１６ｆ）の先端（１８ｆ）側とが当接している時は、第１フック部（１３ｆ）の先端（１７ｆ）側の外側の面（４２Ａ）と、第２フック部（１６ｆ）の先端（１８ｆ）側の外側の面（４２Ｂ）とが、そろうように、平滑に、フラットになるよう設けてある。つまり、実施例７は、次のような効果がある。第１フック部（１３ｆ）の先端（１７ｆ）側と第２フック部（１６ｆ）の先端（１８ｆ）側とが当接している時は、外側の面（４２Ａ）と外側の面（４２Ｂ）とが、そろうように、平滑に、フラットになるよう設けてあるので、段差等による微少な隙間が生じることが少なく、フック部材（１９ｆ）に挿通した挿通片（３２）の脱落防止を向上させる、という効果が生じる（効果７−１セナ）。また、第１フック部（１３ｆ）の弾性変形により、または、第２フック部（１６ｆ）の弾性変形により、第１フック部（１３ｆ）の先端（１７ｆ）側と、第２フック部（１６ｆ）の先端（１８ｆ）側とが、離れるフック部材（１９ｆ）を有しているので、挿通片（３２）を挿入しやすく、また、復元力により戻るので、フック部材（１９ｆ）から挿通片（３２）が脱落してしまう恐れが少なくなる、という効果が生じる（効果７−２）。
【００５９】
次に、実施例８である、留め具（１ｈ）について記す。なお、実施例８、９では、断面図を描いてある。図２４、２５にて、実施例８である、留め具（１ｈ）は、実施例６と同様に、第１フック部（１３ｈ）の先端（１７ｈ）側と、第２フック部（１６ｈ）の先端（１８ｈ）側とが、重なるように配置され、第１フック部（１３ｈ）の内面（２１ｈ）に臨むように第２フック部（１６ｈ）の先端（１８ｈ）が配置され、フック部材（１９ｈ）の基部（１０ｈ）側が雌部材（４ｈ）に埋設されている。また、次のようにしてある。第１フック部（１３ｈ）に係止爪（２３ｈ）が設けられ、係止爪（２３ｈ）を係止させる係止部（２４ｈ）が第２フック部（１６ｈ）に設けられている。
【００６０】
第１フック部（１３ｈ）の先端（１７ｈ）側に係止爪（２３ｈ）が設けられている。係止爪（２３ｈ）を係止させる係止部（２４ｈ）が第２フック部（１６ｈ）の先端（１８ｈ）側に設けられている。
【００６１】
次に、実施例９である、留め具（１ｊ）について記す。図２６にて、実施例９である、留め具（１ｊ）は、実施例６と同様に、第１フック部（１３ｊ）の先端（１７ｊ）側と、第２フック部（１６ｊ）の先端（１８ｊ）側とが、重なるように配置され、第１フック部（１３ｊ）の内面（２１ｊ）に臨むように第２フック部（１６ｊ）の先端（１８ｊ）が配置され、フック部材（１９ｊ）の基部（１０ｊ）側が雌部材（４ｊ）に埋設されている。また、実施例８とは反対に、次のようにしてある。第２フック部（１６ｊ）に係止爪（２３ｊ）が設けられ、係止爪（２３ｊ）を係止させる係止部（２４ｊ）が第１フック部（１３ｊ）に設けられている。
【００６２】
実施例１と同様に、係止爪（２３ｊ）と係止部（２４ｊ）を係止させることにより、フック部材（１９ｊ）に挿通した挿通片（３２）の脱落防止を向上させる、という効果が生じる（効果９−１）。
【００６３】
次に、実施例１０である、留め具（１ｋ）について記す。図３１にて、実施例１０である、留め具（１ｋ）は、実施例６と同様にしてあるが、次の点で相違する。実施例１０のフック部材（１９ｋ）は、実施例６のフック部材（１９ｅ）に比べて、雌部材（４ｋ）の外面（２０ｋ）から少し外側へ突出するように設けてある。第１フック部（１３ｋ）は、外側へ出っ張るように配してある。
【００６４】
次に、実施例１１である、留め具（１ｎ）について記す。実施例１１である、留め具（１ｎ）は、図２７〜３０、３５〜４０にて、次のようにしてある。雄部材（２）が設けられている。筒状（３ｎ）の雌部材（４ｎ）が設けられている。該雌部材（４ｎ）の筒軸方向（矢印Ｚ）に沿って移動可能に雌部材（４ｎ）内に雄部材（２）を入れ込ませて、該雌部材（４ｎ）内から雄部材（２）を突き出させる向き（矢印Ｔ）に付勢する付勢部材（５）が設けられている。該筒軸方向（矢印Ｚ）に交叉する向き（矢印Ｋ）に雄部材（２）と雌部材（４ｎ）とに通し孔（６）（７Ａｎ）（７Ｂｎ）が設けられている。特に図示しないが、実施例１と同様に、該付勢部材（５）の付勢に抗した雄部材（２）の押し込み位置（８）にて、連通し合う雄部材（２）の通し孔（６）と雌部材（４ｎ）の通し孔（７Ａｎ）（７Ｂｎ）とに、紐状体（９）が挿通される。該付勢部材（５）の付勢により、雄部材（２）の押し込みを解くことで、紐状体（９）に留め付けられる留め具（１ｎ）としてある。図２７〜３０、３５〜３７にて、基部（１０ｎ）が設けられている。該基部（１０ｎ）の一端部（１１ｎ）から折返し状（１２ｎ）に延びた第１フック部（１３ｎ）が設けられている。該基部（１０ｎ）の他端部（１４ｎ）から第１フック部（１３ｎ）に向けて折返し状（１５ｎ）に延びた第２フック部（１６ｎ）が設けられている。該第１フック部（１３ｎ）と第２フック部（１６ｎ）とで形成されるフック部材（１９ｎ）が雌部材（４ｎ）に一体的に設けられている。前記第１フック部（１３ｎ）の先端（１７ｎ）側と、前記第２フック部（１６ｎ）の先端（１８ｎ）側とが、重なるように配置されている。前記第１フック部（１３ｎ）の内面（２１ｎ）に臨むように前記第２フック部（１６ｎ）の先端（１８ｎ）が配置されている。前記第１フック部（１３ｎ）に係止爪（２３ｎ）が設けられている。該係止爪（２３ｎ）を係止させる係止部（２４ｎ）が前記第２フック部（１６ｎ）に設けられている。
【００６５】
凸部である係止爪（２３ｎ）を第１フック部（１３ｎ）に設けている。矢じり状の係止爪（２３ｎ）の先端は紡錘形状としてある。円形状の穴としてある係止部（２４ｎ）を第２フック部（１６ｎ）に設けている。係止爪（２３ｎ）と係止部（２４ｎ）とは嵌合する。係合するようにしてある。
【００６６】
また、特に図示しないが、留め具（１ｎ）付き巾着袋（３３）は、次のようにしてある。開口縁部（２９）に紐状体挿通部（３０）が形成されている袋体（３１）と、該紐状体挿通部（３０）に挿通されている紐状体（９）と、該紐状体挿通部（３０）から出ている紐状体（９）に装着されて袋体（３１）の開口縁部（２９）を絞った状態に維持するための留め具（１ｎ）と、該留め具（１ｎ）のフック部材（１９ｎ）に挿通して袋体（３１）に設けられた挿通片（３２ｎ）と、が備えられている。また、次のように記すこともできる。紐状体（９）の留め付け構造（３５ｎ）は、該留め具（１ｎ）と、該留め具（１ｎ）の使用対象物（３４）に備えて該留め具（１ｎ）の留め付けられる紐状体（９）と、該留め具（１ｎ）のフック部材（１９ｎ）に挿通して使用対象物（３４）に設けられた挿通片（３２ｎ）と、が備えられている。
【００６７】
次に、フック部材（１９ｎ）の作用について、一部、説明する。図２８にて、該第１フック部（１３ｎ）の先端（１７ｎ）側と、第２フック部（１６ｎ）の先端（１８ｎ）側とが、常時は当接している。図２９にて、該第２フック部（１６ｎ）の弾性変形により、該第１フック部（１３ｎ）の先端（１７ｎ）側と、第２フック部（１６ｎ）の先端（１８ｎ）側とが、離れるフック部材（１９ｎ）を有している。該第１フック部（１３ｎ）の先端（１７ｎ）側と、該第２フック部（１６ｎ）の先端（１８ｎ）側とが、該第２フック部（１６ｎ）の傾動により離れる。
【００６８】
折返し状（１２ｎ）の第１フック部（１３ｎ）、折返し状（１５ｎ）の第２フック部（１６ｎ）、基部（１０ｎ）にてリング状に形成してある。フック部材（１９ｎ）の真ん中は孔（４３ｎ）状に形成してある。折返し状（１２ｎ）の第１フック部（１３ｎ）、折返し状（１５ｎ）の第２フック部（１６ｎ）、基部（１０ｎ）に囲まれるようにして貫通する孔（４３ｎ）を設けてある。その孔（４３ｎ）の貫通する方向（矢印Ｍ）と、連通し合う雄部材（２）の通し孔（６）と雌部材（４ｎ）の通し孔（７Ａｎ）（７Ｂｎ）との該連通し合う方向（矢印Ｋ）とが、直角に近い角度になるように設けられている。フック部材（１９ｎ）の長手方向と雌部材（４ｎ）の長手方向とが交差するように設けてある。言い換えると、フック部材（１９ｎ）の長手方向と雌部材（４ｎ）の短手方向とが平行するように設けてある。先に記した実施例１の孔（４３）の貫通する方向（矢印Ｎ）と、実施例１１の該連通し合う方向（矢印Ｋ）とに、各々に対して直角に近い角度になるように、実施例１１の孔（４３ｎ）の貫通する方向（矢印Ｍ）が設けられている。
【００６９】
また、雌部材（４ｎ）の通し孔（７Ａｎ）（７Ｂｎ）より有底側にフック部材（１９ｎ）を設けてある。詳細には、第２フック部（１６ｎ）に対して、第１フック部（１３ｎ）のほうが、有底側に設けてある。
【００７０】
また、次に、図３５〜３７にて、挿通片（３２ｎ）を袋体（３１）に設ける工程について一部記す。加工前の挿通片（３２ｎＡ）を長手方向にて湾曲（矢印ＧＢ）させて（３２ｎＢ）から（３２ｎ）のようにして、袋体（３１）に取付けてある。取付けは、縫合でも、接着でもよい。あるいは、図３８にて、あらかじめ、中央をくり抜いた挿通片（３２ｎＣ）を加工しておいて、袋体（３１）に取付けてもよい。また、次のようにしてもよい。図３９〜４０にて、袋体に切り込み（４４）を入れて、そのまま、挿通片（３２ｎＤ）として設けてもよい。この場合、縫合、接着等の加工作業が省略可能なので手間を軽減できる、という効果が生じる（効果１１−１セナ）。
【００７１】
また、実施例１同様に次のような効果がある。袋体（３１）と留め具（１ｎ）とを接続する組立工程にて、先端（１８ｎ）側を開き方向（矢印Ｊ）に傾動させる場合、雌部材（４ｎ）の筒状（３ｎ）の外面（２０ｎ）またはフック部材（１９ｎ）に指が接触することがない。孔（４３ｎ）の貫通する方向（矢印Ｍ）と、通し孔（６）（７Ａｎ）（７Ｂｎ）との該連通し合う方向（矢印Ｋ）とが、直角に近い角度になるように、また、フック部材（１９ｎ）の長手方向と雌部材（４ｎ）の長手方向とが交差するように設けてあり、先端（１８ｎ）側を開き方向（矢印Ｊ）に傾動させる場合、障害となるものが何もなく、指が接触することがない。指が接触することがないので、先端（１８ｎ）側を指で押圧して傾動させるのに、容易に指で押圧でき、ラジオペンチ等の工具を使用する必要が特になく、作業の手間が軽減できる、という効果が生じる（効果１１−２セナ）。また、当接した先端（１７ｎ）側と先端（１８ｎ）側にて、先端（１７ｎ）側の係止爪（２３ｎ）と先端（１８ｎ）側の係止部（２４ｎ）を指で押圧して、係合し、係止させるが、この場合、同様に、雌部材（４ｎ）の筒状（３ｎ）の外面（２０ｎ）またはフック部材（１９ｎ）に指が接触することがない。接触することがないので、容易に指で押圧でき、ラジオペンチ等の工具を使用する必要が特になく、作業の手間が軽減できる、という効果が生じる（効果１１−３セナ）。また、使用方法にて、従来の留め具に比べると、留め具（１ｎ）は、袋体の開口縁部を開口する際に、留め具を掴みながら雄部材の頭部を指で押圧したままで開き方向に留め具を移動させている残りの片方の手で、さらに、留め具を設けてある側の袋体の端部を掴む、あるいは、紐留め具の移動および袋の縁の移動という２工程の手順を行う必要がない。よって、作業の手間を低減することができる、という効果が生じる。（効果１１−４）。また、係止爪（２３ｎ）と係止部（２４ｎ）を係止させることにより、フック部材（１９ｎ）に挿通した挿通片（３２）の脱落防止を向上させる、という効果が生じる（効果１１−５）。
【００７２】
次に、実施例１２である、留め具（１ｍ）について記す。実施例１２である、留め具（１ｍ）は、次のようにしてある。雄部材（２）が設けられている。図４１〜４２にて、筒状（３ｍ）の雌部材（４ｍ）が設けられている。該雌部材（４ｍ）の筒軸方向（矢印Ｚ）に沿って移動可能に雌部材（４ｍ）内に雄部材（２）を入れ込ませて、該雌部材（４ｍ）内から雄部材（２）を突き出させる向き（矢印Ｔ）に付勢する付勢部材（５）が設けられている。該筒軸方向（矢印Ｚ）に交叉する向き（矢印Ｋ）に雄部材（２）と雌部材（４ｍ）とに通し孔（６）（７Ａｍ）（７Ｂｍ）が設けられている。特に図示しないが、実施例１と同様に、該付勢部材（５）の付勢に抗した雄部材（２）の押し込み位置（８）にて、連通し合う雄部材（２）の通し孔（６）と雌部材（４ｍ）の通し孔（７Ａｍ）（７Ｂｍ）とに、紐状体（９）が挿通される。該付勢部材（５）の付勢により、雄部材（２）の押し込みを解くことで、紐状体（９）に留め付けられる留め具（１ｍ）としてある。基部（１０ｍ）が設けられている。図４１〜４２にて、該基部（１０ｍ）の一端部（１１ｍ）から折返し状（１２ｍ）に延びた第１フック部（１３ｍ）が設けられている。該基部（１０ｍ）の他端部（１４ｍ）から第１フック部（１３ｍ）に向けて折返し状（１５ｍ）に延びた第２フック部（１６ｍ）が設けられている。該第１フック部（１３ｍ）と第２フック部（１６ｍ）とで形成されるフック部材（１９ｍ）が雌部材（４ｍ）に一体的に設けられている。
【００７３】
該第１フック部（１３ｍ）の先端（１７ｍ）側と、第２フック部（１６ｍ）の先端（１８ｍ）側とが、すれ違うように配置されている。すれ違うように配置されたフック部材（１９ｍ）を有している。かつ、該第１フック部（１３ｍ）の先端（１７ｍ）側と、第２フック部（１６ｍ）の先端（１８ｍ）側とが、離されて配置されたフック部材（１９ｍ）としてある。離されて配置されたフック部材（１９ｍ）を有している。
【００７４】
折返し状（１２ｍ）の第１フック部（１３ｍ）、折返し状（１５ｍ）の第２フック部（１６ｍ）、基部（１０ｍ）にてリング状に形成してある。フック部材（１９ｍ）の真ん中は孔（４３ｍ）状に形成してある。折返し状（１２ｍ）の第１フック部（１３ｍ）、折返し状（１５ｍ）の第２フック部（１６ｍ）、基部（１０ｍ）に囲まれるようにして貫通する孔（４３ｍ）を設けてある。その孔（４３ｍ）の貫通する方向（矢印Ｎ）にて、第１フック部（１３ｍ）と、第２フック部（１６ｍ）との間には隙間を設けてある。隙間を設けてあるので、成型時の加工が容易で、また、フック部材（１９ｍ）に挿通片（３２）が挿通される場合に挿通されやすい。つまり、第１フック部（１３ｍ）の先端（１７ｍ）側と、第２フック部（１６ｍ）の先端（１８ｍ）側とが、離されて配置されたフック部材（１９ｍ）を有しているので、成型時の加工が容易で、また、フック部材（１９ｍ）に挿通片（３２）が挿通される場合に挿通されやすい、という効果が生じる（効果１２−１）。また、同時に、第１フック部（１３ｍ）の先端（１７ｍ）側と、第２フック部（１６ｍ）の先端（１８ｍ）側とが、すれ違うように配置されたフック部材（１９ｍ）を有しているので、交差はしていないが、フック部材（１９ｍ）から挿通片（３２）が脱落してしまう恐れが少なくなる、という効果が生じる（効果１２−２）。
【００７５】
また、特に図示しないが、留め具（１ｍ）付き巾着袋（３３）は、次のようにしてある。開口縁部（２９）に紐状体挿通部（３０）が形成されている袋体（３１）と、該紐状体挿通部（３０）に挿通されている紐状体（９）と、該紐状体挿通部（３０）から出ている紐状体（９）に装着されて袋体（３１）の開口縁部（２９）を絞った状態に維持するための留め具（１ｍ）と、該留め具（１ｍ）のフック部材（１９ｍ）に挿通して袋体（３１）に設けられた挿通片（３２）と、が備えられている。また、次のように記すこともできる。紐状体（９）の留め付け構造（３５ｍ）は、該留め具（１ｍ）と、該留め具（１ｍ）の使用対象物（３４）に備えて該留め具（１ｍ）の留め付けられる紐状体（９）と、該留め具（１ｍ）のフック部材（１９ｍ）に挿通して使用対象物（３４）に設けられた挿通片（３２）と、が備えられている。
【００７６】
次に、実施例１３である、留め具（１ｐ）について記す。実施例１３である、留め具（１ｐ）は、次のようにしてある。雄部材（２）が設けられている。図４３〜４４にて、筒状（３ｐ）の雌部材（４ｐ）が設けられている。該雌部材（４ｐ）の筒軸方向（矢印Ｚ）に沿って移動可能に雌部材（４ｐ）内に雄部材（２）を入れ込ませて、該雌部材（４ｐ）内から雄部材（２）を突き出させる向き（矢印Ｔ）に付勢する付勢部材（５）が設けられている。該筒軸方向（矢印Ｚ）に交叉する向き（矢印Ｋ）に雄部材（２）と雌部材（４ｐ）とに通し孔（６）（７Ａｐ）（７Ｂｐ）が設けられている。特に図示しないが、実施例１と同様に、該付勢部材（５）の付勢に抗した雄部材（２）の押し込み位置（８）にて、連通し合う雄部材（２）の通し孔（６）と雌部材（４ｐ）の通し孔（７Ａｐ）（７Ｂｐ）とに、紐状体（９）が挿通される。該付勢部材（５）の付勢により、雄部材（２）の押し込みを解くことで、紐状体（９）に留め付けられる留め具（１ｐ）としてある。図４３〜４４にて、基部（１０ｐ）が設けられている。該基部（１０ｐ）の一端部（１１ｐ）から折返し状（１２ｐ）に延びた第１フック部（１３ｐ）が設けられている。該基部（１０ｐ）の他端部（１４ｐ）から第１フック部（１３ｐ）に向けて折返し状（１５ｐ）に延びた第２フック部（１６ｐ）が設けられている。該第１フック部（１３ｐ）と第２フック部（１６ｐ）とで形成されるフック部材（１９ｐ）が雌部材（４ｐ）に一体的に設けられている。
【００７７】
該第１フック部（１３ｐ）の先端（１７ｐ）側と、第２フック部（１６ｐ）の先端（１８ｐ）側とが、すれ違うように配置されている。すれ違うように配置されたフック部材（１９ｐ）を有している。かつ、該第１フック部（１３ｐ）の先端（１７ｐ）側と、第２フック部（１６ｐ）の先端（１８ｐ）側とが、離されて配置されたフック部材（１９ｐ）としてある。離されて配置されたフック部材（１９ｐ）を有している。
【００７８】
連通し合う雄部材（２）の通し孔（６）と雌部材（４ｐ）の通し孔（７Ａｐ）（７Ｂｐ）との該連通し合う方向（矢印Ｋ）にて、第１フック部（１３ｐ）と、第２フック部（１６ｐ）との間には隙間を設けてある。隙間を設けてあるので、比較的加工が容易で、また、フック部材（１９ｐ）に挿通片（３２）が挿通される場合に挿通されやすい、という効果が生じる（効果１３−１セナ）。
【００７９】
次に、実施例１４である、留め具（１ｑ）について記す。図４５〜４６にて、実施例１４は、実施例３と同様に、フック部材（１９ｑ）の第１フック部（１３ｑ）の先端（１７ｑ）側が雌部材（４ｑ）に埋設されている。第２フック部（１６ｑ）の先端（１８ｑ）側と、雌部材（４ｑ）の筒状（３ｑ）の外面（２０ｑ）に埋設された第１フック部（１３ｑ）の先端（１７ｑ）側とが、重なるように配置され、第１フック部（１３ｑ）の先端（１７ｑ）側と、第２フック部（１６ｑ）の先端（１８ｑ）側とが、常時は当接している。ただし、次の点で相違する。先端（１８ｑ）側の一部を囲むようにして、先端（１８ｑ）側に対応する位置に、雌部材（４ｑ）の筒状（３ｑ）の外面に支え部（４５Ａ）（４５Ｂ）を設けてある。言い換えると、雌部材（４ｑ）の筒状（３ｑ）の外面（２０ｑ）に埋設された第１フック部（１３ｑ）の先端（１７ｑ）側にて、支え部（４５Ａ）（４５Ｂ）を設けてある。先端（１８ｑ）側を間に挟んで、先端（１８ｑ）側の両端側に各々支え部（４５Ａ）（４５Ｂ）を配してある。先端（１８ｑ）側が支え部（４５Ａ）（４５Ｂ）と当接するようにしてもよい。支え部（４５Ａ）（４５Ｂ）は、先端（１８ｑ）側と嵌合するように設けてもよい。実施例３と比較すると、次のような効果がある。フック部材（１９ｑ）に挿通した挿通片（３２）の脱落防止を向上させる、という効果が生じる（効果１４−１セナ）。
【００８０】
また、特に図示しないが、次のようにしてもよい。実施例１４にて、先端（１８ｑ）側の片一端側のみに支え部（４５Ａ）を配してもよい。実施例１４と比較すると、次のような効果がある。比較的加工が容易で、また、フック部材に挿通片（３２）が挿通される場合に挿通されやすい、という効果が生じる（効果１４Ａ−１セナ）。
【００８１】
次に、実施例１５である、留め具（１ｒ）について記す。実施例１５である、留め具（１ｒ）は、雄部材（２）が設けられている。図４７にて、筒状（３ｒ）の雌部材（４ｒ）が設けられている。該雌部材（４ｒ）の筒軸方向（矢印Ｚ）に沿って移動可能に雌部材（４ｒ）内に雄部材（２）を入れ込ませて、該雌部材（４ｒ）内から雄部材（２）を突き出させる向き（矢印Ｔ）に付勢する付勢部材（５）が設けられている。該筒軸方向（矢印Ｚ）に交叉する向き（矢印Ｋ）に雄部材（２）と雌部材（４ｒ）とに通し孔（６）（７Ａｒ）（７Ｂｒ）が設けられている。特に図示しないが、実施例１と同様に、該付勢部材（５）の付勢に抗した雄部材（２）の押し込み位置にて、連通し合う雄部材（２）の通し孔（６）と雌部材（４ｒ）の通し孔（７Ａｒ）（７Ｂｒ）とに、紐状体（９）が挿通される。該付勢部材（５）の付勢により、雄部材（２）の押し込みを解くことで、紐状体（９）に留め付けられる留め具（１ｒ）としてある。図４７にて、基部（１０ｒ）が設けられている。該基部（１０ｒ）の一端部（１１ｒ）から折返し状（１２ｒ）に延びた第１フック部（１３ｒ）が設けられている。該基部（１０ｒ）の他端部（１４ｒ）から第１フック部（１３ｒ）に向けて折返し状（１５ｒ）に延びた第２フック部（１６ｒ）が設けられている。該第１フック部（１３ｒ）と第２フック部（１６ｒ）とで形成されるフック部材（１９ｒ）が雌部材（４ｒ）に一体的に設けられている。前記第１フック部（１３ｒ）の先端（１７ｒ）側と、前記第２フック部（１６ｒ）の先端（１８ｒ）側とが、重なるように配置されている。
【００８２】
前記フック部材（１９ｒ）の第２フック部（１６ｒ）の先端（１８ｒ）側が前記雌部材（４ｒ）に埋設されている。第１フック部（１３ｒ）の先端（１７ｒ）側と、雌部材（４ｒ）の筒状（３ｒ）の外面（２０ｒ）に埋設された第２フック部（１６ｒ）の先端（１８ｒ）側とが、重なるように配置され、第１フック部（１３ｒ）の先端（１７ｒ）側と、第２フック部（１６ｒ）の先端（１８ｒ）側とが、常時は当接している。
【００８３】
第２フック部（１６ｒ）の先端（１８ｒ）側が雌部材（４ｒ）に埋設されているので、材料費が低減し、また、小型化できる、という効果が生じる（効果１５−１）。
【００８４】
また、特に図示しないが、次のようにしてもよい。実施例１２にて、該第１フック部（１３ｍ）の先端（１７ｍ）側と、第２フック部（１６ｍ）の先端（１８ｍ）側とが、常時は当接するように設ける。該第２フック部（１６ｍ）の弾性変形により、該第１フック部（１３ｍ）の先端（１７ｍ）側と、第２フック部（１６ｍ）の先端（１８ｍ）側とが、離れるフック部材（１９ｍ）を有してもよい。
【００８５】
次に、実施例１６である、留め具（１ｓ）について記す。実施例１６である、留め具（１ｓ）は、図５１〜５４にて、次のようにしてある。雄部材（２ｓ）が設けられている。筒状（３ｓ）の雌部材（４ｓ）が設けられている。該雌部材（４ｓ）の筒軸方向（矢印Ｚ）に沿って移動可能に雌部材（４ｓ）内に雄部材（２ｓ）を入れ込ませて、該雌部材（４ｓ）内から雄部材（２ｓ）を突き出させる向き（矢印Ｔ）に付勢する付勢部材（５Ａｓ）（５Ｂｓ）が設けられている。該筒軸方向（矢印Ｚ）に交叉する向き（矢印Ｋ）に雄部材（２ｓ）と雌部材（４ｓ）とに通し孔（６ｓ）（７Ａｓ）（７Ｂｓ）が設けられている。該付勢部材（５Ａｓ）（５Ｂｓ）の付勢に抗した雄部材（２ｓ）の押し込み位置（８ｓ）にて、連通し合う雄部材（２ｓ）の通し孔（６ｓ）と雌部材（４ｓ）の通し孔（７Ａｓ）（７Ｂｓ）とに、紐状体が挿通される。該付勢部材（５Ａｓ）（５Ｂｓ）の付勢により、雄部材（２ｓ）の押し込みを解くことで、紐状体に留め付けられる留め具（１ｓ）としてある。また、フック部材（１９ｎ）は、実施例１１と同様にしてある。第１フック部（１３ｎ）と第２フック部（１６ｎ）とで形成されるフック部材（１９ｎ）が雌部材（４ｓ）に一体的に設けられている。また、特に図示しないが、留め具（１ｓ）付き巾着袋（３３）は、次のようにしてある。開口縁部（２９）に紐状体挿通部（３０）が形成されている袋体（３１）と、該紐状体挿通部（３０）に挿通されている紐状体（９）と、該紐状体挿通部（３０）から出ている紐状体（９）に装着されて袋体（３１）の開口縁部（２９）を絞った状態に維持するための留め具（１ｓ）と、該留め具（１ｓ）のフック部材（１９ｎ）に挿通して袋体（３１）に設けられた挿通片（３２）と、が備えられている。また、次のように記すこともできる。紐状体（９）の留め付け構造（３５ｓ）は、該留め具（１ｓ）と、該留め具（１ｓ）の使用対象物（３４）に備えて該留め具（１ｓ）の留め付けられる紐状体（９）と、該留め具（１ｓ）のフック部材（１９ｎ）に挿通して使用対象物（３４）に設けられた挿通片（３２）と、が備えられている。
【００８６】
雄部材（２ｓ）は、上方向から見ると、円形状に形成してある実施例１１と比べて、やや四角形状に形成してある。また、付勢部材（５Ａｓ）（５Ｂｓ）は、雄部材（２ｓ）の通し孔（６ｓ）の下部を延設して、雄部材（２ｓ）に一体的に形成してある。付勢部材（５Ａｓ）（５Ｂｓ）は、断面略Ｖ字状に、相対向する一対の脚部（４７Ａ）（４７Ｂ）から構成してある。付勢部材（５Ａｓ）（５Ｂｓ）は、適度な弾性と剛性とを有する熱可塑性樹脂で成形してある。脚部（４７Ａ）（４７Ｂ）は、樹脂の弾性を利用して、相互に接近する方向に弾性変形可能としてある。脚部（４７Ａ）（４７Ｂ）先端の外側面には、顎部（４６Ａｓ）（４６Ｂｓ）を配置してある。また、雌部材（４ｓ）の通し孔（７Ａｓ）（７Ｂｓ）の下部に、顎受け部（４８Ａ）（４８Ｂ）を配置してある。顎部（４６Ａｓ）（４６Ｂｓ）と対応する位置に顎受け部（４８Ａ）（４８Ｂ）を配置してある。成形加工用の穴（５０Ａ）（５０Ｂ）を顎受け部（４８Ａ）（４８Ｂ）下部の一部に設けてある。また、雌部材（４ｓ）の下部に、脚受け部（５１）を設けてある。また、脚受け部（５１）は、顎受け部（４８Ａ）（４８Ｂ）の下部に配置し、顎受け部（４８Ａ）（４８Ｂ）の下部から底部に向けて傾斜して、雌部材（４ｓ）の内面に円周状に設けてある。脚部（４７Ａ）（４７Ｂ）と対応する位置に配置してある。なお、特に図示しないが、付勢部材は、一対の屈折状弾性片としてもよい。あるいは、頭部から下方側に延びる複数本の弾性脚片を備えてもよい。
【００８７】
次に、作用について、一部、説明する。筒軸方向（矢印Ｚ）に沿って雌部材（４ｓ）内を雄部材（２ｓ）が移動する際に、脚部（４７Ａ）（４７Ｂ）と脚受け部（５１）とが摺動する。雄部材（２ｓ）の頭部（３６ｓ）を雌部材（４ｓ）内にて指で押圧したあと、指を離すと、付勢部材（５Ａｓ）（５Ｂｓ）によって突き出させる向き（矢印Ｔ）に雄部材（２ｓ）が移動し、顎受け部（４８Ａ）（４８Ｂ）に顎部（４６Ａｓ）（４６Ｂｓ）が接触して係合し、移動を停止する。ストッパーとして機能する。また、筒軸方向（矢印Ｚ）に沿って雌部材（４ｓ）内を雄部材（２ｓ）が移動する際は、案内部（４９）等によって案内される。案内部（４９）は、雌部材（４ｓ）内面に形成した凸状の突状部（５２）と、特に図示していないが、突状部（５２）に対応する位置に雄部材（２ｓ）外面に配置した凹状の溝部とで構成してある。突状部（５２）と嵌合する溝部とによって筒軸方向（矢印Ｚ）に案内される。
【００８８】
次に、実施例１７である、留め具（１ｔ）について記す。実施例１７である、留め具（１ｔ）は、図５５〜５８にて、次のようにしてある。雄部材（２ｔ）が設けられている。筒状（３ｔ）の雌部材（４ｔ）が設けられている。該雌部材（４ｔ）の筒軸方向（矢印Ｚ）に沿って移動可能に雌部材（４ｔ）内に雄部材（２ｔ）を入れ込ませて、該雌部材（４ｔ）内から雄部材（２ｔ）を突き出させる向き（矢印Ｔ）に付勢する付勢部材（５ｔ）が設けられている。該筒軸方向（矢印Ｚ）に交叉する向き（矢印Ｋ）に雄部材（２ｔ）と雌部材（４ｔ）とに通し孔（６ｔ）（７Ａｔ）（７Ｂｔ）が設けられている。該付勢部材（５ｔ）の付勢に抗した雄部材（２ｔ）の押し込み位置（８ｔ）にて、連通し合う雄部材（２ｔ）の通し孔（６ｔ）と雌部材（４ｔ）の通し孔（７Ａｔ）（７Ｂｔ）とに、紐状体が挿通される。該付勢部材（５ｔ）の付勢により、雄部材（２ｔ）の押し込みを解くことで、紐状体に留め付けられる留め具（１ｔ）としてある。また、雌部材（４ｔ）に一体的に設けられ、第１フック部（１３ｔ）と第２フック部（１６ｔ）とで形成されるフック部材（１９ｔ）は、実施例３と同様にしてあるが、やや小型にしてある。また、特に図示しないが、留め具（１ｔ）付き巾着袋（３３）は、次のようにしてある。開口縁部（２９）に紐状体挿通部（３０）が形成されている袋体（３１）と、該紐状体挿通部（３０）に挿通されている紐状体（９）と、該紐状体挿通部（３０）から出ている紐状体（９）に装着されて袋体（３１）の開口縁部（２９）を絞った状態に維持するための留め具（１ｔ）と、該留め具（１ｔ）のフック部材（１９ｔ）に挿通して袋体（３１）に設けられた挿通片（３２）と、が備えられている。また、次のように記すこともできる。紐状体（９）の留め付け構造（３５ｔ）は、該留め具（１ｔ）と、該留め具（１ｔ）の使用対象物（３４）に備えて該留め具（１ｔ）の留め付けられる紐状体（９）と、該留め具（１ｔ）のフック部材（１９ｔ）に挿通して使用対象物（３４）に設けられた挿通片（３２）と、が備えられている。
【００８９】
付勢部材（５ｔ）は、雄部材（２ｔ）の通し孔（６ｔ）の下部を延設して、雄部材（２ｔ）に一体的に形成してある。複数段に屈曲する板状の脚部（４７ｔ）から構成してある。付勢部材（５ｔ）は、適度な弾性と剛性とを有する熱可塑性樹脂で成形してある。脚部（４７ｔ）は、樹脂の弾性を利用して、上下方向に伸縮するように弾性変形可能としてある。
【００９０】
次に、作用について、一部、説明する。筒軸方向（矢印Ｚ）に沿って雌部材（４ｔ）内を雄部材（２ｔ）が移動する際に、脚部（４７ｔ）と雌部材（４ｔ）内面とが摺動する。雄部材（２ｔ）の頭部（３６ｔ）を雌部材（４ｔ）内にて指で押圧したあと、指を離すと、付勢部材（５ｔ）によって突き出させる向き（矢印Ｔ）に雄部材（２ｔ）が移動し、特に図示しないが、雌部材（４ｔ）の内面の一部と付勢部材（５ｔ）の一部とが接触して、ストッパーとして機能し、係合して、移動を停止する。
【００９１】
次に、実施例１８である、留め具（１ｕ）について記す。実施例１８である、留め具（１ｕ）は、図４８〜５０にて、次のようにしてある。雄部材（２ｕ）が設けられている。筒状（３ｕ）の雌部材（４ｕ）が設けられている。該雌部材（４ｕ）の筒軸方向（矢印Ｚ）に沿って移動可能に雌部材（４ｕ）内に雄部材（２ｕ）を入れ込ませて、該雌部材（４ｕ）内から雄部材（２ｕ）を突き出させる向き（矢印Ｔ）に付勢する付勢部材（５Ａｕ）（５Ｂｕ）が設けられている。該筒軸方向（矢印Ｚ）に交叉する向き（矢印Ｋ）に雄部材（２ｕ）と雌部材（４ｕ）とに通し孔（６ｕ）（７Ａｕ）（７Ｂｕ）が設けられている。該付勢部材（５Ａｕ）（５Ｂｕ）の付勢に抗した雄部材（２ｕ）の押し込み位置（８ｕ）にて、連通し合う雄部材（２ｕ）の通し孔（６ｕ）と雌部材（４ｕ）の通し孔（７Ａｕ）（７Ｂｕ）とに、紐状体が挿通される。該付勢部材（５Ａｕ）（５Ｂｕ）の付勢により、雄部材（２ｕ）の押し込みを解くことで、紐状体に留め付けられる留め具（１ｕ）としてある。また、フック部材（１９ｎ）は、実施例１１と同様にしてある。第１フック部（１３ｎ）と第２フック部（１６ｎ）とで形成されるフック部材（１９ｎ）が雌部材（４ｕ）に一体的に設けられている。また、特に図示しないが、留め具（１ｕ）付き巾着袋（３３）は、次のようにしてある。開口縁部（２９）に紐状体挿通部（３０）が形成されている袋体（３１）と、該紐状体挿通部（３０）に挿通されている紐状体（９）と、該紐状体挿通部（３０）から出ている紐状体（９）に装着されて袋体（３１）の開口縁部（２９）を絞った状態に維持するための留め具（１ｕ）と、該留め具（１ｕ）のフック部材（１９ｎ）に挿通して袋体（３１）に設けられた挿通片（３２）と、が備えられている。また、次のように記すこともできる。紐状体（９）の留め付け構造（３５ｕ）は、該留め具（１ｕ）と、該留め具（１ｕ）の使用対象物（３４）に備えて該留め具（１ｕ）の留め付けられる紐状体（９）と、該留め具（１ｕ）のフック部材（１９ｎ）に挿通して使用対象物（３４）に設けられた挿通片（３２）と、が備えられている。
【００９２】
アンカー型の脚部（４７ｕ）は、雄部材（２ｕ）の通し孔（６ｕ）の下部を延設して、雄部材（２ｕ）に一体的に形成してある。先端は断面矢じり状としてある。脚部（４７ｕ）先端の外側面には、顎部（４６Ａｕ）（４６Ｂｕ）を配置してある。また、雌部材（４ｕ）の底部中央より、突き出させる向き（矢印Ｔ）に、立ち上げるようにして、付勢部材（５Ａｕ）（５Ｂｕ）である脚受け部（５１Ａｕ）（５１Ｂｕ）を設けてある。付勢部材（５Ａｕ）（５Ｂｕ）は、適度な弾性と剛性とを有する熱可塑性樹脂で成形してある。脚受け部（５１Ａｕ）（５１Ｂｕ）は、脚部（４７ｕ）と対応する位置に配置し、樹脂の弾性を利用して、相互に離れる方向に弾性変形可能としてある。また、脚受け部（５１Ａｕ）（５１Ｂｕ）先端の内側面に、顎受け部（４８Ａｕ）（４８Ｂｕ）を配置してある。顎部（４６Ａｕ）（４６Ｂｕ）と対応する位置に顎受け部（４８Ａｕ）（４８Ｂｕ）を配置してある。
【００９３】
次に、作用について、一部、説明する。筒軸方向（矢印Ｚ）に沿って雌部材（４ｕ）内を雄部材（２ｕ）が移動する際に、脚部（４７ｕ）と脚受け部（５１Ａｕ）（５１Ｂｕ）とが摺動する。雄部材（２ｕ）の頭部（３６ｕ）を雌部材（４ｕ）内にて指で押圧したあと、指を離すと、付勢部材（５Ａｕ）（５Ｂｕ）によって突き出させる向き（矢印Ｔ）に雄部材（２ｕ）が移動し、顎受け部（４８Ａｕ）（４８Ｂｕ）に顎部（４６Ａｕ）（４６Ｂｕ）が接触して係合し、移動を停止する。ストッパーとして機能する。また、筒軸方向（矢印Ｚ）に沿って雌部材（４ｕ）内を雄部材（２ｕ）が移動する際は、案内部（４９ｕ）等によって案内される。案内部（４９ｕ）は、雌部材（４ｕ）内面に形成した凸状の突状部（５２ｕ）と、特に図示していないが、突状部（５２ｕ）に対応する位置に雄部材（２ｕ）外面に配置した凹状の溝部とで構成してある。突状部（５２ｕ）と嵌合する溝部とによって筒軸方向（矢印Ｚ）に案内される。
【００９４】
次に、実施例１９である、留め具（１ｖ）について記す。実施例１９である、留め具（１ｖ）は、図５９〜６０にて、実施例１２と同様にしてある。ただし、一部相違する。第１フック部（１３ｖ）の先端（１７ｖ）側と、第２フック部（１６ｖ）の先端（１８ｖ）側とが、重なるように配置されている。
【００９５】
第１フック部（１３ｖ）の先端（１７ｖ）側と、第２フック部（１６ｖ）の先端（１８ｖ）側とが、接して配置されたフック部材（１９ｖ）としてある。接して配置されたフック部材（１９ｖ）を有している。第１フック部（１３ｖ）の先端（１７ｖ）側と、第２フック部（１６ｖ）の先端（１８ｖ）側とが、重なるように配置されているので、フック部材（１９ｖ）から挿通片（３２）が脱落してしまう恐れが少なくなる、という効果が生じる（効果１９−１）。また、第１フック部（１３ｖ）の先端（１７ｖ）側と、第２フック部（１６ｖ）の先端（１８ｖ）側とが、接して配置されているので、フック部材（１９ｖ）から挿通片（３２）が脱落してしまう恐れが少なくなる、という効果が生じる（効果１９−２セナ）。
【００９６】
次に、実施例２０である、留め具（１ｗ）について記す。実施例２０である、留め具（１ｗ）は、図６１〜６２にて、実施例１３と同様にしてある。ただし、一部相違する。第１フック部（１３ｗ）の先端（１７ｗ）側と、第２フック部（１６ｗ）の先端（１８ｗ）側とが、重なるように配置されている。
【００９７】
第１フック部（１３ｗ）の先端（１７ｗ）側と、第２フック部（１６ｗ）の先端（１８ｗ）側とが、接して配置されたフック部材（１９ｗ）としてある。接して配置されたフック部材（１９ｗ）を有している。第１フック部（１３ｗ）の先端（１７ｗ）側と、第２フック部（１６ｗ）の先端（１８ｗ）側とが、重なるように配置されているので、フック部材（１９ｗ）から挿通片（３２）が脱落してしまう恐れが少なくなる、という効果が生じる（効果２０−１）。また、第１フック部（１３ｗ）の先端（１７ｗ）側と、第２フック部（１６ｗ）の先端（１８ｗ）側とが、接して配置されているので、フック部材（１９ｗ）から挿通片（３２）が脱落してしまう恐れが少なくなる、という効果が生じる（効果２０−２セナ）。
【００９８】
次に、実施例２１である、留め具（１ｘ）について記す。図６３〜６４にて、実施例２１である、留め具（１ｘ）は、実施例９と同様に、第１フック部（１３ｘ）の先端（１７ｘ）側と、第２フック部（１６ｘ）の先端（１８ｘ）側とが、重なるように配置され、第１フック部（１３ｘ）の内面に臨むように第２フック部（１６ｘ）の先端（１８ｘ）が配置され、フック部材（１９ｘ）の基部（１０ｘ）側が雌部材（４ｘ）に埋設されている。ただし、実施例９とは一部相違する。次のようにしてある。第２フック部（１６ｘ）に係止爪（２３ｘ）が設けられ、係止爪（２３ｘ）を係止させる係止部（２４ｘ）が第１フック部（１３ｘ）に設けられている。実施例９は、実施例１と同様に、矢じり状の係止爪（２３ｊ）の先端は紡錘形状としてあり、係止部（２４ｊ）は円形状の穴としてあるが、実施例２１は、次のようにしてある。係止爪（２３ｘ）は鉤状にしてある。Ｌ字状にしてある。また、係止部（２４ｘ）は、鉤状の係止爪（２３ｘ）に対応するように、突状としてある。鉤受としてある。つまり、実施例９に対して、上半分を削ったような断面形状としてある。係止爪（２３ｘ）と係止部（２４ｘ）とは嵌合する。係合するようにしてある。
【００９９】
実施例９と同様に、係止爪（２３ｘ）と係止部（２４ｘ）を係止させることにより、フック部材（１９ｘ）に挿通した挿通片（３２）の脱落防止を向上させる、という効果が生じる（効果２１−１）。また、次のような効果もある。係止爪（２３ｘ）と係止部（２４ｘ）とが離れている状態から嵌合する状態へ押圧される方向は、内側から外側になっている。よって、袋体（３１）を開口する場合、フック部材（１９ｘ）に挿通された挿通片（３２）が引っ張られるが、同じ方向なので、引っ張られても嵌合する方向なので、外れることはない。フック部材（１９ｘ）に挿通した挿通片（３２）の脱落防止を向上させる、という効果が生じる（効果２１−２セナ）。実施例８、９も同様の効果がある。
【０１００】
次に、各実施例において、補足する。例えば、実施例１にて、特に図示しないが、次のようにしてもよい。孔（４３）の貫通する方向（矢印Ｎ）と、通し孔（６Ａ）（６Ｂ）（７Ａ）（７Ｂ）との該連通し合う方向（矢印Ｋ）とが、直角に近い角度になるように、つまり、フック部材（１９）の長手方向と雌部材（４）の長手方向とが平行するように設けてあるが、他の方向、角度でもよく、また、フック部材（１９）を設ける位置は、雌部材（４）に対して、上下左右前後としてもよい。種々雑多な角度も可能である。例えば、第１フック部の先端側と、第２フック部の先端側とを、頭部寄りに設けてもよい。つまり、開口している側を頭部寄りに設けてもよい。フック部材（１９）の設ける向きもいろんな選択が考えられる。また、係止爪（２３）と係止部（２４）の位置についても、この限りではなく、雌部材（４）に対して、上下左右前後等設けてもよい。他の実施例についても同様にしてもよい。
【０１０１】
また、例えば、実施例１にて、特に図示しないが、次のようにしてもよい。断面略Ｕ字状（２５）の湾曲部（２６Ａ）（２６Ｂ）を両端（２７Ａ）（２７Ｂ）に有するフック部材（１９）としてあるが、略コの字形状、略Ｖ字状などでもよい。形状は、四角形状、六角形状、多角形状、半円状、楕円状に設けてもよい。また、他の形状に設けてもよい。他の実施例についても同様にしてもよい。
【０１０２】
また、例えば、実施例１にて、特に図示しないが、次のようにしてもよい。第１フック部（１３）の先端側（１７）と、第２フック部（１６）の先端側（１８）とは、形状が違ってもよく、位置関係も対称性を有さなくてもよい。他の実施例についても同様にしてもよい。
【０１０３】
また、例えば、実施例１にて、特に図示しないが、次のようにしてもよい。矢じり状の係止爪（２３）の先端を台形状にしてもよい。あるいは、矢じり状の係止爪（２３）を、Ｌ字状としてもよい。Ｌ字状にして、係止部（２４）に対して引っ掛けるように設けてもよい。あるいは、鉤状としてもよい。棒状、球状としてもよい。あるいは、次のようにしてもよい。凸部である係止爪（２３）を第２フック部（１６）に設けて、凹部である係止部（２４）を第１フック部（１３）に設けてもよい。他の実施例についても同様にしてもよい。
【０１０４】
また、実施例２にて、特に図示しないが、次のようにしてもよい。第１フック部の先端側、または、第２フック部の先端側を鋭角にしてもよい。鋭角にすることにより、フック部材から挿通片（３２）が抜け出しそうになった場合に、挿通片（３２）を突き刺したりすることができ、抜け出すのを防ぐことができる、という効果が生じる（効果２−３セナ）。また、第２フック部の先端側を波状、ギザギザ状、山谷状、または、エンボス加工に、あるいは、段差等を設けてもよい。同様に、該第２フック部に対応する第１フック部の先端側を波状、ギザギザ状、エンボス加工に、あるいは、段差等を設けてもよい。表面の摩擦係数等が増大し、フック部材から挿通片（３２）が抜け出しそうになった場合に、脱落しにくくなる、という効果が生じる（効果２−４セナ）。また、実施例３、４、５、１４にて、特に図示しないが、次のようにしてもよい。第２フック部の先端側を鋭角にしてもよい。前記と同様の効果が生じる（効果３−２セナ）。また、第２フック部の先端側を波状、ギザギザ状、山谷状、または、エンボス加工に、あるいは、段差等を設けてもよい。前記と同様の効果が生じる（効果３−３セナ）。また、実施例１２、１３にて、特に図示しないが、次のようにしてもよい。第１フック部の先端側、または、第２フック部の先端側を鋭角にしてもよい。前記と同様の効果が生じる（効果１２−３セナ）。また、第１フック部の先端側、または、第２フック部の先端側を、波状、ギザギザ状、山谷状、または、エンボス加工に、あるいは、段差等を設けてもよい。前記と同様の効果が生じる（効果１２−４セナ）。また、実施例１５にて、特に図示しないが、次のようにしてもよい。第１フック部の先端側を鋭角にしてもよい。前記と同様の効果が生じる（効果１５−２セナ）。また、第１フック部の先端側を波状、ギザギザ状、山谷状、または、エンボス加工に、あるいは、段差等を設けてもよい。前記と同様の効果が生じる（効果１５−３セナ）。
【０１０５】
また、例えば、他の実施例にて、特に図示しないが、実施例１と同様に次のようにしてもよい。使用対象物（３４）は袋体（３１）としてあるが、例えば、衣類、手袋等でもよい。
【０１０６】
なお、各実施例の効果としては、各項に記載した内容以外については、特に記載していないが、実施例１の効果と同程度の内容を有するものもある。
【図面の簡単な説明】
【０１０７】
【図１】実施例１の全体図。
【図２】実施例１の全体図。
【図３】実施例１の部分図。
【図４】実施例１の説明図。
【図５】実施例１の分解図。
【図６】実施例１の組立図。
【図７】実施例１の正面図。
【図８】実施例１の横から見た断面図。
【図９】実施例１の横から見た動作断面図。
【図１０】実施例１の上から見た断面図。
【図１１】実施例１の上面図。
【図１２】実施例１の側面図。
【図１３】実施例２の正面図。
【図１４】実施例２の側面図。
【図１５】実施例３の正面図。
【図１６】実施例３の側面図。
【図１７】実施例４の正面図。
【図１８】実施例４の側面図。
【図１９】実施例４の上面図。
【図２０】実施例５の上面図。
【図２１】実施例５の正面図。
【図２２】実施例６の正面図。
【図２３】実施例７の正面図。
【図２４】実施例８の断面図。
【図２５】実施例８の側面図。
【図２６】実施例９の断面図。
【図２７】実施例１１の側面図。
【図２８】実施例１１の正面の断面図。
【図２９】実施例１１の動作断面図。
【図３０】実施例１１の上面図。
【図３１】実施例１０の正面図。
【図３２】実施例１の組立説明図。
【図３３】実施例１の組立説明図。
【図３４】実施例１の組立説明図。
【図３５】実施例１１の組立説明図。
【図３６】実施例１１の組立説明図。
【図３７】実施例１１の組立説明図。
【図３８】実施例１１の組立説明図。
【図３９】実施例１１の組立説明図。
【図４０】実施例１１の組立説明図。
【図４１】実施例１２の正面図。
【図４２】実施例１２の側面図。
【図４３】実施例１３の正面図。
【図４４】実施例１３の側面図。
【図４５】実施例１４の正面図。
【図４６】実施例１４の側面図。
【図４７】実施例１５の正面図。
【図４８】実施例１８の裏面から見た断面分解図。
【図４９】実施例１８の裏面から見た断面図。
【図５０】実施例１８の裏面から見た断面図。
【図５１】実施例１６の裏面から見た断面分解図。
【図５２】実施例１６の正面図。
【図５３】実施例１６の裏面から見た断面図。
【図５４】実施例１６の裏面から見た断面図。
【図５５】実施例１７の横から見た分解図。
【図５６】実施例１７の正面図。
【図５７】実施例１７の側面図。
【図５８】実施例１７の側面図。
【図５９】実施例１９の正面図。
【図６０】実施例１９の側面図。
【図６１】実施例２０の正面図。
【図６２】実施例２０の側面図。
【図６３】実施例２１の断面図。
【図６４】実施例２１の断面図。
【０１０８】
（１）      留め具  実施例１
（１ａ）    実施例２
（１ｂ）    実施例３
（１ｃ）    実施例４
（１ｄ）    実施例５
（１ｅ）    実施例６
（１ｆ）    実施例７
（１ｈ）    実施例８
（１ｊ）    実施例９
（１ｋ）    実施例１０
（１ｎ）    実施例１１
（１ｍ）    実施例１２
（１ｐ）    実施例１３
（１ｑ）    実施例１４
（１ｒ）    実施例１５
（１ｓ）    実施例１６
（１ｔ）    実施例１７
（１ｕ）    実施例１８
（１ｖ）    実施例１９
（１ｗ）    実施例２０
（１ｘ）    実施例２１
（２）    雄部材
（３）    筒状
（４）    雌部材
（５）    付勢部材
（６）    通し孔
（７）    通し孔
（８）    押し込み位置
（９）    紐状体
（１０）  基部
（１１）  一端部
（１２）  折返し状
（１３）  第１フック部
（１４）  他端部
（１５）  折返し状
（１６）  第２フック部
（１７）  （第１フック部の）先端
（１８）  （第２フック部の）先端
（１９）  フック部材
（２０）  外面
（２１）  内面
（２２）  端部
（２３）  係止爪
（２４）  係止部
（２５）  断面略Ｕ字状
（２６）  湾曲部
（２７）  両端
（２８）  付勢部材支持部
（２９）  開口縁部
（３０）  紐状体挿通部
（３１）  袋体
（３２）  挿通片
（３３）  巾着袋
（３４）  使用対象物
（３５）  留め付け構造
（３６）  頭部
（３７）  ビストン状部
（３８）  シリンダー状部
（３９）  差し入れ部
（４０）  中空
（４１）  窪み部
（４２）  外側の面
（４３）  孔
（４４）  切り込み
（４５）  支え部
（４６）  顎部
（４７）  脚部
（４８）  顎受け部
（４９）  案内部
（５０）  穴
（５１）  脚受け部
（５２）  突状部
（Ａ）    面
（Ｂ）    面
（Ｃ）    面
（Ｄ）    面
（Ｅ）    面
（Ｆ）    面
（Ｈ）    基部の厚さ
（Ｓ）    挿通片の内寸
（矢印Ｇ）湾曲
（矢印Ｊ）開き方向
（矢印Ｋ）交叉する向き
直交する方向
連通し合う方向
（矢印Ｌ）移動方向
（矢印Ｍ）貫通する方向
（矢印Ｎ）貫通する方向
（矢印Ｏ）開き方向
（矢印Ｐ）方向
（矢印Ｔ）突き出させる向き
（矢印Ｕ）開き方向
（矢印Ｚ）筒軸方向
貫通する方向
【図１】
2014018541.tif 000003
【図２】
2014018541.tif 000004
【図３】
2014018541.tif 000005
【図４】
2014018541.tif 000006
【図５】
2014018541.tif 000007
【図６】
2014018541.tif 000008
【図７】
2014018541.tif 000009
【図８】
2014018541.tif 000010
【図９】
2014018541.tif 000011
【図１０】
2014018541.tif 000012
【図１１】
2014018541.tif 000013
【図１２】
2014018541.tif 000014
【図１３】
2014018541.tif 000015
【図１４】
2014018541.tif 000016
【図１５】
2014018541.tif 000017
【図１６】
2014018541.tif 000018
【図１７】
2014018541.tif 000019
【図１８】
2014018541.tif 000020
【図１９】
2014018541.tif 000021
【図２０】
2014018541.tif 000022
【図２１】
2014018541.tif 000023
【図２２】
2014018541.tif 000024
【図２３】
2014018541.tif 000025
【図２４】
2014018541.tif 000026
【図２５】
2014018541.tif 000027
【図２６】
2014018541.tif 000028
【図２７】
2014018541.tif 000029
【図２８】
2014018541.tif 000030
【図２９】
2014018541.tif 000031
【図３０】
2014018541.tif 000032
【図３１】
2014018541.tif 000033
【図３２】
2014018541.tif 000034
【図３３】
2014018541.tif 000035
【図３４】
2014018541.tif 000036
【図３５】
2014018541.tif 000037
【図３６】
2014018541.tif 000038
【図３７】
2014018541.tif 000039
【図３８】
2014018541.tif 000040
【図３９】
2014018541.tif 000041
【図４０】
2014018541.tif 000042
【図４１】
2014018541.tif 000043
【図４２】
2014018541.tif 000044
【図４３】
2014018541.tif 000045
【図４４】
2014018541.tif 000046
【図４５】
2014018541.tif 000047
【図４６】
2014018541.tif 000048
【図４７】
2014018541.tif 000049
【図４８】
2014018541.tif 000050
【図４９】
2014018541.tif 000051
【図５０】
2014018541.tif 000052
【図５１】
2014018541.tif 000053
【図５２】
2014018541.tif 000054
【図５３】
2014018541.tif 000055
【図５４】
2014018541.tif 000056
【図５５】
2014018541.tif 000057
【図５６】
2014018541.tif 000058
【図５７】
2014018541.tif 000059
【図５８】
2014018541.tif 000060
【図５９】
2014018541.tif 000061
【図６０】
2014018541.tif 000062
【図６１】
2014018541.tif 000063
【図６２】
2014018541.tif 000064
【図６３】
2014018541.tif 000065
【図６４】
2014018541.tif 000066
【手続補正書】
【提出日】平成25年7月27日(2013.7.27)
【手続補正１】
【補正対象書類名】特許請求の範囲
【補正対象項目名】全文
【補正方法】変更
【補正の内容】
【特許請求の範囲】
【請求項１】
雄部材が設けられ、
筒状の雌部材が設けられ、
該雌部材の筒軸方向に沿って移動可能に雌部材内に雄部材を入れ込ませて、該雌部材内から雄部材を突き出させる向きに付勢する付勢部材が設けられ、
該筒軸方向に交叉する向きに雄部材と雌部材とに通し孔が設けられ、
該付勢部材の付勢に抗した雄部材の押し込み位置にて、連通し合う雄部材の通し孔と雌部材の通し孔とに、紐状体が挿通され、
該付勢部材の付勢により、雄部材の押し込みを解くことで、紐状体に留め付けられる留め具において、
基部が設けられ、
該基部の一端部から折返し状に延びた第１フック部が設けられ、
該基部の他端部から第１フック部に向けて折返し状に延びた第２フック部が設けられ、
該第１フック部と第２フック部とで形成されるフック部材が雌部材に一体的に設けられたことを特徴とする留め具。
【請求項２】
請求項１に記載の留め具のフック部材において、
前記第１フック部の先端側と、第２フック部の先端側とが、常時は当接し、
該第１フック部の弾性変形、または、第２フック部の弾性変形により、
該第１フック部の先端側と、第２フック部の先端側とが、離れることを特徴とする留め具。
【請求項３】
請求項２に記載の留め具のフック部材において、
前記第１フック部の先端側と、前記第２フック部の先端側とが、重なるように配置されたことを特徴とする留め具。
【請求項４】
請求項３に記載の留め具のフック部材において、
前記第１フック部の内面に臨むように前記第２フック部の先端が配置され、
該第１フック部の先端側と、該第２フック部の先端側とが、該第２フック部の傾動により離れることを特徴とする留め具。
【請求項５】
請求項３〜４のいずれかに記載の留め具において、
前記第１フック部に係止爪が設けられ、
該係止爪を係止させる係止部が前記第２フック部に設けられ、
または、
前記第２フック部に係止爪が設けられ、
該係止爪を係止させる係止部が前記第１フック部に設けられたことを特徴とする留め具。
【請求項６】
請求項１に記載の留め具のフック部材において、
前記第１フック部の先端側と、第２フック部の先端側とが、すれ違うように配置され、
かつ、
該第１フック部の先端側と、第２フック部の先端側とが、離されて配置されたことを特徴とする留め具。
【請求項７】
前記フック部材の基部側が前記雌部材に埋設され、
または、
前記フック部材の第１フック部の先端側が前記雌部材に埋設され、
または、
前記フック部材の第２フック部の先端側が前記雌部材に埋設されたことを特徴とする請求項１〜６のいずれかに記載の留め具。
【請求項８】
請求項１〜７のいずれかに記載の留め具と、
該留め具の使用対象物に備えて該留め具の留め付けられる紐状体と、
該留め具のフック部材に挿通して使用対象物に設けられた挿通片と、
が備えられていることを特徴とする紐状体の留め付け構造。
【請求項９】
開口縁部に紐状体挿通部が形成されている袋体と、
該紐状体挿通部に挿通されている紐状体と、
該紐状体挿通部から出ている紐状体に装着されて袋体の開口縁部を絞った状態に維持するための請求項１〜７のいずれかに記載の留め具と、
該留め具のフック部材に挿通して袋体に設けられた挿通片と、
が備えられていることを特徴とする留め具付き巾着袋。
【手続補正２】
【補正対象書類名】明細書
【補正対象項目名】全文
【補正方法】変更
【補正の内容】
【発明の詳細な説明】
【技術分野】
【０００１】
本発明は、主に、ボタン、ピン、バックル、スライドファスナーの類似のものにて、特には、雄部材、雌部材、付勢部材等によって構成される紐状体に留め付けられる留め具に関し、あるいは、紐状体の留め付け構造、あるいは、留め具付き巾着袋に関する。
【背景技術】
【０００２】
雄部材、雌部材、付勢部材等によって構成される紐状体に留め付けられる留め具として、次のようなものがある。１件目について記す。長手方向に延びる筒状内孔と、該筒状内孔に直角な方向に整列していて止めるべき紐を通す２つの孔とを有する筒状の本体と、前記２つの孔に通された紐を前記２つの孔に固定するため前記本体の前記内孔に嵌合して摺動自在であり且つ押圧されたときに前記２つの孔と整列し得る貫通孔を有する柱状の係止部材と、前記本体を衣類に固定するため、前記本体の側面に前記長手方向に沿って一体成形されている取り付け板と、前記取り付け板に形成された取り付け孔とよりなる紐止め具と、前記２つの孔及び前記貫通孔に挿通された紐と、前記紐止め具及び前記紐を衣類の片面側に位置するようにして鋲又は糸により前記取り付け孔を介して前記取り付け板を前記衣類に固定してなる紐止め具（特許文献１参照。特許３０３２４３３を含む）がある。次に、２件目について記す。筒側部対向位置に紐の通し穴を備え、かつ、一方の筒端を開放させると共に他方の筒端を閉塞させた筒状本体と、この筒状本体の開放側から当該筒状本体内に移動可能に納められていると共に、移動方向に略直交する向きに紐の通し穴を備えたロック体とを有しており、このロック体が、少なくとも当該ロック体の紐の通し穴と前記筒状本体の紐の通し穴とを紐の通し抜け可能に連通させた当該ロック体の押し込み位置において、当該筒状本体の閉塞底部に下端部を突き当てて当該ロック体を当該筒状本体から突き出させる向きに付勢する一対の屈曲状弾性片を備えており、この一対の屈曲状弾性片の一方が、前記ロック体の突き出し中心線を挟んだ一方側に前記下端部を配し、かつ、この一方側においてその上端部を当該ロック体に一体に連接させていると共に、前記一対の屈曲状弾性片の他方が、前記ロック体の突き出し中心線を挟んだ他方側の前記下端部を配し、かつ、この他方側においてその上端部を当該ロック体に一体に連接させていることを特徴とする紐留め具（特許文献２参照）がある。
【特許文献１】特開平８−８９３１６
【特許文献２】特開２００１−７００１２
【発明の開示】
【発明が解決しようとする課題】
【０００３】
第１の課題を記す。特許文献１の紐止め具（紐留め具）は、走ったり、その他激しい運動を行うと紐止めが顔に当たったり、周囲に藪、電柱、木立その他の物がある場合には引っかかったりする問題を解消するため、鋲又は糸により取り付け孔を介して取り付け板を衣類に固定してなる構成にしてある。よって、紐止め具を衣類に固定するためには、鋲による場合は、鋲を打ち込んだり、かしめたりする道具または装置が、糸による場合は、縫着する道具または装置が必要になる。つまり、紐止め具を使用する物品の製造者などのユーザーが、衣類、または、紐止め具を使用する物品を紐止め具に固定する組立加工作業にて、手間を要し、加工コストが高くなってしまうという問題がある（課題１−１）。前記問題を解消し、組立加工作業にて、手間を要し、加工コストが高くなってしまう恐れの少ない留め具を提供することを目的とする。次に、第２の課題を記す。一般に、紐付きの巾着袋にて、特許文献２のような紐留め具を具備したものが市販されている。閉じていた袋の口を開く場合には、紐への留め付けをしていた紐留め具のロック体の頭部を押圧して押し込むことにより、ロック体の紐の通し穴と筒状本体の紐の通し穴とに紐を差し通し抜けさせ、紐留め具を移動させる。しかし、移動するのは紐留め具のみであるため、閉じていた袋の口を開くには、次に、袋の縁を手等で掴んで袋の口を開く方向へ拡げる必要がある。つまり、閉じていた袋の口を開くには、紐留め具の移動および袋の縁の移動という２段階の動作を行う必要があり、手間を要するという問題がある。（課題１−２）。あるいは、この際、別の方法として、閉じていた袋の口を開くには、紐留め具のロック体の頭部を押圧して押し込んだまま紐留め具を掴みながら開き方向に紐留め具を移動させている手で、同時に、紐留め具を設けてある側の袋の縁を掴んで袋の口を開く方向へ拡げる必要がある。この場合も、同様に手間を要するという問題がある。（課題１−２）。前記問題を解消し、閉じていた袋の口を開くには、紐留め具の移動および袋の縁の移動という２段階の動作を行う必要があり、あるいは、２段階の動作を同時に行うために掴み方を工夫しなければならず、手間を要するが、手間の少ない留め具を提供することを目的とする。
【課題を解決するための手段】
【０００４】
本発明によると上記課題は、次のようにして解決される。
雄部材が設けられ、筒状の雌部材が設けられ、該雌部材の筒軸方向に沿って移動可能に雌部材内に雄部材を入れ込ませて、該雌部材内から雄部材を突き出させる向きに付勢する付勢部材が設けられ、該筒軸方向に交叉する向きに雄部材と雌部材とに通し孔が設けられ、該付勢部材の付勢に抗した雄部材の押し込み位置にて、連通し合う雄部材の通し孔と雌部材の通し孔とに、紐状体が挿通され、該付勢部材の付勢により、雄部材の押し込みを解くことで、紐状体に留め付けられる留め具において、基部が設けられ、該基部の一端部から折返し状に延びた第１フック部が設けられ、該基部の他端部から第１フック部に向けて折返し状に延びた第２フック部が設けられ、該第１フック部と第２フック部とで形成されるフック部材が雌部材に一体的に設けられたことを特徴とする留め具とする。
【０００５】
前記留め具のフック部材において、前記第１フック部の先端側と、第２フック部の先端側とが、常時は当接し、該第１フック部の弾性変形、または、第２フック部の弾性変形により、該第１フック部の先端側と、第２フック部の先端側とが、離れることを特徴とする留め具とする。
【０００６】
前記留め具のフック部材において、前記第１フック部の先端側と、前記第２フック部の先端側とが、重なるように配置されたことを特徴とする留め具とする。
【０００７】
前記留め具のフック部材において、前記第１フック部の内面に臨むように前記第２フック部の先端が配置され、該第１フック部の先端側と、該第２フック部の先端側とが、該第２フック部の傾動により離れることを特徴とする留め具とする。
【０００８】
前記留め具において、前記第１フック部に係止爪が設けられ、該係止爪を係止させる係止部が前記第２フック部に設けられ、または、前記第２フック部に係止爪が設けられ、該係止爪を係止させる係止部が前記第１フック部に設けられたことを特徴とする留め具とする。
【０００９】
前記留め具のフック部材において、前記第１フック部の先端側と、第２フック部の先端側とが、すれ違うように配置され、かつ、該第１フック部の先端側と、第２フック部の先端側とが、離されて配置されたことを特徴とする留め具とする。
【００１０】
前記フック部材の基部側が前記雌部材に埋設され、または、前記フック部材の第１フック部の先端側が前記雌部材に埋設され、または、前記フック部材の第２フック部の先端側が前記雌部材に埋設されたことを特徴とする留め具とする。
【００１１】
前記留め具と、該留め具の使用対象物に備えて該留め具の留め付けられる紐状体と、該留め具のフック部材に挿通して使用対象物に設けられた挿通片と、が備えられていることを特徴とする紐状体の留め付け構造とする。また、開口縁部に紐状体挿通部が形成されている袋体と、該紐状体挿通部に挿通されている紐状体と、該紐状体挿通部から出ている紐状体に装着されて袋体の開口縁部を絞った状態に維持するための留め具と、該留め具のフック部材に挿通して袋体に設けられた挿通片と、が備えられていることを特徴とする留め具付き巾着袋とする。
【発明の効果】
【００１２】
本発明によれば、次のような効果を奏する。
（１）組立加工作業にて、作業の手間を軽減でき、加工コストの少ない留め具を提供することができる、という効果が生じる。（効果１−１）また、袋体の開口縁部を開口する際に、留め具を掴みながら雄部材の頭部を指で押圧したままで開き方向に留め具を移動させている残りの片方の手で、さらに、留め具を設けてある側の袋体の端部を掴む、あるいは、紐留め具の移動および袋の縁の移動という２段階の動作を行う必要がなく、作業の手間を低減することができる、という効果が生じる。（効果１−２）また、フック部材が雌部材に一体的に設けてあるので、重複する部分の容積の減少に伴って、材料費、加工費等の低減が可能であり、また、同時に容積の減少に伴って小型化できる、という効果が生じる。（効果１−３）
（２）前記留め具のフック部材において、前記第１フック部の先端側と、第２フック部の先端側とが、常時は当接し、該第１フック部の弾性変形、または、第２フック部の弾性変形により、該第１フック部の先端側と、第２フック部の先端側とが、離れることを特徴とする留め具にすることにより次のような効果がある。第１フック部の先端側と、第２フック部の先端側とが、常時は当接しているので、フック部材から挿通片が脱落してしまう恐れが少なくなる、という効果が生じる。（効果２−１）また、第１フック部もしくは第２フック部の弾性変形により、第１フック部の先端側と第２フック部の先端側とが離れるフック部材を有しているので、挿通片を挿入しやすく、また、復元力により戻るので、フック部材から挿通片が脱落してしまう恐れが少なくなる、という効果が生じる。（効果１−５）（効果７−２）
（３）前記留め具のフック部材において、前記第１フック部の先端側と、前記第２フック部の先端側とが、重なるように配置されたことを特徴とする留め具にすることにより次のような効果がある。第１フック部の先端側と、第２フック部の先端側とが、重なるように配置されているので、フック部材から挿通片が脱落してしまう恐れが少なくなる、という効果が生じる。（効果１−９）
（４）前記留め具のフック部材において、前記第１フック部の内面に臨むように前記第２フック部の先端が配置され、該第１フック部の先端側と、該第２フック部の先端側とが、該第２フック部の傾動により離れることを特徴とする留め具にすることにより次のような効果がある。第１フック部の先端側と、第２フック部の先端側とが、第２フック部の傾動により離れるので、挿通片を挿入しやすく、また、復元力により戻るので、フック部材から挿通片が脱落してしまう恐れが少なくなる、という効果が生じる。（効果１−６）
（５）前記留め具において、前記第１フック部に係止爪が設けられ、該係止爪を係止させる係止部が前記第２フック部に設けられ、または、前記第２フック部に係止爪が設けられ、該係止爪を係止させる係止部が前記第１フック部に設けられたことを特徴とする留め具にすることにより次のような効果がある。係止爪と係止部を係止させることにより、フック部材に挿通した挿通片の脱落防止を向上させる、という効果が生じる。（効果９−１）（効果１−８）
（６）前記留め具のフック部材において、前記第１フック部の先端側と、第２フック部の先端側とが、すれ違うように配置され、かつ、該第１フック部の先端側と、第２フック部の先端側とが、離されて配置されたことを特徴とする留め具にすることにより次のような効果がある。第１フック部の先端側と、第２フック部の先端側とが、離されて配置されたフック部材を有しているので、成型時の加工が容易で、また、フック部材に挿通片が挿通される場合に挿通されやすい、という効果が生じる。（効果１２−１）また、同時に、第１フック部の先端側と、第２フック部の先端側とが、すれ違うように配置されたフック部材を有しているので、フック部材から挿通片が脱落してしまう恐れが少なくなる、という効果が生じる。（効果１２−２）
（７）前記フック部材の基部側が前記雌部材に埋設され、または、前記フック部材の第１フック部の先端側が前記雌部材に埋設され、または、前記フック部材の第２フック部の先端側が前記雌部材に埋設されたことを特徴とする留め具にすることにより次のような効果がある。フック部材の基部側、あるいは、第１フック部もしくは第２フック部の先端側が雌部材に埋設されているので、材料費が低減し、小型化できる、という効果が生じる。（効果６−１）（効果３−１）（効果１５−１）
【発明を実施するための最良の形態】
【００１３】
以下に、添付図面に基づいて本発明の実施の形態について詳細に説明するが、本発明の範囲は、以下に説明される実施の形態に限定されるものではない。なお、一部の効果については、前記（発明が解決しようとする課題）の項で記載した各課題に対応するかたちで記載してある。各課題に付した番号に対応した番号を記載してある。例えば、（発明が解決しようとする課題）の項の（課題１−１）に対応する効果は（効果１−１）というようにしてある。また、例えば、（効果１−１）の初めの数字「１」は実施例１を、後の数字は連番を表現している。
【００１４】
本発明の一実施形態である、各実施例について記す。図について、一部、説明する。図は、すべて概略図としてある。なお、図によっては、見えない箇所を必要に応じて点線で表示してあるものもある。図４は、実施例１である、留め具（１）の説明図であり、雌部材（４）の図で、面（Ａ１）（Ａ２）〜（Ｄ１）（Ｄ２）の位置関係等を表した図である。図８は、図４の切断面（Ｂ１）（Ｂ２）にて矢印のある図中左方向から見た断面図としてあり、図１０は、図４の切断面（Ｄ１）（Ｄ２）にて矢印のある上の方向から見た断面図としてあり、図１１は、図４の面（Ｃ１）（Ｃ２）にて矢印のある上の方向から見た図としてあり、図１２は、図４の面（Ａ１）（Ａ２）にて矢印のある図中左方向から見た側面図としてある。また、図９は、図８にて、フック部材の一部を動作させた動作断面図としてある。また、図６の雌部材（４）は、図１１の切断面（Ｅ１）（Ｅ２）にて、矢印の方向から見た断面図としてある。また、図５は、図６の分解図としてある。なお、図５〜６にて、雄部材（２）は、雌部材（４）と同様に、切断面にて、矢印の方向から見た断面図としてあるが、付勢部材（５）のみ正面図として描いてある。また、図６は、雄部材の頭部を押圧して、雄部材の押し込み位置にある状態を描いた図としてある。また、他の実施例にて、同様に、図１４は、実施例２の正面図である図１３にて、同様に、図１６は、実施例３の正面図である図１５にて、また、図１８は、実施例４の正面図である図１７にて、図１２と同様の方向から見た側面図としてある。また、図１９は、実施例４の正面図である図１７にて、図１１と同様の上の方向から見た図としてあり、同様に、図２０は、実施例５の正面図である図２１にて、図１１と同様の上の方向から見た図としてある。また、図２５は、実施例８の断面図である図２４にて、図１２と同様の方向から見た側面図としてある。また、図２７は、実施例１１の側面図としてある。また、図２８は、実施例１１の正面の断面図であり、雌部材の図で、面（Ａ３）（Ａ４）および（Ｃ３）（Ｃ４）の位置関係を表した図である。つまり、図２７は、面（Ａ３）（Ａ４）にて矢印のある図中左側方向から見た側面図としてあり、また、図２８は、図２７の雌部材の切断面（Ｆ１）（Ｆ２）にて、矢印のある図中右方向から見た断面図としてある。また、図２９は、図２８にて、フック部材の一部を動作させた動作断面図としてある。また、図３０は、面（Ｃ３）（Ｃ４）にて矢印のある上の方向から見た図としてある。また、他の実施例にて、同様に、図４２は、実施例１２の正面図である図４１にて、同様に、図４４は、実施例１３の正面図である図４３にて、また、図４６は、実施例１４の正面図である図４５にて、同様に、図６０は、実施例１９の正面図である図５９にて、同様に、図６２は、実施例２０の正面図である図６１にて、図１２と同様の方向から見た側面図としてある。また、図５１は、実施例１６の正面図である図５０にて、雄部材を設けて、反対の方向から見た断面図としてある。また、図５２は、図５１にて、雄部材の頭部を押圧して、雄部材の押し込み位置にある状態を描いた図としてある。また、図５５は、実施例１７の正面図である図５４にて、雄部材を設けて、図１２と同様の方向から見た側面図としてある。また、図５６は、図５５にて、雄部材の頭部を押圧して、雄部材の押し込み位置にある状態を描いた図としてある。また、図５８は、図５７にて、雄部材の頭部を押圧して、雄部材の押し込み位置にある状態を描いた図としてある。
【００１５】
次に、当該明細書にて、記載の用語の意味等について補完する。「係合」「係止」について記す。「係合」「係止」という用語は広辞苑には記載されていない。特許技術用語集第２版（日刊工業新聞社）には記載がある。「係合」は、係わり合うこと。（例）左右の歯車が係合し、回転が伝達される。受け具と可動突起が係合してドアが閉鎖される。「係止」は、係わり合って止まること。（例）移動板をストッパで係止する。歯車と係止爪が係合し回転が係止される。と記載されている。以上から、どちらかといえば、「係合」は過程、手段、「係止」は過程、手段および結果を表現するものであって、大きな差異はない。当該出願の文言にて、係止を係合と代えて記してもよい。
【００１６】
次に、実施例１である、留め具（１）について記す。実施例１である、留め具（１）は、図１〜１２、３２〜３４にて、次のようにしてある。図５、６にて、雄部材（２）が設けられている。筒状（３）の雌部材（４）が設けられている。該雌部材（４）の筒軸方向（矢印Ｚ）に沿って移動可能に雌部材（４）内に雄部材（２）を入れ込ませて、該雌部材（４）内から雄部材（２）を突き出させる向き（矢印Ｔ）に付勢する付勢部材（５）が設けられている。該筒軸方向（矢印Ｚ）に交叉する向き（矢印Ｋ）に雄部材（２）と雌部材（４）とに通し孔（６）（７Ａ）（７Ｂ）が設けられている。図１、３、５、６にて、該付勢部材（５）の付勢に抗した雄部材（２）の押し込み位置（８）にて、連通し合う雄部材（２）の通し孔（６）と雌部材（４）の通し孔（７Ａ）（７Ｂ）とに、紐状体（９）が挿通される。該付勢部材（５）の付勢により、雄部材（２）の押し込みを解くことで、紐状体（９）に留め付けられる留め具（１）としてある。
【００１７】
雄部材（２）は、ピストン状に設けたピストン状部（３７）としてあり、頭部（３６）と、雌部材（４）に移動可能に差し入れられる差し入れ部（３９）とを有してある。プラグとしてある。雄部材（２）の底に、付勢部材（５）を案内して支持する付勢部材支持部（２８Ａ）を設けている。雌部材（４）は、一方の筒端を開放させると共に他方の筒端を閉塞させた有底の筒状（３）本体を有し、シリンダー状に設けたシリンダー状部（３８）としてある。ソケットとしてある。中空になっている。雌部材（４）の底に、付勢部材（５）を案内して支持する付勢部材支持部（２８Ｂ）を設けている。雄部材（２）は、雌部材（４）の筒状（３）本体の開放側から筒状（３）本体に向かって、雌部材（４）内に入れ込ませてある。シリンダー状部（３８）内でピストン状部（３７）がしゅう動可能に上下動する。通し孔（６）（７Ａ）（７Ｂ）は、紐の通し孔であり、紐を差し込み可能な差込孔、貫通穴、透穴としてある。通し孔（７Ａ）（７Ｂ）は一対である。通し孔（６）と通し孔（７Ａ）（７Ｂ）とは、略同形大としてある。通し孔（６）は、雄部材（２）のピストン状部（３７）の中間部に配してある。通し孔（７Ａ）（７Ｂ）は、雌部材（４）のシリンダー状部（３８）の側壁である側部に、つまり、筒軸方向（矢印Ｚ）に直交する向きにある向き合った側部に設けてある。通し孔（７Ａ）（７Ｂ）は、中空（４０）筒状（３）のケースに、外周を中空（４０）を挟んで相対向して貫通して、筒側の対向位置に設けてある。通し孔（６）と通し孔（７Ａ）（７Ｂ）とは、雄部材（２）のピストン状部（３７）と雌部材（４）のシリンダー状部（３８）にて、互いに対向する面に、つまり、対面して、貫通するように水平に配してある。通し孔（６）（７Ａ）（７Ｂ）は、雄部材（２）と雌部材（４）との双方の共通軸心である筒軸に対し、つまり、雄部材（２）への抜き差し方向、移動方向に対し、略直交向きに、透設してある。または、筒軸に対し、偏心等して配してもよい。付勢部材（５）は、筒状（３）本体の閉塞底部に付勢部材（５）の下端を突き当てて雄部材（２）を筒状（３）本体から突き出させる向きに、つまり、雌部材（４）の開放された筒一端から雄部材（２）の頭部（３６）を突出する方向に、雌部材（４）に差し入れられた雄部材（２）を雌部材（４）内から抜き出させる向きに設けてある。付勢部材（５）は、ピストン状部（３７）をシリンダー状部（３８）内で押圧支持するばねで、雄部材（２）を常時付勢している。雄部材（２）を雌部材（４）に対し、付勢部材（５）の付勢に抗して少なくとも所定位置である押し込み位置（８）まで押し込み可能に組み合わせてある。押し込み位置（８）である差し入れ位置で、通し孔（６）（７Ａ）（７Ｂ）は、紐の通し入れ、又は、引き抜き可能に、つまり、紐の通し抜けを可能に連通する。つまり、雄部材（２）を雌部材（４）のケースの中空（４０）に押し込んだ状態では、ケースの両通し孔（６）（７Ａ）（７Ｂ）は一連に連通する。差し通された紐を、通し孔（６）の穴縁部と通し孔（７Ａ）（７Ｂ）の穴縁部とで付勢手段の付勢により挟み付けて、紐状体（９）に留め付く、留め付け力を作用させる留め具（１）としてある。つまり、ばねの付勢力により、雄部材（２）が雌部材（４）のケースの開放他端部から突出した状態では、ケースの両通し孔（６）（７Ａ）（７Ｂ）とずれ、ケースの両通し孔（６）（７Ａ）（７Ｂ）から通した紐を拘束する。また、雄部材（２）の通し孔（６）の下部に、突状の顎部（４６Ａ）（４６Ｂ）を配置してある。筒軸方向（矢印Ｚ）に沿って雌部材（４）内を移動する雄部材（２）は、付勢部材（５）によって突き出させる向き（矢印Ｔ）に移動するが、通し孔（７Ａ）（７Ｂ）の上端に顎部（４６Ａ）（４６Ｂ）が接触して係合すると、移動を停止させる。通し孔（７Ａ）（７Ｂ）の上端と対応する位置に顎部（４６Ａ）（４６Ｂ）を配置してある。ストッパーとして機能している。よって、雄部材（２）は雌部材（４）内から抜け出すことはない。
【００１８】
図７〜１２にて、基部（１０）が設けられている。該基部（１０）の一端部（１１）から折返し状（１２）に延びた第１フック部（１３）が設けられている。該基部（１０）の他端部（１４）から第１フック部（１３）に向けて折返し状（１５）に延びた第２フック部（１６）が設けられている。該第１フック部（１３）と第２フック部（１６）とで形成されるフック部材（１９）が雌部材（４）に一体的に設けられている。
【００１９】
第１フック部（１３）と第２フック部（１６）とで形成されるフック部材（１９）が雌部材（４）の筒状（３）の外面（２０）に設けてある。断面略Ｕ字状（２５）の湾曲部（２６Ａ）（２６Ｂ）を両端（２７Ａ）（２７Ｂ）に有するフック部材（１９）としてある。第１フック部（１３）の先端（１７）側と、第２フック部（１６）の先端（１８）側とを向き合うように略平行に配置してある。通し孔（７Ａ）近傍の雌部材（４）の外面（２０）に、第１フック部（１３）の先端（１７）側が一体的に設けられている。第２フック部（１６）の先端（１８）側が、雌部材（４）の通し孔（７Ａ）近傍に雌部材（４）の筒状（３）の外面（２０）から隙間を設けて離して配置されている。第１フック部（１３）の先端（１７）側と、第２フック部（１６）の先端（１８）側とに比べて、筒状（３）本体に対して、基部（１０）側が外側になるように配してある。また、折返し状（１２）の第１フック部（１３）、折返し状（１５）の第２フック部（１６）、基部（１０）にてリング状に形成してある。フック部材（１９）の真ん中は孔（４３）状に形成してある。折返し状（１２）の第１フック部（１３）、折返し状（１５）の第２フック部（１６）、基部（１０）に囲まれるようにして貫通する孔（４３）を設けてある。その孔（４３）の貫通する方向（矢印Ｎ）と、雄部材（２）の通し孔（６）と雌部材（４）の通し孔（７Ａ）（７Ｂ）との該連通し合う方向（矢印Ｋ）とが、直角に近い角度になるように設けられている。フック部材（１９）の長手方向と雌部材（４）の長手方向とが平行するように設けてある。
【００２０】
フック部材（１９）が雌部材（４）に一体的に設けてあるので、フック部材（１９）と雌部材（４）との重複する部分の容積の減少に伴って、材料費、加工費等の低減が可能であり、また、同時に容積の減少に伴って小型化できる、という効果が生じる。（効果１−３）
【００２１】
前記第１フック部（１３）の先端（１７）側と、前記第２フック部（１６）の先端（１８）側とが、重なるように配置されている。
【００２２】
第１フック部（１３）の先端（１７）側と、第２フック部（１６）の先端（１８）側とを、互い違いに配置してある。
【００２３】
図８、９にて、前記第１フック部（１３）の内面（２１）に臨むように前記第２フック部（１６）の先端（１８）が配置されている。
【００２４】
第１フック部（１３）の内面（２１）に臨むように第２フック部（１６）の自由端先端（１８）を配してある。
【００２５】
図８、９にて、前記第１フック部（１３）に係止爪（２３）が設けられている。該係止爪（２３）を係止させる係止部（２４）が前記第２フック部（１６）に設けられている。
【００２６】
第１フック部（１３）の先端（１７）側に係止爪（２３）を設け、第２フック部（１６）の先端（１８）側に係止部（２４）を設けている。凸部である係止爪（２３）を第１フック部（１３）に設けている。矢じり状の係止爪（２３）の先端は紡錘形状としてある。円形状の穴としてある係止部（２４）を第２フック部（１６）に設けている。係止爪（２３）と係止部（２４）とは嵌合する。係合するようにしてある。
【００２７】
また、図１〜３にて、留め具（１）付き巾着袋（３３）は、次のようにしてある。開口縁部（２９）に紐状体挿通部（３０）が形成されている袋体（３１）と、該紐状体挿通部（３０）に挿通されている紐状体（９）と、該紐状体挿通部（３０）から出ている紐状体（９）に装着されて袋体（３１）の開口縁部（２９）を絞った状態に維持するための留め具（１）と、該留め具（１）のフック部材（１９）に挿通して袋体（３１）に設けられた挿通片（３２）と、が備えられている。
【００２８】
また、次のように記すこともできる。紐状体（９）の留め付け構造（３５）は、該留め具（１）と、該留め具（１）の使用対象物（３４）に備えて該留め具（１）の留め付けられる紐状体（９）と、該留め具（１）のフック部材（１９）に挿通して使用対象物（３４）に設けられた挿通片（３２）と、が備えられている。
【００２９】
袋体（３１）である使用対象物（３４）と、留め具（１）と、の位置づけ手段として、挿通片（３２）が形成されている。位置づけ手段は、使用対象物（３４）の側部に形成された、使用対象物（３４）に備えられる口出し部、あるいは、通し部、あるいは、取付部としてある。使用対象物（３４）は袋体（３１）としてあるが、例えば、衣類、手袋等でもよい。フック部材（１９）に挿通してある挿通片（３２）は袋体（３１）に糸で縫合している。
【００３０】
次に、フック部材（１９）の作用について、一部、説明する。図５〜８、１０〜１２にて、該第１フック部（１３）の先端（１７）側と、第２フック部（１６）の先端（１８）側とが、常時は当接している。図９にて、該第２フック部（１６）の弾性変形により、該第１フック部（１３）の先端（１７）側と、第２フック部（１６）の先端（１８）側とが、離れるフック部材（１９）を有している。
【００３１】
図９にて、該第１フック部（１３）の先端（１７）側と、該第２フック部（１６）の先端（１８）側とが、該第２フック部（１６）の傾動により離れる。
【００３２】
つまり、第１フック部（１３）の先端（１７）側と第２フック部（１６）の先端（１８）側とにより、開口部が形成されている。第１フック部（１３）の先端（１７）側と第２フック部（１６）の先端（１８）側とが、筒状（３）本体に対して、基部（１０）側に比べて、内側になるように配してある。つまり、筒状（３）本体に対して、基部（１０）側に比べて、開口部が内側になるように配してある。雌部材（４）の通し孔（７Ａ）近傍に開口部が配してある。
【００３３】
また、次に、袋体（３１）、挿通片（３２）について説明する。袋体（３１）、挿通片（３２）は、合成樹脂フィルムからなる材質として、ポリエチレン、ポリプロピレン、エチレンープロピレン共重合体、ポリエステル、ポリ塩化ビニリデン、エチレン酢酸ビニル共重合体、ポリ塩化ビニル、ポリスチレン等のフィルム、または、これらの混合物からなるフィルム、積層体などで構成される。あるいは、合成樹脂または天然の繊維、織布、不織布等でもよく、特に限定するものではない。また、紐状体（９）は、合成樹脂の単繊維または天然繊維等の撚り糸など、あるいは、ゴム素材でも可能である。また、袋体（３１）の形状は、使用可能であれば特に限定するものではない。また、開口縁部（２９）に紐状体挿通部（３０）が形成されているが、紐状体挿通部（３０）は開口縁部（２９）に接している必要はなく、開口縁部（２９）から離間した部分に紐状体挿通部（３０）が設けられてもよい。当該明細書に記載の「開口縁部」とは、このように開口縁部から離間した部分をも包含する概念を表している。また、紐状体挿通部（３０）は、開口縁部（２９）の全周にわたって連続的に設けられているが、断続的に設けられてもよい。また、紐状体挿通部（３０）は、袋体（３１）の上端部を折り返し、折り返し部分の先端を袋体（３１）に熱融着等によって接合して形成してあるが、別の帯状部材を開口縁部（２９）に接合したり、開口縁部（２９）自体に穴をあけて形成してもよい。また、紐状体（９）の材質としては、合成樹脂の単繊維または天然繊維等の撚り糸などだけに特に限定するものではない。紐状体（９）は、紐状体挿通部（３０）に挿通されて、端部を結ぶことにより輪状、環状としてある。
【００３４】
また、留め具（１）は、合成樹脂材料等の成型体からなり、合成樹脂などを主とするが、材質としては、例えば、ＰＡ（ポリアミド）、ＰＢＴ（ポリブチレンテレフタレート）、ＰＯＭ（ポリアセタール）（ポリオキシメチレン）、ポリプロピレンなどの熱可塑性樹脂を用いる。硬質系の合成樹脂、軟質系の合成樹脂等、あるいは、この限りではなく、適宜、他の材料を選択してもよい。成形加工した留め具（１）は、第１フック部（１３）の係止爪（２３）と、第２フック部（１６）の係止部（２４）とを、係止していない状態で、当接したままで製品としてユーザーに納品する。次に、袋体（３１）と留め具（１）とを接続する組立工程について説明する。開口縁部（２９）の紐状体挿通部（３０）に紐状体（９）を挿通した袋体（３１）がユーザー側にて用意されている。この袋体（３１）と、納品した留め具（１）にて、雄部材（２）の頭部を移動方向（Ｌ）に指で押圧して、付勢部材（５）の付勢に抗した雄部材（２）の押し込み位置（８）にて、連通し合う雄部材（２）の通し孔（６）と雌部材（４）の通し孔（７Ａ）（７Ｂ）とに、紐状体（９）を挿入して、紐状体（９）の先端同士を結ぶ。次に、係止していない当接したままの、第１フック部（１３）の先端（１７）側と第２フック部（１６）の先端（１８）側にて、第２フック部（１６）の先端（１８）側を開き方向（矢印Ｕ）に弾性変形して傾動させて、先端（１７）側に対して先端（１８）側を開いて隙間を発生せる。先端（１８）側を開き方向（矢印Ｕ）に傾動させる場合、先端（１８）側を指で押圧して傾動させる。なお、この場合、雌部材（４）の筒状（３）の外面（２０）またはフック部材（１９）に指が接触することがない。孔（４３）の貫通する方向（矢印Ｎ）と通し孔（６）（７Ａ）（７Ｂ）との該連通し合う方向（矢印Ｋ）とが、直角に近い角度になるよう、また、フック部材（１９）の長手方向と雌部材（４）の長手方向とが平行するように設けてあり、先端（１８）側を開き方向（矢印Ｕ）に傾動させる場合、障害となるものが何もなく、指が接触することがない。接触することがないので、容易に指で押圧でき、ラジオペンチ等の工具を使用する必要が特になく、作業の手間が軽減できる、という効果が生じる（効果１−４セナ）。先端（１８）側を押圧して傾動させる場合の支点は、雌部材（４）の外面（２０）側の湾曲部（２６Ｂ）の端としてある。ただし、支点の位置は、この限りではなく、特に図示しないが、例えば、湾曲部（２６Ｂ）の中央でもよく、基部（１０）の他端部（１４）近傍でもよい。先端（１８）側を開いて生じた隙間から、第２フック部（１６）の先端（１８）側に挿通片（３２）を挿入し、挿通する。挿通後、弾性変形した第２フック部（１６）の先端（１８）側を指から離すと、先端（１７）側に対して先端（１８）側は復元力により戻って当接し、元の状態になる。つまり、第２フック部（１６）の弾性変形により、第１フック部（１３）の先端（１７）側と、第２フック部（１６）の先端（１８）側とが、離れるフック部材（１９）を有しているので、挿通片（３２）を挿入しやすく、また、復元力により戻るので、フック部材（１９）から挿通片（３２）が脱落してしまう恐れが少なくなる、という効果が生じる（効果１−５）。同様に、次のようにも記載できる。第１フック部（１３）の先端（１７）側と、第２フック部（１６）の先端（１８）側とが、第２フック部（１６）の傾動により離れるので、挿通片（３２）を挿入しやすく、また、復元力により戻るので、フック部材（１９）から挿通片（３２）が脱落してしまう恐れが少なくなる、という効果が生じる（効果１−６）。次に、当接している先端（１７）側と先端（１８）側にて、先端（１７）側の係止爪（２３）と先端（１８）側の係止部（２４）を指で押圧して、係合し、係止させる。また、この場合、同様に、雌部材（４）の筒状（３）の外面（２０）またはフック部材（１９）に指が接触することがない。接触することがないので、容易に指で押圧でき、ラジオペンチ等の工具を使用する必要が特になく、作業の手間が軽減できる、という効果が生じる（効果１−７セナ）。また、係止爪（２３）と係止部（２４）を係止させることにより、フック部材（１９）に挿通した挿通片（３２）の脱落防止を向上させる、という効果が生じる（効果１−８）。また、次のような効果もある。第１フック部（１３）の先端（１７）側と、第２フック部（１６）の先端（１８）側とが、重なるように配置されているので、フック部材（１９）から挿通片（３２）が脱落してしまう恐れが少なくなる、という効果が生じる（効果１−９）。
【００３５】
また、次に、図３２〜３３にて、挿通片（３２）を袋体（３１）に設ける工程について一部記す。加工前の挿通片（３２Ａ）を長手方向にて湾曲（矢印ＧＡ）させて（３２Ｂ）、袋体（３１）に取付けてある。取付けは、縫合としてあるが、接着等でもよい。また、同様に、図３４にて、袋体（３１）に切り込み（４４Ａ）（４４Ｂ）を入れて、そのまま、挿通片（３２Ｃ）として設けてもよい。この場合、縫合、接着、熱融着等の加工作業が省略可能なので手間を軽減できる、という効果が生じる（効果１−１０セナ）。
【００３６】
次に、使用方法等について説明する。図１にて、留め具（１）は、袋体（３１）の開口縁部（２９）を絞った状態に維持してある。この状態から、図２にて、留め具（１）を設けていない側の袋体（３１）の端部（２２）を片方の手で掴み、残りの片方の手で留め具（１）を掴みながら雄部材（２）の頭部（３６）を指で押圧したまま、開き方向（矢印Ｏ）に留め具（１）を移動させると、フック部材（１９）に挿通された挿通片（３２）が引っ張られて、同時に、付勢部材（５）の付勢に抗した雄部材（２）の押し込み位置（８）にて、連通し合う雄部材（２）の通し孔（６）と雌部材（４）の通し孔（７Ａ）（７Ｂ）とから、紐状体（９）が抜き出て、これによって、開口縁部（２９）は開口する。次に、特に図示しないが、従来の留め具の使用方法について説明する。留め具（１）と同様に、袋体の開口縁部を絞った状態に維持してある留め具にて、留め具を設けていない側の袋体の端部を片方の手で掴み、残りの片方の手で留め具を掴みながら雄部材の頭部を指で押圧したまま、開き方向に留め具を移動させる。この際、付勢部材の付勢に抗した雄部材の押し込み位置にて、連通し合う雄部材の通し孔と雌部材の通し孔とから、紐状体が抜き出るだけなので、袋体の開口縁部は、まだ開口していない。袋体の開口縁部を開口するには、さらに、留め具を設けてある側の袋体の端部を手で掴んで引っ張らなければならない、という２段階の動作が必要であり、手間を要する。あるいは、この際、別の方法として、袋体の開口縁部を開口するには、留め具を掴みながら雄部材の頭部を指で押圧したままで開き方向に留め具を移動させている手で、同時に、留め具を設けてある側の袋体の端部を掴んで引っ張らなければならない、という手段をとる必要がある。つまり、従来の留め具に比べると、留め具（１）は、袋体の開口縁部を開口する際に、留め具を掴みながら雄部材の頭部を指で押圧したままで開き方向に留め具を移動させたあと、さらに、留め具を設けてある側の袋体の端部を手で掴んで引っ張らなければならない、あるいは、留め具を掴みながら雄部材の頭部を指で押圧したままで開き方向に留め具を移動させている残りの片方の手で、同時に、留め具を設けてある側の袋体の端部を掴んで引っ張らなければならない、という手段をとる必要がない。よって、作業の手間を低減することができる、という効果が生じる（効果１−２）。また、図３、４にて、基部（１０）の厚さＨに対して、挿通片（３２）の内寸Ｓは僅かに大きくしてあるが、同程度としてある。フック部材（１９）の基部（１０）の厚さＨと挿通片（３２）の内寸Ｓとの差を出来るだけ少なくすることにより、袋体（３１）と留め具（１）との接続の密着度合が高まり、開き方向に留め具を移動する際に、袋体（３１）と留め具（１）との連動性が向上する。連動性が向上するので、移動する際にロスが発生しにくくなる、という効果が生じる（効果１−１１セナ）。
【００３７】
次に、発明が解決しようとする課題、で記した、あるいは、先に記した実施例１（特開平８−８９３１６）の課題と効果と、一部重複するが以下に記載する。第１の課題を記す。特許文献１の紐止め具（紐留め具）は、走ったり、その他激しい運動を行うと紐止めが顔に当たったり、周囲に藪、電柱、木立その他の物がある場合には引っかかったりする問題を解消するため、鋲又は糸により取り付け孔を介して取り付け板を衣類に固定してなる構成にしてある。よって、紐止め具を衣類に固定するためには、鋲による場合は、鋲を打ち込んだり、かしめたりする道具または装置が、糸による場合は、縫着する道具または装置が必要になる。つまり、紐止め具を使用する物品の製造者などのユーザーが、衣類、または、紐止め具を使用する物品を紐止め具に固定する組立加工作業にて、手間を要し、加工コストが高くなってしまうという問題がある（課題１−１）。しかし、先に記したように、実施例１では、次のようにしてある。袋体（３１）と留め具（１）とを接続する組立工程にて、係止していない当接したままの、第１フック部（１３）の先端（１７）側と第２フック部（１６）の先端（１８）側にて、第２フック部（１６）の先端（１８）側を開き方向（矢印Ｕ）に指で押圧して弾性変形して傾動させて、開いて隙間を発生せる。隙間から、挿通片（３２）を挿入し、挿通する。挿通後、弾性変形した第２フック部（１６）の先端（１８）側を指から離して、当接したあと、先端（１７）側の係止爪（２３）と先端（１８）側の係止部（２４）を指で押圧して、係合し、係止させる。よって、前記問題を解消し、組立加工作業にて、作業の手間を軽減でき、加工コストの少ない留め具を提供することができる、という効果が生じる（効果１−１）。次に、第２の課題を記す。一般に、紐付きの巾着袋にて、特許文献２（特開２００１−７００１２）のような紐留め具を具備したものが市販されている。閉じていた袋の口を開く場合には、紐への留め付けをしていた紐留め具のロック体の頭部を押圧して押し込むことにより、ロック体の紐の通し穴と筒状本体の紐の通し穴とに紐を差し通し抜けさせ、紐留め具を移動させる。しかし、移動するのは紐留め具のみであるため、閉じていた袋の口を開くには、次に、袋の縁を手等で掴んで袋の口を開く方向へ拡げる必要がある。つまり、閉じていた袋の口を開くには、紐留め具の移動および袋の縁の移動という２段階の動作を行う必要があり、手間を要するという問題がある。（課題１−２）。あるいは、この際、別の方法として、閉じていた袋の口を開くには、紐留め具のロック体の頭部を押圧して押し込んだまま紐留め具を掴みながら開き方向に紐留め具を移動させている手で、同時に、紐留め具を設けてある側の袋の縁を掴んで袋の口を開く方向へ拡げる必要がある。同様に、手間を要するという問題がある。（課題１−２）。しかし、先に記したように、実施例１では、次のようにしてある。袋体（３１）の開口縁部（２９）を絞った状態に維持してある留め具（１）にて、留め具（１）を設けていない側の袋体（３１）の端部（２２）を片方の手で掴み、残りの片方の手で留め具（１）を掴みながら雄部材（２）の頭部を指で押圧したまま、開き方向（矢印Ｏ）に留め具（１）を移動させると、フック部材（１９）に挿通された挿通片（３２）が引っ張られて、同時に、付勢部材（５）の付勢に抗した雄部材（２）の押し込み位置（８）にて、連通し合う雄部材（２）の通し孔（６Ａ）（６Ｂ）と雌部材（４）の通し孔（７Ａ）（７Ｂ）とから、紐状体（９）が抜き出て、これによって、開口縁部（２９）は開口する。つまり、従来の留め具に比べると、留め具（１）は、袋体の開口縁部を開口する際に、紐留め具の移動および袋の縁の移動という２段階の動作を行う必要がない、あるいは、留め具を掴みながら雄部材の頭部を指で押圧したままで開き方向に留め具を移動させている残りの片方の手で、さらに、留め具を設けてある側の袋体の端部を掴む必要がない。よって、作業の手間を低減することができる、という効果が生じる（効果１−２）。以上のような顕著な効果を本発明は達成する。本発明を当業者が容易になし得るものではないと確信する。
【００３８】
次に、実施例２である、留め具（１ａ）について記す。なお、実施例２〜実施例１５、実施例１９〜実施例２１の雄部材は、実施例１である、留め具（１）の雄部材（２）と同一にしてある。また、特に図示しないが、実施例２〜実施例１５、実施例１９〜実施例２１の付勢部材は、実施例１である、留め具（１）の付勢部材（５）と同一か、または、同様にしてある。各実施例の雌部材の長手方向の長さに合わせてあるので、各実施例の付勢部材の全長毎に少し差異が生じている。少し差異が生じているが、実施例２〜実施例１５、実施例１９〜実施例２１では、付勢部材（５）と記してある。
【００３９】
実施例２である、留め具（１ａ）は、雄部材（２）が設けられている。図１３、１４にて、筒状（３ａ）の雌部材（４ａ）が設けられている。該雌部材（４ａ）の筒軸方向（矢印Ｚ）に沿って移動可能に雌部材（４ａ）内に雄部材（２）を入れ込ませて、該雌部材（４ａ）内から雄部材（２）を突き出させる向き（矢印Ｔ）に付勢する付勢部材（５）が設けられている。該筒軸方向（矢印Ｚ）に交叉する向き（矢印Ｋ）に雄部材（２）と雌部材（４ａ）とに通し孔（６）（７Ａａ）（７Ｂａ）が設けられている。特に図示しないが、実施例１と同様に、該付勢部材（５）の付勢に抗した雄部材（２）の押し込み位置にて、連通し合う雄部材（２）の通し孔（６）と雌部材（４ａ）の通し孔（７Ａａ）（７Ｂａ）とに、紐状体（９）が挿通される。該付勢部材（５）の付勢により、雄部材（２）の押し込みを解くことで、紐状体（９）に留め付けられる留め具（１ａ）としてある。図１３、１４にて、基部（１０ａ）が設けられている。該基部（１０ａ）の一端部（１１ａ）から折返し状（１２ａ）に延びた第１フック部（１３ａ）が設けられている。該基部（１０ａ）の他端部（１４ａ）から第１フック部（１３ａ）に向けて折返し状（１５ａ）に延びた第２フック部（１６ａ）が設けられている。該第１フック部（１３ａ）と第２フック部（１６ａ）とで形成されるフック部材（１９ａ）が雌部材（４ａ）に一体的に設けられている。前記第１フック部（１３ａ）の先端（１７ａ）側と、前記第２フック部（１６ａ）の先端（１８ａ）側とが、重なるように配置されている。
【００４０】
また、特に図示しないが、留め具（１ａ）付き巾着袋（３３）は、実施例１と同様に、次のようにしてある。開口縁部（２９）に紐状体挿通部（３０）が形成されている袋体（３１）と、該紐状体挿通部（３０）に挿通されている紐状体（９）と、該紐状体挿通部（３０）から出ている紐状体（９）に装着されて袋体（３１）の開口縁部（２９）を絞った状態に維持するための留め具（１ａ）と、該留め具（１ａ）のフック部材（１９ａ）に挿通して袋体（３１）に設けられた挿通片（３２）と、が備えられている。また、次のように記すこともできる。紐状体（９）の留め付け構造（３５ａ）は、該留め具（１ａ）と、該留め具（１ａ）の使用対象物（３４）に備えて該留め具（１ａ）の留め付けられる紐状体（９）と、該留め具（１ａ）のフック部材（１９ａ）に挿通して使用対象物（３４）に設けられた挿通片（３２）と、が備えられている。
【００４１】
次に、フック部材（１９ａ）の作用について説明する。該第１フック部（１３ａ）の先端（１７ａ）側と、第２フック部（１６ａ）の先端（１８ａ）側とが、常時は当接している。該第２フック部（１６ａ）の弾性変形により、該第１フック部（１３ａ）の先端（１７ａ）側と、第２フック部（１６ａ）の先端（１８ａ）側とが、離れるフック部材（１９ａ）を有している。
【００４２】
第１フック部（１３ａ）の先端（１７ａ）側と、第２フック部（１６ａ）の先端（１８ａ）側とが、常時は当接しているので、フック部材（１９ａ）から挿通片（３２）が脱落してしまう恐れが少なくなる、という効果が生じる（効果２−１）。
【００４３】
次に、特に図示しないが、袋体（３１）と留め具（１ａ）とを接続する組立工程について説明する。実施例１と同様に、開口縁部（２９）の紐状体挿通部（３０）に紐状体（９）を挿通した袋体（３１）がユーザー側にて用意されている。この袋体（３１）と、既に納品済みの留め具（１ａ）にて、雄部材（２）の頭部を移動方向（Ｌ）に指で押圧して、付勢部材（５）の付勢に抗した雄部材（２）の押し込み位置にて、連通し合う雄部材（２）の通し孔（６）と雌部材（４ａ）の通し孔（７Ａａ）（７Ｂａ）とに、紐状体（９）を挿入して、紐状体（９）の先端同士を結ぶ。ここまでは、実施例１と同じである。次に、当接している第１フック部（１３ａ）の先端（１７ａ）側と第２フック部（１６ａ）の先端（１８ａ）側の間から、挿通片（３２）をすべらせるようにして挿入する。この際、第２フック部（１６ａ）の先端（１８ａ）側の弾性変形により、先端（１７ａ）側に対して先端（１８ａ）側が挿通片（３２）の厚さ分だけ開いて隙間を発生せる。この隙間によって、第２フック部（１６ａ）の先端（１８ａ）側へ挿通片（３２）をすべらせるようにして挿入することができる。挿通して、挿通片（３２）を基部（１０ａ）側へ移動すると、弾性変形していた第２フック部（１６ａ）の先端（１８ａ）側は復元力により戻って、先端（１７ａ）側に対して当接し、元の状態になる。以上により、挿通片（３２）をフック部材（１９ａ）に容易に挿入、挿通でき、工具を使用する必要も特になく、作業の手間が軽減できる、という効果が生じる（効果２−２）。
【００４４】
次に、実施例３である、留め具（１ｂ）について記す。図１５〜１６にて、前記フック部材（１９ｂ）の第１フック部（１３ｂ）の先端（１７ｂ）側が前記雌部材（４ｂ）に埋設されている。第２フック部（１６ｂ）の先端（１８ｂ）側と、雌部材（４ｂ）の筒状（３ｂ）の外面（２０ｂ）に埋設された第１フック部（１３ｂ）の先端（１７ｂ）側とが、重なるように配置され、第１フック部（１３ｂ）の先端（１７ｂ）側と、第２フック部（１６ｂ）の先端（１８ｂ）側とが、常時は当接している。実施例３は、実施例２の第１フック部（１３ａ）の一部を雌部材（４ａ）側へ埋め込むようにして平滑に設けたものである。実施例３は、雌部材（４ｂ）の外面（２０ｂ）に埋め込むようにして第１フック部（１３ｂ）の一部を内蔵して設けてある。
【００４５】
また、逆に言いかえると、実施例２のフック部材（１９ａ）は、実施例３のフック部材（１９ｂ）に比べて、雌部材（４ａ）の外面（２０ａ）から少し外側へ突出するように設けてある。実施例２の第１フック部（１３ａ）は、外側へ出っ張るように配してある。
【００４６】
実施例３は、第１フック部（１３ｂ）の先端（１７ｂ）側が雌部材（４ｂ）に埋設されているので、材料費が低減し、また、小型化できる、という効果が生じる（効果３−１）。
【００４７】
次に、実施例４である、留め具（１ｃ）について記す。図１７〜１９にて、実施例４は、実施例３と同様に、フック部材（１９ｃ）の第１フック部（１３ｃ）の先端（１７ｃ）側が雌部材（４ｃ）に埋設されている。第２フック部（１６ｃ）の先端（１８ｃ）側と、雌部材（４ｃ）の筒状（３ｃ）の外面（２０ｃ）に埋設された第１フック部（１３ｃ）の先端（１７ｃ）側とが、重なるように配置され、第１フック部（１３ｃ）の先端（１７ｃ）側と、第２フック部（１６ｃ）の先端（１８ｃ）側とが、常時は当接している。ただし、次の点で相違する。およそ、筒軸方向（矢印Ｚ）に交叉する向き（矢印Ｋ）に、筒状（３ｃ）本体に対して外側に向くように、先端（１８ｃ）側を配してある。やや、くの字状に先端（１８ｃ）側を曲げて細くしてある。斜めに折曲した山折れ状としてある。雌部材（４ｃ）の筒状（３ｃ）本体に対して外側に向くように、くの字状に先端（１８ｃ）側を曲げて細くしてあるので、実施例２と比較すると、次のような効果がある。袋体（３１）と留め具（１ｃ）とを接続する組立工程にて、当接している第１フック部（１３ｃ）の先端（１７ｃ）側と第２フック部（１６ｃ）の先端（１８ｃ）側の間から、挿通片（３２）をすべらせるようにして挿入する際、先端（１８ｃ）に対する挿通片（３２）の挿入開始が容易になる、という効果が生じる（効果４−１セナ）。
【００４８】
次に、実施例５である、留め具（１ｄ）について記す。図２０〜２１にて、実施例５は、実施例４と同様に、フック部材（１９ｄ）の第１フック部（１３ｄ）の先端（１７ｄ）側が雌部材（４ｄ）に埋設されている。第２フック部（１６ｄ）の先端（１８ｄ）側と、雌部材（４ｄ）の筒状（３ｄ）の外面（２０ｄ）に埋設された第１フック部（１３ｄ）の先端（１７ｄ）側とが、重なるように配置され、第１フック部（１３ｄ）の先端（１７ｄ）側と、第２フック部（１６ｄ）の先端（１８ｄ）側とが、常時は当接している。雌部材（４ｄ）の筒状（３ｄ）本体に対して外側に向くように、くの字状に先端（１８ｄ）側を曲げて細くしてある。ただし、次の点で相違する。くの字状に配した先端（１８ｄ）側に対向する位置に、雌部材（４ｄ）の筒状（３ｄ）の外面に窪み部（４１）を設けてある。言い換えると、雌部材（４ｄ）の筒状（３ｄ）の外面（２０ｄ）に埋設された第１フック部（１３ｄ）の先端（１７ｄ）側にて、窪み部（４１）を設けてある。窪み部（４１）は、くの字状に配した先端（１８ｄ）側の一部が納まるように、くの字状に配した先端（１８ｄ）側より少し大きめの寸法形状とした窪みを形成してある。嵌合するように設けてもよい。くの字状に配した先端（１８ｄ）側が窪み部（４１）と当接する。実施例４と比較すると、次のような効果がある。フック部材（１９ｄ）に挿通した挿通片（３２）の脱落防止を向上させる、という効果が生じる（効果５−１セナ）。
【００４９】
次に、実施例６である、留め具（１ｅ）について記す。実施例６である、留め具（１ｅ）は、雄部材（２）が設けられている。図２２にて、筒状（３ｅ）の雌部材（４ｅ）が設けられている。該雌部材（４ｅ）の筒軸方向（矢印Ｚ）に沿って移動可能に雌部材（４ｅ）内に雄部材（２）を入れ込ませて、該雌部材（４ｅ）内から雄部材（２）を突き出させる向き（矢印Ｔ）に付勢する付勢部材（５）が設けられている。該筒軸方向（矢印Ｚ）に交叉する向き（矢印Ｋ）に雄部材（２）と雌部材（４ｅ）とに通し孔（６）（７Ａｅ）（７Ｂｅ）が設けられている。特に図示しないが、実施例１と同様に、該付勢部材（５）の付勢に抗した雄部材（２）の押し込み位置にて、連通し合う雄部材（２）の通し孔（６）と雌部材（４ｅ）の通し孔（７Ａｅ）（７Ｂｅ）とに、紐状体（９）が挿通される。該付勢部材（５）の付勢により、雄部材（２）の押し込みを解くことで、紐状体（９）に留め付けられる留め具（１ｅ）としてある。図２２にて、基部（１０ｅ）が設けられている。該基部（１０ｅ）の一端部（１１ｅ）から折返し状（１２ｅ）に延びた第１フック部（１３ｅ）が設けられている。該基部（１０ｅ）の他端部（１４ｅ）から第１フック部（１３ｅ）に向けて折返し状（１５ｅ）に延びた第２フック部（１６ｅ）が設けられている。該第１フック部（１３ｅ）と第２フック部（１６ｅ）とで形成されるフック部材（１９ｅ）が雌部材（４ｅ）に一体的に設けられている。前記第１フック部（１３ｅ）の先端（１７ｅ）側と、前記第２フック部（１６ｅ）の先端（１８ｅ）側とが、重なるように配置され、前記第１フック部（１３ｅ）の内面（２１ｅ）に臨むように前記第２フック部（１６ｅ）の先端（１８ｅ）が配置されている。
【００５０】
雌部材（４ｅ）の通し孔（７Ａｅ）近傍にフック部材（１９ｅ）の基部（１０ｅ）側が一体的に設けられている。第１フック部（１３ｅ）の先端（１７ｅ）側と、第２フック部（１６ｅ）の先端（１８ｅ）側とが、フック部材（１９ｅ）の基部（１０ｅ）に比べて、筒状（３ｅ）本体に対して外側になるように配してある。また、第１フック部（１３ｅ）の内面（２１ｅ）に臨むように第２フック部（１６ｅ）の自由端先端（１８ｅ）を配してある。
【００５１】
前記フック部材（１９ｅ）の基部（１０ｅ）側が前記雌部材（４ｅ）に埋設されている。
【００５２】
フック部材（１９ｅ）の基部（１０ｅ）側を雌部材（４ｅ）側へ埋め込むようにして平滑に設けたものである。雌部材（４ｅ）の外面（２０ｅ）に埋め込むようにして基部（１０ｅ）側を内蔵して設けてある。フック部材（１９ｅ）の基部（１０ｅ）側が雌部材（４ｅ）に埋設されているので、材料費が低減し、また、小型化できる、という効果が生じる（効果６−１）。
【００５３】
また、特に図示しないが、留め具（１ｅ）付き巾着袋（３３）は、実施例１と同様に、次のようにしてある。開口縁部（２９）に紐状体挿通部（３０）が形成されている袋体（３１）と、該紐状体挿通部（３０）に挿通されている紐状体（９）と、該紐状体挿通部（３０）から出ている紐状体（９）に装着されて袋体（３１）の開口縁部（２９）を絞った状態に維持するための留め具（１ｅ）と、該留め具（１ｅ）のフック部材（１９ｅ）に挿通して袋体（３１）に設けられた挿通片（３２）と、が備えられている。また、次のように記すこともできる。紐状体（９）の留め付け構造（３５ｅ）は、該留め具（１ｅ）と、該留め具（１ｅ）の使用対象物（３４）に備えて該留め具（１ｅ）の留め付けられる紐状体（９）と、該留め具（１ｅ）のフック部材（１９ｅ）に挿通して使用対象物（３４）に設けられた挿通片（３２）と、が備えられている。
【００５４】
次に、フック部材（１９ｅ）の作用について説明する。該第１フック部（１３ｅ）の先端（１７ｅ）側と、第２フック部（１６ｅ）の先端（１８ｅ）側とが、常時は当接している。該第２フック部（１６ｅ）の弾性変形により、該第１フック部（１３ｅ）の先端（１７ｅ）側と、第２フック部（１６ｅ）の先端（１８ｅ）側とが、離れるフック部材（１９ｅ）を有している。該第１フック部（１３ｅ）の先端（１７ｅ）側と、該第２フック部（１６ｅ）の先端（１８ｅ）側とが、該第２フック部（１６ｅ）の傾動により離れる。
【００５５】
第１フック部（１３ｅ）の先端（１７ｅ）側と、第２フック部（１６ｅ）の先端（１８ｅ）側とが、常時は当接しているので、フック部材（１９ｅ）に挿通した挿通片（３２）の脱落防止を向上させる、という効果が生じる（効果６−２）。
【００５６】
次に、実施例７である、留め具（１ｆ）について記す。図２３にて、実施例７である、留め具（１ｆ）は、実施例６と同様に、第１フック部（１３ｆ）の先端（１７ｆ）側と、第２フック部（１６ｆ）の先端（１８ｆ）側とが、重なるように配置され、第１フック部（１３ｆ）の内面（２１ｆ）に臨むように第２フック部（１６ｆ）の先端（１８ｆ）が配置され、フック部材（１９ｆ）の基部（１０ｆ）側が雌部材（４ｆ）に埋設されている。
【００５７】
次に、フック部材（１９ｆ）の作用について説明する。該第１フック部（１３ｆ）の先端（１７ｆ）側と、第２フック部（１６ｆ）の先端（１８ｆ）側とが、常時は当接している。該第２フック部（１６ｆ）の弾性変形により、該第１フック部（１３ｆ）の先端（１７ｆ）側と、第２フック部（１６ｆ）の先端（１８ｆ）側とが、離れるフック部材（１９ｆ）を有している。また、同様に次のようにしてある。該第１フック部（１３ｆ）の弾性変形により、該第１フック部（１３ｆ）の先端（１７ｆ）側と、第２フック部（１６ｆ）の先端（１８ｆ）側とが、離れるフック部材（１９ｆ）を有している。
【００５８】
第１フック部（１３ｆ）の先端（１７ｆ）側と第２フック部（１６ｆ）の先端（１８ｆ）側とが当接している時は、第１フック部（１３ｆ）の先端（１７ｆ）側の外側の面（４２Ａ）と、第２フック部（１６ｆ）の先端（１８ｆ）側の外側の面（４２Ｂ）とが、そろうように、平滑に、フラットになるよう設けてある。つまり、実施例７は、次のような効果がある。第１フック部（１３ｆ）の先端（１７ｆ）側と第２フック部（１６ｆ）の先端（１８ｆ）側とが当接している時は、外側の面（４２Ａ）と外側の面（４２Ｂ）とが、そろうように、平滑に、フラットになるよう設けてあるので、段差等による微少な隙間が生じることが少なく、フック部材（１９ｆ）に挿通した挿通片（３２）の脱落防止を向上させる、という効果が生じる（効果７−１セナ）。また、第１フック部（１３ｆ）の弾性変形により、または、第２フック部（１６ｆ）の弾性変形により、第１フック部（１３ｆ）の先端（１７ｆ）側と、第２フック部（１６ｆ）の先端（１８ｆ）側とが、離れるフック部材（１９ｆ）を有しているので、挿通片（３２）を挿入しやすく、また、復元力により戻るので、フック部材（１９ｆ）から挿通片（３２）が脱落してしまう恐れが少なくなる、という効果が生じる（効果７−２）。
【００５９】
次に、実施例８である、留め具（１ｈ）について記す。なお、実施例８、９では、断面図を描いてある。図２４、２５にて、実施例８である、留め具（１ｈ）は、実施例６と同様に、第１フック部（１３ｈ）の先端（１７ｈ）側と、第２フック部（１６ｈ）の先端（１８ｈ）側とが、重なるように配置され、第１フック部（１３ｈ）の内面（２１ｈ）に臨むように第２フック部（１６ｈ）の先端（１８ｈ）が配置され、フック部材（１９ｈ）の基部（１０ｈ）側が雌部材（４ｈ）に埋設されている。また、次のようにしてある。第１フック部（１３ｈ）に係止爪（２３ｈ）が設けられ、係止爪（２３ｈ）を係止させる係止部（２４ｈ）が第２フック部（１６ｈ）に設けられている。
【００６０】
第１フック部（１３ｈ）の先端（１７ｈ）側に係止爪（２３ｈ）が設けられている。係止爪（２３ｈ）を係止させる係止部（２４ｈ）が第２フック部（１６ｈ）の先端（１８ｈ）側に設けられている。
【００６１】
次に、実施例９である、留め具（１ｊ）について記す。図２６にて、実施例９である、留め具（１ｊ）は、実施例６と同様に、第１フック部（１３ｊ）の先端（１７ｊ）側と、第２フック部（１６ｊ）の先端（１８ｊ）側とが、重なるように配置され、第１フック部（１３ｊ）の内面（２１ｊ）に臨むように第２フック部（１６ｊ）の先端（１８ｊ）が配置され、フック部材（１９ｊ）の基部（１０ｊ）側が雌部材（４ｊ）に埋設されている。また、実施例８とは反対に、次のようにしてある。第２フック部（１６ｊ）に係止爪（２３ｊ）が設けられ、係止爪（２３ｊ）を係止させる係止部（２４ｊ）が第１フック部（１３ｊ）に設けられている。
【００６２】
実施例１と同様に、係止爪（２３ｊ）と係止部（２４ｊ）を係止させることにより、フック部材（１９ｊ）に挿通した挿通片（３２）の脱落防止を向上させる、という効果が生じる（効果９−１）。
【００６３】
次に、実施例１０である、留め具（１ｋ）について記す。図３１にて、実施例１０である、留め具（１ｋ）は、実施例６と同様にしてあるが、次の点で相違する。実施例１０のフック部材（１９ｋ）は、実施例６のフック部材（１９ｅ）に比べて、雌部材（４ｋ）の外面（２０ｋ）から少し外側へ突出するように設けてある。第１フック部（１３ｋ）は、外側へ出っ張るように配してある。
【００６４】
次に、実施例１１である、留め具（１ｎ）について記す。実施例１１である、留め具（１ｎ）は、図２７〜３０、３５〜４０にて、次のようにしてある。雄部材（２）が設けられている。筒状（３ｎ）の雌部材（４ｎ）が設けられている。該雌部材（４ｎ）の筒軸方向（矢印Ｚ）に沿って移動可能に雌部材（４ｎ）内に雄部材（２）を入れ込ませて、該雌部材（４ｎ）内から雄部材（２）を突き出させる向き（矢印Ｔ）に付勢する付勢部材（５）が設けられている。該筒軸方向（矢印Ｚ）に交叉する向き（矢印Ｋ）に雄部材（２）と雌部材（４ｎ）とに通し孔（６）（７Ａｎ）（７Ｂｎ）が設けられている。特に図示しないが、実施例１と同様に、該付勢部材（５）の付勢に抗した雄部材（２）の押し込み位置（８）にて、連通し合う雄部材（２）の通し孔（６）と雌部材（４ｎ）の通し孔（７Ａｎ）（７Ｂｎ）とに、紐状体（９）が挿通される。該付勢部材（５）の付勢により、雄部材（２）の押し込みを解くことで、紐状体（９）に留め付けられる留め具（１ｎ）としてある。図２７〜３０、３５〜３７にて、基部（１０ｎ）が設けられている。該基部（１０ｎ）の一端部（１１ｎ）から折返し状（１２ｎ）に延びた第１フック部（１３ｎ）が設けられている。該基部（１０ｎ）の他端部（１４ｎ）から第１フック部（１３ｎ）に向けて折返し状（１５ｎ）に延びた第２フック部（１６ｎ）が設けられている。該第１フック部（１３ｎ）と第２フック部（１６ｎ）とで形成されるフック部材（１９ｎ）が雌部材（４ｎ）に一体的に設けられている。前記第１フック部（１３ｎ）の先端（１７ｎ）側と、前記第２フック部（１６ｎ）の先端（１８ｎ）側とが、重なるように配置されている。前記第１フック部（１３ｎ）の内面（２１ｎ）に臨むように前記第２フック部（１６ｎ）の先端（１８ｎ）が配置されている。前記第１フック部（１３ｎ）に係止爪（２３ｎ）が設けられている。該係止爪（２３ｎ）を係止させる係止部（２４ｎ）が前記第２フック部（１６ｎ）に設けられている。
【００６５】
凸部である係止爪（２３ｎ）を第１フック部（１３ｎ）に設けている。矢じり状の係止爪（２３ｎ）の先端は紡錘形状としてある。円形状の穴としてある係止部（２４ｎ）を第２フック部（１６ｎ）に設けている。係止爪（２３ｎ）と係止部（２４ｎ）とは嵌合する。係合するようにしてある。
【００６６】
また、特に図示しないが、留め具（１ｎ）付き巾着袋（３３）は、次のようにしてある。開口縁部（２９）に紐状体挿通部（３０）が形成されている袋体（３１）と、該紐状体挿通部（３０）に挿通されている紐状体（９）と、該紐状体挿通部（３０）から出ている紐状体（９）に装着されて袋体（３１）の開口縁部（２９）を絞った状態に維持するための留め具（１ｎ）と、該留め具（１ｎ）のフック部材（１９ｎ）に挿通して袋体（３１）に設けられた挿通片（３２ｎ）と、が備えられている。また、次のように記すこともできる。紐状体（９）の留め付け構造（３５ｎ）は、該留め具（１ｎ）と、該留め具（１ｎ）の使用対象物（３４）に備えて該留め具（１ｎ）の留め付けられる紐状体（９）と、該留め具（１ｎ）のフック部材（１９ｎ）に挿通して使用対象物（３４）に設けられた挿通片（３２ｎ）と、が備えられている。
【００６７】
次に、フック部材（１９ｎ）の作用について、一部、説明する。図２８にて、該第１フック部（１３ｎ）の先端（１７ｎ）側と、第２フック部（１６ｎ）の先端（１８ｎ）側とが、常時は当接している。図２９にて、該第２フック部（１６ｎ）の弾性変形により、該第１フック部（１３ｎ）の先端（１７ｎ）側と、第２フック部（１６ｎ）の先端（１８ｎ）側とが、離れるフック部材（１９ｎ）を有している。該第１フック部（１３ｎ）の先端（１７ｎ）側と、該第２フック部（１６ｎ）の先端（１８ｎ）側とが、該第２フック部（１６ｎ）の傾動により離れる。
【００６８】
折返し状（１２ｎ）の第１フック部（１３ｎ）、折返し状（１５ｎ）の第２フック部（１６ｎ）、基部（１０ｎ）にてリング状に形成してある。フック部材（１９ｎ）の真ん中は孔（４３ｎ）状に形成してある。折返し状（１２ｎ）の第１フック部（１３ｎ）、折返し状（１５ｎ）の第２フック部（１６ｎ）、基部（１０ｎ）に囲まれるようにして貫通する孔（４３ｎ）を設けてある。その孔（４３ｎ）の貫通する方向（矢印Ｍ）と、連通し合う雄部材（２）の通し孔（６）と雌部材（４ｎ）の通し孔（７Ａｎ）（７Ｂｎ）との該連通し合う方向（矢印Ｋ）とが、直角に近い角度になるように設けられている。フック部材（１９ｎ）の長手方向と雌部材（４ｎ）の長手方向とが交差するように設けてある。言い換えると、フック部材（１９ｎ）の長手方向と雌部材（４ｎ）の短手方向とが平行するように設けてある。先に記した実施例１の孔（４３）の貫通する方向（矢印Ｎ）と、実施例１１の該連通し合う方向（矢印Ｋ）とに、各々に対して直角に近い角度になるように、実施例１１の孔（４３ｎ）の貫通する方向（矢印Ｍ）が設けられている。
【００６９】
また、雌部材（４ｎ）の通し孔（７Ａｎ）（７Ｂｎ）より有底側にフック部材（１９ｎ）を設けてある。詳細には、第２フック部（１６ｎ）に対して、第１フック部（１３ｎ）のほうが、有底側に設けてある。
【００７０】
また、次に、図３５〜３７にて、挿通片（３２ｎ）を袋体（３１）に設ける工程について一部記す。加工前の挿通片（３２ｎＡ）を長手方向にて湾曲（矢印ＧＢ）させて（３２ｎＢ）から（３２ｎ）のようにして、袋体（３１）に取付けてある。取付けは、縫合でも、接着でもよい。あるいは、図３８にて、あらかじめ、中央をくり抜いた挿通片（３２ｎＣ）を加工しておいて、袋体（３１）に取付けてもよい。また、次のようにしてもよい。図３９〜４０にて、袋体に切り込み（４４）を入れて、そのまま、挿通片（３２ｎＤ）として設けてもよい。この場合、縫合、接着等の加工作業が省略可能なので手間を軽減できる、という効果が生じる（効果１１−１セナ）。
【００７１】
また、実施例１同様に次のような効果がある。袋体（３１）と留め具（１ｎ）とを接続する組立工程にて、先端（１８ｎ）側を開き方向（矢印Ｊ）に傾動させる場合、雌部材（４ｎ）の筒状（３ｎ）の外面（２０ｎ）またはフック部材（１９ｎ）に指が接触することがない。孔（４３ｎ）の貫通する方向（矢印Ｍ）と、通し孔（６）（７Ａｎ）（７Ｂｎ）との該連通し合う方向（矢印Ｋ）とが、直角に近い角度になるように、また、フック部材（１９ｎ）の長手方向と雌部材（４ｎ）の長手方向とが交差するように設けてあり、先端（１８ｎ）側を開き方向（矢印Ｊ）に傾動させる場合、障害となるものが何もなく、指が接触することがない。指が接触することがないので、先端（１８ｎ）側を指で押圧して傾動させるのに、容易に指で押圧でき、ラジオペンチ等の工具を使用する必要が特になく、作業の手間が軽減できる、という効果が生じる（効果１１−２セナ）。また、当接した先端（１７ｎ）側と先端（１８ｎ）側にて、先端（１７ｎ）側の係止爪（２３ｎ）と先端（１８ｎ）側の係止部（２４ｎ）を指で押圧して、係合し、係止させるが、この場合、同様に、雌部材（４ｎ）の筒状（３ｎ）の外面（２０ｎ）またはフック部材（１９ｎ）に指が接触することがない。接触することがないので、容易に指で押圧でき、ラジオペンチ等の工具を使用する必要が特になく、作業の手間が軽減できる、という効果が生じる（効果１１−３セナ）。また、使用方法にて、従来の留め具に比べると、留め具（１ｎ）は、袋体の開口縁部を開口する際に、留め具を掴みながら雄部材の頭部を指で押圧したままで開き方向に留め具を移動させている残りの片方の手で、さらに、留め具を設けてある側の袋体の端部を掴む、あるいは、紐留め具の移動および袋の縁の移動という２工程の手順を行う必要がない。よって、作業の手間を低減することができる、という効果が生じる。（効果１１−４）。また、係止爪（２３ｎ）と係止部（２４ｎ）を係止させることにより、フック部材（１９ｎ）に挿通した挿通片（３２）の脱落防止を向上させる、という効果が生じる（効果１１−５）。
【００７２】
次に、実施例１２である、留め具（１ｍ）について記す。実施例１２である、留め具（１ｍ）は、次のようにしてある。雄部材（２）が設けられている。図４１〜４２にて、筒状（３ｍ）の雌部材（４ｍ）が設けられている。該雌部材（４ｍ）の筒軸方向（矢印Ｚ）に沿って移動可能に雌部材（４ｍ）内に雄部材（２）を入れ込ませて、該雌部材（４ｍ）内から雄部材（２）を突き出させる向き（矢印Ｔ）に付勢する付勢部材（５）が設けられている。該筒軸方向（矢印Ｚ）に交叉する向き（矢印Ｋ）に雄部材（２）と雌部材（４ｍ）とに通し孔（６）（７Ａｍ）（７Ｂｍ）が設けられている。特に図示しないが、実施例１と同様に、該付勢部材（５）の付勢に抗した雄部材（２）の押し込み位置（８）にて、連通し合う雄部材（２）の通し孔（６）と雌部材（４ｍ）の通し孔（７Ａｍ）（７Ｂｍ）とに、紐状体（９）が挿通される。該付勢部材（５）の付勢により、雄部材（２）の押し込みを解くことで、紐状体（９）に留め付けられる留め具（１ｍ）としてある。基部（１０ｍ）が設けられている。図４１〜４２にて、該基部（１０ｍ）の一端部（１１ｍ）から折返し状（１２ｍ）に延びた第１フック部（１３ｍ）が設けられている。該基部（１０ｍ）の他端部（１４ｍ）から第１フック部（１３ｍ）に向けて折返し状（１５ｍ）に延びた第２フック部（１６ｍ）が設けられている。該第１フック部（１３ｍ）と第２フック部（１６ｍ）とで形成されるフック部材（１９ｍ）が雌部材（４ｍ）に一体的に設けられている。
【００７３】
該第１フック部（１３ｍ）の先端（１７ｍ）側と、第２フック部（１６ｍ）の先端（１８ｍ）側とが、すれ違うように配置されている。すれ違うように配置されたフック部材（１９ｍ）を有している。かつ、該第１フック部（１３ｍ）の先端（１７ｍ）側と、第２フック部（１６ｍ）の先端（１８ｍ）側とが、離されて配置されたフック部材（１９ｍ）としてある。離されて配置されたフック部材（１９ｍ）を有している。
【００７４】
折返し状（１２ｍ）の第１フック部（１３ｍ）、折返し状（１５ｍ）の第２フック部（１６ｍ）、基部（１０ｍ）にてリング状に形成してある。フック部材（１９ｍ）の真ん中は孔（４３ｍ）状に形成してある。折返し状（１２ｍ）の第１フック部（１３ｍ）、折返し状（１５ｍ）の第２フック部（１６ｍ）、基部（１０ｍ）に囲まれるようにして貫通する孔（４３ｍ）を設けてある。その孔（４３ｍ）の貫通する方向（矢印Ｎ）にて、第１フック部（１３ｍ）と、第２フック部（１６ｍ）との間には隙間を設けてある。隙間を設けてあるので、成型時の加工が容易で、また、フック部材（１９ｍ）に挿通片（３２）が挿通される場合に挿通されやすい。つまり、第１フック部（１３ｍ）の先端（１７ｍ）側と、第２フック部（１６ｍ）の先端（１８ｍ）側とが、離されて配置されたフック部材（１９ｍ）を有しているので、成型時の加工が容易で、また、フック部材（１９ｍ）に挿通片（３２）が挿通される場合に挿通されやすい、という効果が生じる（効果１２−１）。また、同時に、第１フック部（１３ｍ）の先端（１７ｍ）側と、第２フック部（１６ｍ）の先端（１８ｍ）側とが、すれ違うように配置されたフック部材（１９ｍ）を有しているので、交差はしていないが、フック部材（１９ｍ）から挿通片（３２）が脱落してしまう恐れが少なくなる、という効果が生じる（効果１２−２）。
【００７５】
また、特に図示しないが、留め具（１ｍ）付き巾着袋（３３）は、次のようにしてある。開口縁部（２９）に紐状体挿通部（３０）が形成されている袋体（３１）と、該紐状体挿通部（３０）に挿通されている紐状体（９）と、該紐状体挿通部（３０）から出ている紐状体（９）に装着されて袋体（３１）の開口縁部（２９）を絞った状態に維持するための留め具（１ｍ）と、該留め具（１ｍ）のフック部材（１９ｍ）に挿通して袋体（３１）に設けられた挿通片（３２）と、が備えられている。また、次のように記すこともできる。紐状体（９）の留め付け構造（３５ｍ）は、該留め具（１ｍ）と、該留め具（１ｍ）の使用対象物（３４）に備えて該留め具（１ｍ）の留め付けられる紐状体（９）と、該留め具（１ｍ）のフック部材（１９ｍ）に挿通して使用対象物（３４）に設けられた挿通片（３２）と、が備えられている。
【００７６】
次に、実施例１３である、留め具（１ｐ）について記す。実施例１３である、留め具（１ｐ）は、次のようにしてある。雄部材（２）が設けられている。図４３〜４４にて、筒状（３ｐ）の雌部材（４ｐ）が設けられている。該雌部材（４ｐ）の筒軸方向（矢印Ｚ）に沿って移動可能に雌部材（４ｐ）内に雄部材（２）を入れ込ませて、該雌部材（４ｐ）内から雄部材（２）を突き出させる向き（矢印Ｔ）に付勢する付勢部材（５）が設けられている。該筒軸方向（矢印Ｚ）に交叉する向き（矢印Ｋ）に雄部材（２）と雌部材（４ｐ）とに通し孔（６）（７Ａｐ）（７Ｂｐ）が設けられている。特に図示しないが、実施例１と同様に、該付勢部材（５）の付勢に抗した雄部材（２）の押し込み位置（８）にて、連通し合う雄部材（２）の通し孔（６）と雌部材（４ｐ）の通し孔（７Ａｐ）（７Ｂｐ）とに、紐状体（９）が挿通される。該付勢部材（５）の付勢により、雄部材（２）の押し込みを解くことで、紐状体（９）に留め付けられる留め具（１ｐ）としてある。図４３〜４４にて、基部（１０ｐ）が設けられている。該基部（１０ｐ）の一端部（１１ｐ）から折返し状（１２ｐ）に延びた第１フック部（１３ｐ）が設けられている。該基部（１０ｐ）の他端部（１４ｐ）から第１フック部（１３ｐ）に向けて折返し状（１５ｐ）に延びた第２フック部（１６ｐ）が設けられている。該第１フック部（１３ｐ）と第２フック部（１６ｐ）とで形成されるフック部材（１９ｐ）が雌部材（４ｐ）に一体的に設けられている。
【００７７】
該第１フック部（１３ｐ）の先端（１７ｐ）側と、第２フック部（１６ｐ）の先端（１８ｐ）側とが、すれ違うように配置されている。すれ違うように配置されたフック部材（１９ｐ）を有している。かつ、該第１フック部（１３ｐ）の先端（１７ｐ）側と、第２フック部（１６ｐ）の先端（１８ｐ）側とが、離されて配置されたフック部材（１９ｐ）としてある。離されて配置されたフック部材（１９ｐ）を有している。
【００７８】
連通し合う雄部材（２）の通し孔（６）と雌部材（４ｐ）の通し孔（７Ａｐ）（７Ｂｐ）との該連通し合う方向（矢印Ｋ）にて、第１フック部（１３ｐ）と、第２フック部（１６ｐ）との間には隙間を設けてある。隙間を設けてあるので、比較的加工が容易で、また、フック部材（１９ｐ）に挿通片（３２）が挿通される場合に挿通されやすい、という効果が生じる（効果１３−１セナ）。
【００７９】
次に、実施例１４である、留め具（１ｑ）について記す。図４５〜４６にて、実施例１４は、実施例３と同様に、フック部材（１９ｑ）の第１フック部（１３ｑ）の先端（１７ｑ）側が雌部材（４ｑ）に埋設されている。第２フック部（１６ｑ）の先端（１８ｑ）側と、雌部材（４ｑ）の筒状（３ｑ）の外面（２０ｑ）に埋設された第１フック部（１３ｑ）の先端（１７ｑ）側とが、重なるように配置され、第１フック部（１３ｑ）の先端（１７ｑ）側と、第２フック部（１６ｑ）の先端（１８ｑ）側とが、常時は当接している。ただし、次の点で相違する。先端（１８ｑ）側の一部を囲むようにして、先端（１８ｑ）側に対応する位置に、雌部材（４ｑ）の筒状（３ｑ）の外面に支え部（４５Ａ）（４５Ｂ）を設けてある。言い換えると、雌部材（４ｑ）の筒状（３ｑ）の外面（２０ｑ）に埋設された第１フック部（１３ｑ）の先端（１７ｑ）側にて、支え部（４５Ａ）（４５Ｂ）を設けてある。先端（１８ｑ）側を間に挟んで、先端（１８ｑ）側の両端側に各々支え部（４５Ａ）（４５Ｂ）を配してある。先端（１８ｑ）側が支え部（４５Ａ）（４５Ｂ）と当接するようにしてもよい。支え部（４５Ａ）（４５Ｂ）は、先端（１８ｑ）側と嵌合するように設けてもよい。実施例３と比較すると、次のような効果がある。フック部材（１９ｑ）に挿通した挿通片（３２）の脱落防止を向上させる、という効果が生じる（効果１４−１セナ）。
【００８０】
また、特に図示しないが、次のようにしてもよい。実施例１４にて、先端（１８ｑ）側の片一端側のみに支え部（４５Ａ）を配してもよい。実施例１４と比較すると、次のような効果がある。比較的加工が容易で、また、フック部材に挿通片（３２）が挿通される場合に挿通されやすい、という効果が生じる（効果１４Ａ−１セナ）。
【００８１】
次に、実施例１５である、留め具（１ｒ）について記す。実施例１５である、留め具（１ｒ）は、雄部材（２）が設けられている。図４７にて、筒状（３ｒ）の雌部材（４ｒ）が設けられている。該雌部材（４ｒ）の筒軸方向（矢印Ｚ）に沿って移動可能に雌部材（４ｒ）内に雄部材（２）を入れ込ませて、該雌部材（４ｒ）内から雄部材（２）を突き出させる向き（矢印Ｔ）に付勢する付勢部材（５）が設けられている。該筒軸方向（矢印Ｚ）に交叉する向き（矢印Ｋ）に雄部材（２）と雌部材（４ｒ）とに通し孔（６）（７Ａｒ）（７Ｂｒ）が設けられている。特に図示しないが、実施例１と同様に、該付勢部材（５）の付勢に抗した雄部材（２）の押し込み位置にて、連通し合う雄部材（２）の通し孔（６）と雌部材（４ｒ）の通し孔（７Ａｒ）（７Ｂｒ）とに、紐状体（９）が挿通される。該付勢部材（５）の付勢により、雄部材（２）の押し込みを解くことで、紐状体（９）に留め付けられる留め具（１ｒ）としてある。図４７にて、基部（１０ｒ）が設けられている。該基部（１０ｒ）の一端部（１１ｒ）から折返し状（１２ｒ）に延びた第１フック部（１３ｒ）が設けられている。該基部（１０ｒ）の他端部（１４ｒ）から第１フック部（１３ｒ）に向けて折返し状（１５ｒ）に延びた第２フック部（１６ｒ）が設けられている。該第１フック部（１３ｒ）と第２フック部（１６ｒ）とで形成されるフック部材（１９ｒ）が雌部材（４ｒ）に一体的に設けられている。前記第１フック部（１３ｒ）の先端（１７ｒ）側と、前記第２フック部（１６ｒ）の先端（１８ｒ）側とが、重なるように配置されている。
【００８２】
前記フック部材（１９ｒ）の第２フック部（１６ｒ）の先端（１８ｒ）側が前記雌部材（４ｒ）に埋設されている。第１フック部（１３ｒ）の先端（１７ｒ）側と、雌部材（４ｒ）の筒状（３ｒ）の外面（２０ｒ）に埋設された第２フック部（１６ｒ）の先端（１８ｒ）側とが、重なるように配置され、第１フック部（１３ｒ）の先端（１７ｒ）側と、第２フック部（１６ｒ）の先端（１８ｒ）側とが、常時は当接している。
【００８３】
第２フック部（１６ｒ）の先端（１８ｒ）側が雌部材（４ｒ）に埋設されているので、材料費が低減し、また、小型化できる、という効果が生じる（効果１５−１）。
【００８４】
また、特に図示しないが、次のようにしてもよい。実施例１２にて、該第１フック部（１３ｍ）の先端（１７ｍ）側と、第２フック部（１６ｍ）の先端（１８ｍ）側とが、常時は当接するように設ける。該第２フック部（１６ｍ）の弾性変形により、該第１フック部（１３ｍ）の先端（１７ｍ）側と、第２フック部（１６ｍ）の先端（１８ｍ）側とが、離れるフック部材（１９ｍ）を有してもよい。
【００８５】
次に、実施例１６である、留め具（１ｓ）について記す。実施例１６である、留め具（１ｓ）は、図５１〜５４にて、次のようにしてある。雄部材（２ｓ）が設けられている。筒状（３ｓ）の雌部材（４ｓ）が設けられている。該雌部材（４ｓ）の筒軸方向（矢印Ｚ）に沿って移動可能に雌部材（４ｓ）内に雄部材（２ｓ）を入れ込ませて、該雌部材（４ｓ）内から雄部材（２ｓ）を突き出させる向き（矢印Ｔ）に付勢する付勢部材（５Ａｓ）（５Ｂｓ）が設けられている。該筒軸方向（矢印Ｚ）に交叉する向き（矢印Ｋ）に雄部材（２ｓ）と雌部材（４ｓ）とに通し孔（６ｓ）（７Ａｓ）（７Ｂｓ）が設けられている。該付勢部材（５Ａｓ）（５Ｂｓ）の付勢に抗した雄部材（２ｓ）の押し込み位置（８ｓ）にて、連通し合う雄部材（２ｓ）の通し孔（６ｓ）と雌部材（４ｓ）の通し孔（７Ａｓ）（７Ｂｓ）とに、紐状体が挿通される。該付勢部材（５Ａｓ）（５Ｂｓ）の付勢により、雄部材（２ｓ）の押し込みを解くことで、紐状体に留め付けられる留め具（１ｓ）としてある。また、フック部材（１９ｎ）は、実施例１１と同様にしてある。第１フック部（１３ｎ）と第２フック部（１６ｎ）とで形成されるフック部材（１９ｎ）が雌部材（４ｓ）に一体的に設けられている。また、特に図示しないが、留め具（１ｓ）付き巾着袋（３３）は、次のようにしてある。開口縁部（２９）に紐状体挿通部（３０）が形成されている袋体（３１）と、該紐状体挿通部（３０）に挿通されている紐状体（９）と、該紐状体挿通部（３０）から出ている紐状体（９）に装着されて袋体（３１）の開口縁部（２９）を絞った状態に維持するための留め具（１ｓ）と、該留め具（１ｓ）のフック部材（１９ｎ）に挿通して袋体（３１）に設けられた挿通片（３２）と、が備えられている。また、次のように記すこともできる。紐状体（９）の留め付け構造（３５ｓ）は、該留め具（１ｓ）と、該留め具（１ｓ）の使用対象物（３４）に備えて該留め具（１ｓ）の留め付けられる紐状体（９）と、該留め具（１ｓ）のフック部材（１９ｎ）に挿通して使用対象物（３４）に設けられた挿通片（３２）と、が備えられている。
【００８６】
雄部材（２ｓ）は、上方向から見ると、円形状に形成してある実施例１１と比べて、やや四角形状に形成してある。また、付勢部材（５Ａｓ）（５Ｂｓ）は、雄部材（２ｓ）の通し孔（６ｓ）の下部を延設して、雄部材（２ｓ）に一体的に形成してある。付勢部材（５Ａｓ）（５Ｂｓ）は、断面略Ｖ字状に、相対向する一対の脚部（４７Ａ）（４７Ｂ）から構成してある。付勢部材（５Ａｓ）（５Ｂｓ）は、適度な弾性と剛性とを有する熱可塑性樹脂で成形してある。脚部（４７Ａ）（４７Ｂ）は、樹脂の弾性を利用して、相互に接近する方向に弾性変形可能としてある。脚部（４７Ａ）（４７Ｂ）先端の外側面には、顎部（４６Ａｓ）（４６Ｂｓ）を配置してある。また、雌部材（４ｓ）の通し孔（７Ａｓ）（７Ｂｓ）の下部に、顎受け部（４８Ａ）（４８Ｂ）を配置してある。顎部（４６Ａｓ）（４６Ｂｓ）と対応する位置に顎受け部（４８Ａ）（４８Ｂ）を配置してある。成形加工用の穴（５０Ａ）（５０Ｂ）を顎受け部（４８Ａ）（４８Ｂ）下部の一部に設けてある。また、雌部材（４ｓ）の下部に、脚受け部（５１）を設けてある。また、脚受け部（５１）は、顎受け部（４８Ａ）（４８Ｂ）の下部に配置し、顎受け部（４８Ａ）（４８Ｂ）の下部から底部に向けて傾斜して、雌部材（４ｓ）の内面に円周状に設けてある。脚部（４７Ａ）（４７Ｂ）と対応する位置に配置してある。なお、特に図示しないが、付勢部材は、一対の屈折状弾性片としてもよい。あるいは、頭部から下方側に延びる複数本の弾性脚片を備えてもよい。
【００８７】
次に、作用について、一部、説明する。筒軸方向（矢印Ｚ）に沿って雌部材（４ｓ）内を雄部材（２ｓ）が移動する際に、脚部（４７Ａ）（４７Ｂ）と脚受け部（５１）とが摺動する。雄部材（２ｓ）の頭部（３６ｓ）を雌部材（４ｓ）内にて指で押圧したあと、指を離すと、付勢部材（５Ａｓ）（５Ｂｓ）によって突き出させる向き（矢印Ｔ）に雄部材（２ｓ）が移動し、顎受け部（４８Ａ）（４８Ｂ）に顎部（４６Ａｓ）（４６Ｂｓ）が接触して係合し、移動を停止する。ストッパーとして機能する。また、筒軸方向（矢印Ｚ）に沿って雌部材（４ｓ）内を雄部材（２ｓ）が移動する際は、案内部（４９）等によって案内される。案内部（４９）は、雌部材（４ｓ）内面に形成した凸状の突状部（５２）と、特に図示していないが、突状部（５２）に対応する位置に雄部材（２ｓ）外面に配置した凹状の溝部とで構成してある。突状部（５２）と嵌合する溝部とによって筒軸方向（矢印Ｚ）に案内される。
【００８８】
次に、実施例１７である、留め具（１ｔ）について記す。実施例１７である、留め具（１ｔ）は、図５５〜５８にて、次のようにしてある。雄部材（２ｔ）が設けられている。筒状（３ｔ）の雌部材（４ｔ）が設けられている。該雌部材（４ｔ）の筒軸方向（矢印Ｚ）に沿って移動可能に雌部材（４ｔ）内に雄部材（２ｔ）を入れ込ませて、該雌部材（４ｔ）内から雄部材（２ｔ）を突き出させる向き（矢印Ｔ）に付勢する付勢部材（５ｔ）が設けられている。該筒軸方向（矢印Ｚ）に交叉する向き（矢印Ｋ）に雄部材（２ｔ）と雌部材（４ｔ）とに通し孔（６ｔ）（７Ａｔ）（７Ｂｔ）が設けられている。該付勢部材（５ｔ）の付勢に抗した雄部材（２ｔ）の押し込み位置（８ｔ）にて、連通し合う雄部材（２ｔ）の通し孔（６ｔ）と雌部材（４ｔ）の通し孔（７Ａｔ）（７Ｂｔ）とに、紐状体が挿通される。該付勢部材（５ｔ）の付勢により、雄部材（２ｔ）の押し込みを解くことで、紐状体に留め付けられる留め具（１ｔ）としてある。また、雌部材（４ｔ）に一体的に設けられ、第１フック部（１３ｔ）と第２フック部（１６ｔ）とで形成されるフック部材（１９ｔ）は、実施例３と同様にしてあるが、やや小型にしてある。また、特に図示しないが、留め具（１ｔ）付き巾着袋（３３）は、次のようにしてある。開口縁部（２９）に紐状体挿通部（３０）が形成されている袋体（３１）と、該紐状体挿通部（３０）に挿通されている紐状体（９）と、該紐状体挿通部（３０）から出ている紐状体（９）に装着されて袋体（３１）の開口縁部（２９）を絞った状態に維持するための留め具（１ｔ）と、該留め具（１ｔ）のフック部材（１９ｔ）に挿通して袋体（３１）に設けられた挿通片（３２）と、が備えられている。また、次のように記すこともできる。紐状体（９）の留め付け構造（３５ｔ）は、該留め具（１ｔ）と、該留め具（１ｔ）の使用対象物（３４）に備えて該留め具（１ｔ）の留め付けられる紐状体（９）と、該留め具（１ｔ）のフック部材（１９ｔ）に挿通して使用対象物（３４）に設けられた挿通片（３２）と、が備えられている。
【００８９】
付勢部材（５ｔ）は、雄部材（２ｔ）の通し孔（６ｔ）の下部を延設して、雄部材（２ｔ）に一体的に形成してある。複数段に屈曲する板状の脚部（４７ｔ）から構成してある。付勢部材（５ｔ）は、適度な弾性と剛性とを有する熱可塑性樹脂で成形してある。脚部（４７ｔ）は、樹脂の弾性を利用して、上下方向に伸縮するように弾性変形可能としてある。
【００９０】
次に、作用について、一部、説明する。筒軸方向（矢印Ｚ）に沿って雌部材（４ｔ）内を雄部材（２ｔ）が移動する際に、脚部（４７ｔ）と雌部材（４ｔ）内面とが摺動する。雄部材（２ｔ）の頭部（３６ｔ）を雌部材（４ｔ）内にて指で押圧したあと、指を離すと、付勢部材（５ｔ）によって突き出させる向き（矢印Ｔ）に雄部材（２ｔ）が移動し、特に図示しないが、雌部材（４ｔ）の内面の一部と付勢部材（５ｔ）の一部とが接触して、ストッパーとして機能し、係合して、移動を停止する。
【００９１】
次に、実施例１８である、留め具（１ｕ）について記す。実施例１８である、留め具（１ｕ）は、図４８〜５０にて、次のようにしてある。雄部材（２ｕ）が設けられている。筒状（３ｕ）の雌部材（４ｕ）が設けられている。該雌部材（４ｕ）の筒軸方向（矢印Ｚ）に沿って移動可能に雌部材（４ｕ）内に雄部材（２ｕ）を入れ込ませて、該雌部材（４ｕ）内から雄部材（２ｕ）を突き出させる向き（矢印Ｔ）に付勢する付勢部材（５Ａｕ）（５Ｂｕ）が設けられている。該筒軸方向（矢印Ｚ）に交叉する向き（矢印Ｋ）に雄部材（２ｕ）と雌部材（４ｕ）とに通し孔（６ｕ）（７Ａｕ）（７Ｂｕ）が設けられている。該付勢部材（５Ａｕ）（５Ｂｕ）の付勢に抗した雄部材（２ｕ）の押し込み位置（８ｕ）にて、連通し合う雄部材（２ｕ）の通し孔（６ｕ）と雌部材（４ｕ）の通し孔（７Ａｕ）（７Ｂｕ）とに、紐状体が挿通される。該付勢部材（５Ａｕ）（５Ｂｕ）の付勢により、雄部材（２ｕ）の押し込みを解くことで、紐状体に留め付けられる留め具（１ｕ）としてある。また、フック部材（１９ｎ）は、実施例１１と同様にしてある。第１フック部（１３ｎ）と第２フック部（１６ｎ）とで形成されるフック部材（１９ｎ）が雌部材（４ｕ）に一体的に設けられている。また、特に図示しないが、留め具（１ｕ）付き巾着袋（３３）は、次のようにしてある。開口縁部（２９）に紐状体挿通部（３０）が形成されている袋体（３１）と、該紐状体挿通部（３０）に挿通されている紐状体（９）と、該紐状体挿通部（３０）から出ている紐状体（９）に装着されて袋体（３１）の開口縁部（２９）を絞った状態に維持するための留め具（１ｕ）と、該留め具（１ｕ）のフック部材（１９ｎ）に挿通して袋体（３１）に設けられた挿通片（３２）と、が備えられている。また、次のように記すこともできる。紐状体（９）の留め付け構造（３５ｕ）は、該留め具（１ｕ）と、該留め具（１ｕ）の使用対象物（３４）に備えて該留め具（１ｕ）の留め付けられる紐状体（９）と、該留め具（１ｕ）のフック部材（１９ｎ）に挿通して使用対象物（３４）に設けられた挿通片（３２）と、が備えられている。
【００９２】
アンカー型の脚部（４７ｕ）は、雄部材（２ｕ）の通し孔（６ｕ）の下部を延設して、雄部材（２ｕ）に一体的に形成してある。先端は断面矢じり状としてある。脚部（４７ｕ）先端の外側面には、顎部（４６Ａｕ）（４６Ｂｕ）を配置してある。また、雌部材（４ｕ）の底部中央より、突き出させる向き（矢印Ｔ）に、立ち上げるようにして、付勢部材（５Ａｕ）（５Ｂｕ）である脚受け部（５１Ａｕ）（５１Ｂｕ）を設けてある。付勢部材（５Ａｕ）（５Ｂｕ）は、適度な弾性と剛性とを有する熱可塑性樹脂で成形してある。脚受け部（５１Ａｕ）（５１Ｂｕ）は、脚部（４７ｕ）と対応する位置に配置し、樹脂の弾性を利用して、相互に離れる方向に弾性変形可能としてある。また、脚受け部（５１Ａｕ）（５１Ｂｕ）先端の内側面に、顎受け部（４８Ａｕ）（４８Ｂｕ）を配置してある。顎部（４６Ａｕ）（４６Ｂｕ）と対応する位置に顎受け部（４８Ａｕ）（４８Ｂｕ）を配置してある。
【００９３】
次に、作用について、一部、説明する。筒軸方向（矢印Ｚ）に沿って雌部材（４ｕ）内を雄部材（２ｕ）が移動する際に、脚部（４７ｕ）と脚受け部（５１Ａｕ）（５１Ｂｕ）とが摺動する。雄部材（２ｕ）の頭部（３６ｕ）を雌部材（４ｕ）内にて指で押圧したあと、指を離すと、付勢部材（５Ａｕ）（５Ｂｕ）によって突き出させる向き（矢印Ｔ）に雄部材（２ｕ）が移動し、顎受け部（４８Ａｕ）（４８Ｂｕ）に顎部（４６Ａｕ）（４６Ｂｕ）が接触して係合し、移動を停止する。ストッパーとして機能する。また、筒軸方向（矢印Ｚ）に沿って雌部材（４ｕ）内を雄部材（２ｕ）が移動する際は、案内部（４９ｕ）等によって案内される。案内部（４９ｕ）は、雌部材（４ｕ）内面に形成した凸状の突状部（５２ｕ）と、特に図示していないが、突状部（５２ｕ）に対応する位置に雄部材（２ｕ）外面に配置した凹状の溝部とで構成してある。突状部（５２ｕ）と嵌合する溝部とによって筒軸方向（矢印Ｚ）に案内される。
【００９４】
次に、実施例１９である、留め具（１ｖ）について記す。実施例１９である、留め具（１ｖ）は、図５９〜６０にて、実施例１２と同様にしてある。ただし、一部相違する。第１フック部（１３ｖ）の先端（１７ｖ）側と、第２フック部（１６ｖ）の先端（１８ｖ）側とが、重なるように配置されている。
【００９５】
第１フック部（１３ｖ）の先端（１７ｖ）側と、第２フック部（１６ｖ）の先端（１８ｖ）側とが、接して配置されたフック部材（１９ｖ）としてある。接して配置されたフック部材（１９ｖ）を有している。第１フック部（１３ｖ）の先端（１７ｖ）側と、第２フック部（１６ｖ）の先端（１８ｖ）側とが、重なるように配置されているので、フック部材（１９ｖ）から挿通片（３２）が脱落してしまう恐れが少なくなる、という効果が生じる（効果１９−１）。また、第１フック部（１３ｖ）の先端（１７ｖ）側と、第２フック部（１６ｖ）の先端（１８ｖ）側とが、接して配置されているので、フック部材（１９ｖ）から挿通片（３２）が脱落してしまう恐れが少なくなる、という効果が生じる（効果１９−２セナ）。
【００９６】
次に、実施例２０である、留め具（１ｗ）について記す。実施例２０である、留め具（１ｗ）は、図６１〜６２にて、実施例１３と同様にしてある。ただし、一部相違する。第１フック部（１３ｗ）の先端（１７ｗ）側と、第２フック部（１６ｗ）の先端（１８ｗ）側とが、重なるように配置されている。
【００９７】
第１フック部（１３ｗ）の先端（１７ｗ）側と、第２フック部（１６ｗ）の先端（１８ｗ）側とが、接して配置されたフック部材（１９ｗ）としてある。接して配置されたフック部材（１９ｗ）を有している。第１フック部（１３ｗ）の先端（１７ｗ）側と、第２フック部（１６ｗ）の先端（１８ｗ）側とが、重なるように配置されているので、フック部材（１９ｗ）から挿通片（３２）が脱落してしまう恐れが少なくなる、という効果が生じる（効果２０−１）。また、第１フック部（１３ｗ）の先端（１７ｗ）側と、第２フック部（１６ｗ）の先端（１８ｗ）側とが、接して配置されているので、フック部材（１９ｗ）から挿通片（３２）が脱落してしまう恐れが少なくなる、という効果が生じる（効果２０−２セナ）。
【００９８】
次に、実施例２１である、留め具（１ｘ）について記す。図６３〜６４にて、実施例２１である、留め具（１ｘ）は、実施例９と同様に、第１フック部（１３ｘ）の先端（１７ｘ）側と、第２フック部（１６ｘ）の先端（１８ｘ）側とが、重なるように配置され、第１フック部（１３ｘ）の内面に臨むように第２フック部（１６ｘ）の先端（１８ｘ）が配置され、フック部材（１９ｘ）の基部（１０ｘ）側が雌部材（４ｘ）に埋設されている。ただし、実施例９とは一部相違する。次のようにしてある。第２フック部（１６ｘ）に係止爪（２３ｘ）が設けられ、係止爪（２３ｘ）を係止させる係止部（２４ｘ）が第１フック部（１３ｘ）に設けられている。実施例９は、実施例１と同様に、矢じり状の係止爪（２３ｊ）の先端は紡錘形状としてあり、係止部（２４ｊ）は円形状の穴としてあるが、実施例２１は、次のようにしてある。係止爪（２３ｘ）は鉤状にしてある。Ｌ字状にしてある。また、係止部（２４ｘ）は、鉤状の係止爪（２３ｘ）に対応するように、突状としてある。鉤受としてある。つまり、実施例９に対して、上半分を削ったような断面形状としてある。係止爪（２３ｘ）と係止部（２４ｘ）とは嵌合する。係合するようにしてある。
【００９９】
実施例９と同様に、係止爪（２３ｘ）と係止部（２４ｘ）を係止させることにより、フック部材（１９ｘ）に挿通した挿通片（３２）の脱落防止を向上させる、という効果が生じる（効果２１−１）。また、次のような効果もある。係止爪（２３ｘ）と係止部（２４ｘ）とが離れている状態から嵌合する状態へ押圧される方向は、内側から外側になっている。よって、袋体（３１）を開口する場合、フック部材（１９ｘ）に挿通された挿通片（３２）が引っ張られるが、同じ方向なので、引っ張られても嵌合する方向なので、外れることはない。フック部材（１９ｘ）に挿通した挿通片（３２）の脱落防止を向上させる、という効果が生じる（効果２１−２セナ）。実施例８、９も同様の効果がある。
【０１００】
次に、各実施例において、補足する。例えば、実施例１にて、特に図示しないが、次のようにしてもよい。孔（４３）の貫通する方向（矢印Ｎ）と、通し孔（６Ａ）（６Ｂ）（７Ａ）（７Ｂ）との該連通し合う方向（矢印Ｋ）とが、直角に近い角度になるように、つまり、フック部材（１９）の長手方向と雌部材（４）の長手方向とが平行するように設けてあるが、他の方向、角度でもよく、また、フック部材（１９）を設ける位置は、雌部材（４）に対して、上下左右前後としてもよい。種々雑多な角度も可能である。例えば、第１フック部の先端側と、第２フック部の先端側とを、頭部寄りに設けてもよい。つまり、開口している側を頭部寄りに設けてもよい。フック部材（１９）の設ける向きもいろんな選択が考えられる。また、係止爪（２３）と係止部（２４）の位置についても、この限りではなく、雌部材（４）に対して、上下左右前後等設けてもよい。他の実施例についても同様にしてもよい。
【０１０１】
また、例えば、実施例１にて、特に図示しないが、次のようにしてもよい。断面略Ｕ字状（２５）の湾曲部（２６Ａ）（２６Ｂ）を両端（２７Ａ）（２７Ｂ）に有するフック部材（１９）としてあるが、略コの字形状、略Ｖ字状などでもよい。形状は、四角形状、六角形状、多角形状、半円状、楕円状に設けてもよい。また、他の形状に設けてもよい。他の実施例についても同様にしてもよい。
【０１０２】
また、例えば、実施例１にて、特に図示しないが、次のようにしてもよい。第１フック部（１３）の先端側（１７）と、第２フック部（１６）の先端側（１８）とは、形状が違ってもよく、位置関係も対称性を有さなくてもよい。他の実施例についても同様にしてもよい。
【０１０３】
また、例えば、実施例１にて、特に図示しないが、次のようにしてもよい。矢じり状の係止爪（２３）の先端を台形状にしてもよい。あるいは、矢じり状の係止爪（２３）を、Ｌ字状としてもよい。Ｌ字状にして、係止部（２４）に対して引っ掛けるように設けてもよい。あるいは、鉤状としてもよい。棒状、球状としてもよい。あるいは、次のようにしてもよい。凸部である係止爪（２３）を第２フック部（１６）に設けて、凹部である係止部（２４）を第１フック部（１３）に設けてもよい。他の実施例についても同様にしてもよい。
【０１０４】
また、実施例２にて、特に図示しないが、次のようにしてもよい。第１フック部の先端側、または、第２フック部の先端側を鋭角にしてもよい。鋭角にすることにより、フック部材から挿通片（３２）が抜け出しそうになった場合に、挿通片（３２）を突き刺したりすることができ、抜け出すのを防ぐことができる、という効果が生じる（効果２−３セナ）。また、第２フック部の先端側を波状、ギザギザ状、山谷状、または、エンボス加工に、あるいは、段差等を設けてもよい。同様に、該第２フック部に対応する第１フック部の先端側を波状、ギザギザ状、エンボス加工に、あるいは、段差等を設けてもよい。表面の摩擦係数等が増大し、フック部材から挿通片（３２）が抜け出しそうになった場合に、脱落しにくくなる、という効果が生じる（効果２−４セナ）。また、実施例３、４、５、１４にて、特に図示しないが、次のようにしてもよい。第２フック部の先端側を鋭角にしてもよい。前記と同様の効果が生じる（効果３−２セナ）。また、第２フック部の先端側を波状、ギザギザ状、山谷状、または、エンボス加工に、あるいは、段差等を設けてもよい。前記と同様の効果が生じる（効果３−３セナ）。また、実施例１２、１３にて、特に図示しないが、次のようにしてもよい。第１フック部の先端側、または、第２フック部の先端側を鋭角にしてもよい。前記と同様の効果が生じる（効果１２−３セナ）。また、第１フック部の先端側、または、第２フック部の先端側を、波状、ギザギザ状、山谷状、または、エンボス加工に、あるいは、段差等を設けてもよい。前記と同様の効果が生じる（効果１２−４セナ）。また、実施例１５にて、特に図示しないが、次のようにしてもよい。第１フック部の先端側を鋭角にしてもよい。前記と同様の効果が生じる（効果１５−２セナ）。また、第１フック部の先端側を波状、ギザギザ状、山谷状、または、エンボス加工に、あるいは、段差等を設けてもよい。前記と同様の効果が生じる（効果１５−３セナ）。
【０１０５】
また、例えば、他の実施例にて、特に図示しないが、実施例１と同様に次のようにしてもよい。使用対象物（３４）は袋体（３１）としてあるが、例えば、衣類、手袋等でもよい。
【０１０６】
なお、各実施例の効果としては、各項に記載した内容以外については、特に記載していないが、実施例１の効果と同程度の内容を有するものもある。
【図面の簡単な説明】
【０１０７】
【図１】実施例１の全体図。
【図２】実施例１の全体図。
【図３】実施例１の部分図。
【図４】実施例１の説明図。
【図５】実施例１の分解図。
【図６】実施例１の組立図。
【図７】実施例１の正面図。
【図８】実施例１の横から見た断面図。
【図９】実施例１の横から見た動作断面図。
【図１０】実施例１の上から見た断面図。
【図１１】実施例１の上面図。
【図１２】実施例１の側面図。
【図１３】実施例２の正面図。
【図１４】実施例２の側面図。
【図１５】実施例３の正面図。
【図１６】実施例３の側面図。
【図１７】実施例４の正面図。
【図１８】実施例４の側面図。
【図１９】実施例４の上面図。
【図２０】実施例５の上面図。
【図２１】実施例５の正面図。
【図２２】実施例６の正面図。
【図２３】実施例７の正面図。
【図２４】実施例８の断面図。
【図２５】実施例８の側面図。
【図２６】実施例９の断面図。
【図２７】実施例１１の側面図。
【図２８】実施例１１の正面の断面図。
【図２９】実施例１１の動作断面図。
【図３０】実施例１１の上面図。
【図３１】実施例１０の正面図。
【図３２】実施例１の組立説明図。
【図３３】実施例１の組立説明図。
【図３４】実施例１の組立説明図。
【図３５】実施例１１の組立説明図。
【図３６】実施例１１の組立説明図。
【図３７】実施例１１の組立説明図。
【図３８】実施例１１の組立説明図。
【図３９】実施例１１の組立説明図。
【図４０】実施例１１の組立説明図。
【図４１】実施例１２の正面図。
【図４２】実施例１２の側面図。
【図４３】実施例１３の正面図。
【図４４】実施例１３の側面図。
【図４５】実施例１４の正面図。
【図４６】実施例１４の側面図。
【図４７】実施例１５の正面図。
【図４８】実施例１８の裏面から見た断面分解図。
【図４９】実施例１８の裏面から見た断面図。
【図５０】実施例１８の裏面から見た断面図。
【図５１】実施例１６の裏面から見た断面分解図。
【図５２】実施例１６の正面図。
【図５３】実施例１６の裏面から見た断面図。
【図５４】実施例１６の裏面から見た断面図。
【図５５】実施例１７の横から見た分解図。
【図５６】実施例１７の正面図。
【図５７】実施例１７の側面図。
【図５８】実施例１７の側面図。
【図５９】実施例１９の正面図。
【図６０】実施例１９の側面図。
【図６１】実施例２０の正面図。
【図６２】実施例２０の側面図。
【図６３】実施例２１の断面図。
【図６４】実施例２１の断面図。
【０１０８】
（１）      留め具  実施例１
（１ａ）    実施例２
（１ｂ）    実施例３
（１ｃ）    実施例４
（１ｄ）    実施例５
（１ｅ）    実施例６
（１ｆ）    実施例７
（１ｈ）    実施例８
（１ｊ）    実施例９
（１ｋ）    実施例１０
（１ｎ）    実施例１１
（１ｍ）    実施例１２
（１ｐ）    実施例１３
（１ｑ）    実施例１４
（１ｒ）    実施例１５
（１ｓ）    実施例１６
（１ｔ）    実施例１７
（１ｕ）    実施例１８
（１ｖ）    実施例１９
（１ｗ）    実施例２０
（１ｘ）    実施例２１
（２）    雄部材
（３）    筒状
（４）    雌部材
（５）    付勢部材
（６）    通し孔
（７）    通し孔
（８）    押し込み位置
（９）    紐状体
（１０）  基部
（１１）  一端部
（１２）  折返し状
（１３）  第１フック部
（１４）  他端部
（１５）  折返し状
（１６）  第２フック部
（１７）  （第１フック部の）先端
（１８）  （第２フック部の）先端
（１９）  フック部材
（２０）  外面
（２１）  内面
（２２）  端部
（２３）  係止爪
（２４）  係止部
（２５）  断面略Ｕ字状
（２６）  湾曲部
（２７）  両端
（２８）  付勢部材支持部
（２９）  開口縁部
（３０）  紐状体挿通部
（３１）  袋体
（３２）  挿通片
（３３）  巾着袋
（３４）  使用対象物
（３５）  留め付け構造
（３６）  頭部
（３７）  ビストン状部
（３８）  シリンダー状部
（３９）  差し入れ部
（４０）  中空
（４１）  窪み部
（４２）  外側の面
（４３）  孔
（４４）  切り込み
（４５）  支え部
（４６）  顎部
（４７）  脚部
（４８）  顎受け部
（４９）  案内部
（５０）  穴
（５１）  脚受け部
（５２）  突状部
（Ａ）    面
（Ｂ）    面
（Ｃ）    面
（Ｄ）    面
（Ｅ）    面
（Ｆ）    面
（Ｈ）    基部の厚さ
（Ｓ）    挿通片の内寸
（矢印Ｇ）湾曲
（矢印Ｊ）開き方向
（矢印Ｋ）交叉する向き
直交する方向
連通し合う方向
（矢印Ｌ）移動方向
（矢印Ｍ）貫通する方向
（矢印Ｎ）貫通する方向
（矢印Ｏ）開き方向
（矢印Ｐ）方向
（矢印Ｔ）突き出させる向き
（矢印Ｕ）開き方向
（矢印Ｚ）筒軸方向
貫通する方向